(57)【要約】  本発明の眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
2012124350.tif 000002
【特許請求の範囲】
【請求項１】
左眼及び右眼へ透過する映像光の量を増大又は減少させる変動タイミングを調整し、映像を立体的に知覚させるための調整動作を行う光量調整部と、
前記調整動作に関する特性データを格納する記憶部と、
前記変動タイミングを規定する同期制御信号を受信する受信部と、
前記光量調整部を制御する第１制御部と、を備え、
該第１制御部は、前記同期制御信号によって規定された前記変動タイミングを前記特性データに基づいて補正し、前記調整動作を制御することを特徴とする眼鏡装置。
【請求項２】
前記調整動作の実行のために用いられる電力を供給する電源部を更に備え、
前記特性データは、前記電源部が蓄える電力量と、前記光量調整部の動作速度と、の関係を表し、
前記第１制御部は、前記電力量に応じて、前記変動タイミングに対する補正量を決定することを特徴とする請求項１に記載の眼鏡装置。
【請求項３】
前記特性データは、前記映像が観察される環境の温度と、前記光量調整部の動作速度と、の関係を表し、
前記第１制御部は、前記温度に応じて、前記変動タイミングに対する補正量を決定することを特徴とする請求項１又は２に記載の眼鏡装置。
【請求項４】
前記電力量を検出する電力検出部を更に備えることを特徴とする請求項２に記載の眼鏡装置。
【請求項５】
前記温度を検出する温度検出部を更に備えることを特徴とする請求項３に記載の眼鏡装置。
【請求項６】
前記特性データは、前記光量調整部に対して固有に定められたデータであることを特徴とする請求項１乃至５のいずれか１項に記載の眼鏡装置。
【請求項７】
左眼で観察される左フレーム画像と、右眼で観察される右フレーム画像と、を用いて、立体的に知覚される映像を表示する表示部と、
前記左フレーム画像及び前記右フレーム画像の表示タイミングを決定し、前記表示部に前記表示タイミングで前記左フレーム画像と前記右フレーム画像とを順次表示させる第２制御部と、
前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、
前記制御信号通信部は、前記眼鏡装置から、前記調整動作に関する特性データを受信し、
前記第２制御部は、前記表示タイミングと前記特性データとに基づき、前記同期制御信号の送信を制御することを特徴とする表示装置。
【請求項８】
前記同期制御信号は、前記表示タイミングに関するタイミング情報を含み、
前記第２制御部は、前記特性データに応じて、前記タイミング情報を変更することを特徴とする請求項７に記載の表示装置。
【請求項９】
前記第２制御部は、前記特性データに応じて、前記同期制御信号の送信タイミングを変更することを特徴とする請求項７に記載の表示装置。
【請求項１０】
前記映像が観察される環境の温度を検出する温度検出部を更に備え、
前記特性データは、前記温度と、前記眼鏡装置の動作速度と、の関係を表し、
前記第２制御部は、前記温度に応じて、前記送信を制御することを特徴とする請求項７乃至９のいずれか１項に記載の表示装置。
【請求項１１】
左眼及び右眼へ透過する映像光の量を増大又は減少させる変動タイミングを調整し、映像を立体的に知覚させるための調整動作を行う眼鏡装置と、
前記左眼で観察される左フレーム画像と、前記右眼で観察される右フレーム画像と、を用いて、前記映像を表示する表示装置と、を備え、
前記表示装置は、前記変動タイミングを規定する同期制御信号を送信する送信部を備え、
前記眼鏡装置は、
前記調整動作を行う光量調整部と、
前記調整動作に関する特性データを格納する記憶部と、
前記同期制御信号を受信する受信部と、
前記光量調整部を制御する第１制御部と、を備え、
該第１制御部は、前記同期制御信号によって規定された前記変動タイミングを前記特性データに基づいて補正し、前記調整動作を制御することを特徴とする映像システム。
【請求項１２】
左眼及び右眼へ透過する映像光の量を増大又は減少させる変動タイミングを調整し、映像を立体的に知覚させるための調整動作を行う眼鏡装置と、
前記左眼で観察される左フレーム画像と、前記右眼で観察される右フレーム画像と、を用いて、前記映像を表示する表示装置と、を備え、
前記眼鏡装置は、
前記調整動作を実行する光量調整部と、
前記調整動作に関する特性データを格納する記憶部と、
前記特性データを前記表示装置に送信するデータ通信部と、
前記光量調整部を制御する第１制御部と、を備え、
前記表示装置は、
前記映像を表示する表示部と、
前記左フレーム画像及び前記右フレーム画像の表示タイミングを決定し、前記表示部に前記表示タイミングで前記左フレーム画像と前記右フレーム画像とを順次表示させる第２制御部と、
前記特性データを受信し、且つ、前記表示タイミングを通知するための同期制御信号を、前記第２制御部の制御下で前記データ通信部へ送信する制御信号通信部と、を備え、
前記第２制御部は、前記表示タイミングと前記特性データとに基づき、前記同期制御信号の送信を制御し、
前記第１制御部は、前記同期制御信号に応じて、前記光量調整部を制御することを特徴とする映像システム。
【請求項１３】
前記眼鏡装置は、前記調整動作の実行のために用いられる電力を供給する電源部と、該電源部が蓄える電力量を検出する電力検出部と、を含み、
前記特性データは、前記電源部が蓄える電力量と、前記光量調整部の動作速度と、の関係を表し、
前記特性データの送信の後、前記データ通信部は、前記電力量に関する電力情報を前記制御信号通信部へ送信し、
前記第２制御部は、前記電力情報と前記特性データとを対比し、前記同期制御信号の前記送信を制御することを特徴とする請求項１１に記載の映像システム。
【請求項１４】
前記眼鏡装置は、前記映像が観察される環境の温度を検出する温度検出部を含み、
前記特性データは、前記温度と、前記光量調整部の動作速度と、の関係を表し、
前記特性データの送信の後、前記データ通信部は、前記温度に関する温度情報を前記制御信号通信部へ送信し、
前記第２制御部は、前記温度情報と前記特性データとを対比し、前記同期制御信号の前記送信を制御することを特徴とする請求項１１又は１２に記載の映像システム。
【請求項１５】
左眼及び右眼へ透過する映像光の量を増大又は減少させる変動タイミングを調整し、映像を立体的に知覚させるための調整動作を行う眼鏡装置の制御方法であって、
前記変動タイミングを規定する同期制御信号を受信する段階と、
前記同期制御信号によって規定された前記変動タイミングを、前記調整動作に関する特性データに基づいて補正し、前記調整動作を制御する段階と、を有することを特徴とする制御方法。
【請求項１６】
左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムの制御方法であって、
前記調整動作に関する特性データを、前記眼鏡装置から前記表示装置へ送信する段階と、
前記左フレーム画像及び前記右フレーム画像が表示される表示タイミングを決定する段階と、
前記表示タイミングと前記特性データとに基づき、前記表示タイミングを前記眼鏡装置へ通知するための同期制御信号の送信を制御する段階と、
前記同期制御信号に応じて、前記変動タイミングを調整する段階と、を有することを特徴とする制御方法。
【発明の詳細な説明】
【技術分野】
【０００１】
立体映像を観察者に適切に観察させるための映像技術に関する。
【背景技術】
【０００２】
３Ｄ映画の普及に伴って、家庭内で３Ｄ映像を視聴するための表示装置が、開発並びに市販されている（特許文献１乃至５参照）。３Ｄ映像用の表示装置は、典型的には、フレームシーケンシャル方式（時分割方式とも称される）を採用している。表示装置は、左眼で視聴される左フレーム画像と、右眼で視聴される右フレーム画像と、を時間的に交互に切り替えて表示する。【０００３】
フレームシーケンシャル方式或いは時分割方式を採用する表示装置として、映画館で用いられるプロジェクタや家庭内で用いられるテレビ装置やパーソナルコンピュータのディスプレイ装置が例示される。これらの３Ｄ表示装置は、左フレーム画像と右フレーム画像とを時間的に交互に切り替えて表示する。【０００４】
観察者は、眼鏡装置（一般的に、３Ｄアクティブシャッタ眼鏡と称される）を介して、３Ｄ表示装置が表示する映像を観察する。眼鏡装置は、左眼前に配設される左シャッタと、右眼前に配設される右シャッタと、を備える。左眼及び右眼へ透過する映像光の量は、左シャッタ及び右シャッタの開閉動作に応じて、変動する。【０００５】
表示装置は、左フレーム画像及び／又は右フレーム画像の表示に同期する同期制御信号を送信する。同期制御信号として、例えば、赤外（ＩＲ）信号や無線（ＲＦ）信号が用いられる。同期制御信号を受信した眼鏡装置は、左フレーム画像の表示に同期して、左シャッタを開く一方で、右シャッタを閉じる。また、眼鏡装置は、右フレーム画像の表示に同期して、右シャッタを開く一方で、左シャッタを閉じる。かくして、左フレーム画像からの映像光は左眼のみに透過し、右フレーム画像からの映像光は右眼のみに透過する。【０００６】
同期制御信号に対するシャッタの応答特性は、眼鏡装置ごとに異なることもある。例えば、ある眼鏡装置（以下、「眼鏡装置Ａ」と称される）は、右シャッタを開く又は閉じるための同期制御信号を受け取ってから、右シャッタを開く又は閉じるために、「Ｘ１」の期間だけ要する。他の眼鏡装置（以下、「眼鏡装置Ｂ」と称される）は、右シャッタを開く又は閉じるための同期制御信号を受け取ってから右シャッタを開く又は閉じるために、「Ｘ１」より短い又は長い「Ｘ２」の期間だけ要する。左シャッタに関しても、眼鏡装置Ａ，Ｂ間において、応答期間の差異は生じうる。【０００７】
眼鏡装置Ａ，Ｂとの間の型式が異なるならば、例えば、眼鏡装置Ａ，Ｂ間の設計の相違に起因して、上述の応答期間の差異が生じうる。眼鏡装置Ａ，Ｂとの間の型式が同一であっても、例えば、シャッタに用いられる素子の特性のばらつきに起因して、上述の応答期間の差異が生じうる。
【先行技術文献】
【特許文献】
【０００８】
【特許文献１】米国特許公開公報第２０１１／０２２８２１５号明細書
【特許文献２】米国特許公開公報第２０１１／００４３７５３号明細書
【特許文献３】米国特許公開公報第２０１１／０１８１７０８号明細書
【特許文献４】米国特許公開公報第２０１１／０２４２２９３号明細書
【特許文献５】米国特許公開公報第２０１０／０２９５９２９号明細書
【発明の概要】
【０００９】
本発明は、眼鏡装置の動作特性に応じて、左眼及び右眼へ透過する映像光の量を増大又は減少させる変動タイミングを調整することができる映像技術を提供することを目的とする。
【００１０】
本発明の一局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１１】
本発明の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御することを特徴とする。
【００１２】
本発明の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１３】
本発明の更に他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記データ通信部へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【００１４】
本発明の更に他の局面に係る制御方法は、左眼及び右眼へ透過する映像光の量を増大又は減少させる変動タイミングを調整し、映像を立体的に知覚させるための調整動作を行う眼鏡装置に用いられる。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【００１５】
本発明の更に他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに用いられる。制御方法は、前記調整動作に関する特性データを、前記表示装置へ送信する段階と、前記左フレーム画像及び前記右フレーム画像の表示タイミングを決定する段階と、前記表示タイミングと前記特性データとに基づき、前記表示タイミングを通知するための同期制御信号の送信を制御する段階と、前記同期制御信号に応じて、前記変動タイミングを調整する段階と、を有することを特徴とする。
【００１６】
本発明は、眼鏡装置の動作特性に応じて、左眼及び右眼へ透過する映像光の量を増大又は減少させる変動タイミングを調整することができる。
【００１７】
本発明の目的、特徴及び利点は、以下の詳細な説明と添付図面とによって、より明白となる。
【図面の簡単な説明】
【００１８】
【図１】第１実施形態の眼鏡装置の概略的な斜視図である。
【図２】一般的な眼鏡装置の応答特性を表す概略的なタイミングチャートである。
【図３】図１に示される眼鏡装置のハードウェア構成を表す概略的なブロック図である。
【図４】図３に示される眼鏡装置に格納される特性データを取得するための測定システムの概略図である。
【図５Ａ】図４に示される測定システムを用いて測定された特性データを表す概略的なグラフである。
【図５Ｂ】図４に示される測定システムを用いて測定された特性データを表す概略的なグラフである。
【図６】図３に示される眼鏡装置の機能構成を表す概略的なブロック図である。
【図７】図３に示される眼鏡装置とともに用いられる表示装置のハードウェア構成を表す概略的なブロック図である。
【図８】図７に示される表示装置の機能構成を表す概略的なブロック図である。
【図９】図６に示される眼鏡装置の制御部による同期制御信号に対する処理を表す概略的な表である。
【図１０】図６に示される眼鏡装置の制御部によって作成された基準データを表す概略的なグラフである。
【図１１】図６に示される眼鏡装置の記憶部に記憶された特性データを表す概略的な表である。
【図１２】図６に示される眼鏡装置の制御部による補正処理を概略的に表すグラフである。
【図１３】図６に示される眼鏡装置を備える映像システムの概略図である。
【図１４】図６に示される眼鏡装置の制御方法を表す概略的なフローチャートである。
【図１５】第２実施形態の眼鏡装置の機能構成を表す概略的なブロック図である。
【図１６】図１５に示される眼鏡装置の記憶部に記憶される特性データを概略的に表す表である。
【図１７】図１５に示される眼鏡装置の制御部による補正処理を概略的に表すグラフである。
【図１８】第３実施形態の眼鏡装置の機能構成を表す概略的なブロック図である。
【図１９】図１９に示される眼鏡装置の駆動部の温度と給電期間との関係を表す概略的なグラフである。
【図２０】第４実施形態の表示装置の機能構成を表す概略的なブロック図である。
【図２１】図２０に示される表示装置を備える映像システムの概略図である。
【図２２】図２１に示される映像システムの表示装置と眼鏡装置との間の通信に用いられるパケット構造の概略図である。
【図２３】図２１に示される映像システムの眼鏡装置の機能構成を表す概略的なブロック図である。
【図２４Ａ】図２３に示される眼鏡装置の記憶部に記憶された特性データを例示する表である。
【図２４Ｂ】図２３に示される眼鏡装置の光量調整部の動作速度を表す概略的なグラフである。
【図２５Ａ】図２３に示される眼鏡装置の記憶部に記憶された特性データを例示する表である。
【図２５Ｂ】図２３に示される眼鏡装置の光量調整部の動作速度を表す概略的なグラフである。
【図２６】図２３に示される眼鏡装置の制御部によって作成されるデータ列構造の概略図である。
【図２７】左眼及び右眼への透過光量を増大させる期間のタイミングの補正を表す概略的なタイミングチャートである。
【図２８】図２１に示される映像システムの制御方法を表す概略的なフローチャートである。
【図２９】第５実施形態の眼鏡装置の機能構成を表す概略的なブロック図である。
【図３０】図２９に示される眼鏡装置を備える映像システムの概略図である。
【図３１】図３０に示される映像システムの表示装置の機能構成を表す概略的なブロック図である。
【図３２】図３０に示される映像システムの制御方法を表す概略的なフローチャートである。
【発明を実施するための形態】
【００１９】
例示的な映像技術が、添付の図面を参照して説明される。尚、図面に示される構成、配置或いは形状等並びに図面に関連する記載は、映像技術の原理を容易に理解させることを目的とする。したがって、映像技術の原理は、以下の詳細な説明に何ら限定するものではない。
【００２０】
＜第１実施形態＞
（眼鏡装置）
図１は、第１実施形態の眼鏡装置１００の概略的な斜視図である。図１を用いて、眼鏡装置１００が説明される。
【００２１】
眼鏡装置１００は、観察者の左眼及び右眼へ透過する光量を調整するシャッタ部１１０を備える。シャッタ部１１０は、観察者の左眼前に配置される左シャッタ１１１と、右眼前に配置される右シャッタ１１２と、を含む。
【００２２】
表示装置（後述される）が、左眼で観察される左フレーム画像を表示している間、左シャッタ１１１が開く一方で、右シャッタ１１２は閉じる。この結果、左眼へ到達する映像光の量は大きくなる一方で、右眼へ到達する映像光の量は小さくなる。かくして、観察者は、左眼で主に左フレーム画像を観察することとなる。
【００２３】
表示装置が、右眼で観察される右フレーム画像を表示している間、左シャッタ１１１が閉じる一方で、右シャッタ１１２は開く。この結果、左眼へ到達する映像光の量は小さくなる一方で、右眼へ到達する映像光の量は大きくなる。かくして、観察者は、右眼で主に右フレーム画像を観察することとなる。
【００２４】
表示装置が、例えば、左フレーム画像と右フレーム画像とを交互に表示し、且つ、左シャッタ１１１及び右シャッタ１１２が、上述の如く、左フレーム画像及び右フレーム画像に同期して、開閉するならば、観察者は、左フレーム画像と右フレーム画像とを脳内で合成する。左フレーム画像に描かれるオブジェクトと右フレーム画像に描かれるオブジェクトとの間には、例えば、位置的な差異が設けられているので、観察者は、位置的な差異量の分だけ、映像が表示される表示面からオブジェクトが飛び出したように、或いは、表示面からオブジェクトが引っ込んだように知覚することができる（即ち、観察者は、表示装置が表示する映像を立体的に知覚する）。
【００２５】
上述の如く、左シャッタ１１１は、左眼へ透過する映像光の量を増大又は減少させる変動タイミングを左フレーム画像の表示期間（左フレーム期間）に適合させる。右シャッタ１１２は、右眼へ透過する映像光の量を増大又は減少させる変動タイミングを右フレーム画像の表示期間（右フレーム期間）に適合させる。この結果、観察者は、表示装置が表示する映像を立体的に知覚することができる。以下の説明において、シャッタ部１１０による変動タイミングの調整は、「調整動作」と称される。本実施形態において、シャッタ部１１０は、光量調整部として例示される。
【００２６】
シャッタ部１１０の調整動作は、表示装置から送信される同期制御信号に基づいて制御される。眼鏡装置１００は、同期制御信号を受信する受信素子１５０を備える。本実施形態において、同期制御信号は、赤外線信号であってもよく、或いは、無線信号であってもよい。本実施形態において、受信素子１５０は、受信部として例示される。
【００２７】
表示装置は、左フレーム画像及び／又は右フレーム画像の表示の開始のタイミングを、眼鏡装置１００に通知するために同期制御信号を送信する。眼鏡装置１００が、同期制御信号に応じて、左フレーム画像の表示の開始に同期して、左シャッタ１１１を開くならば、観察者は、左フレーム画像を適切に観察することができる。眼鏡装置１００が、同期制御信号に応じて、右フレーム画像の表示の開始に同期して、右シャッタ１１２を開くならば、観察者は、右フレーム画像を適切に観察することができる。本実施形態において、同期制御信号は、各フレーム画像のタイミングを規定するために用いられる。
【００２８】
本実施形態において、同期制御信号が規定する変動タイミングは、左フレーム画像及び／又は右フレーム画像の表示タイミングに専ら依存する。同期制御信号に対する眼鏡装置１００の応答特性は、眼鏡装置１００の固有の性能や眼鏡装置１００が使用される環境（温度環境や電池残量）に影響される。したがって、シャッタ部１１０の調整動作が、眼鏡装置１００の応答特性に大きく影響されるならば、表示装置が同期制御信号を適切に送信しても、観察者が適切なタイミングで左フレーム画像及び／又は右フレーム画像を観察できないこともある。本実施形態の原理は、眼鏡装置１００のシャッタ部１１０の応答特性のばらつき或いは変動が調整動作に与える影響を補償することに貢献する。
【００２９】
眼鏡装置１００は、シャッタ部１１０を支持するフレーム部１２１と、フレーム部１２１から観察者の耳へ向けて延びるアーム部１２２と、を備える。したがって、観察者は、一般的な視力矯正用の眼鏡と同様に、眼鏡装置１００を着用することができる。この結果、左シャッタ１１１は、左眼前に配置され、且つ、右シャッタ１１２は、右眼前に配置される。
【００３０】
眼鏡装置１００は、シャッタ部１１０への給電を制御するためのスイッチ素子１３０を更に備える。観察者がスイッチ素子１３０を「オン位置」に設定するならば、眼鏡装置１００内の様々な要素（後述される）への給電が開始される。観察者がスイッチ素子１３０を「オフ位置」に設定するならば、眼鏡装置１００内の様々な要素への給電は停止される。したがって、観察者は、スイッチ素子１３０を用いて、不必要な電力消費を防止することができる。
【００３１】
図２は、一般的な眼鏡装置の応答特性を表す概略的なタイミングチャートである。図１及び図２を用いて、眼鏡装置の応答特性のばらつき及び変動が説明される。
【００３２】
図２のセクション（ａ）は、左フレーム画像の表示期間として割り当てられた左フレーム期間と、右フレーム画像の表示期間として割り当てられた右フレーム期間とを表す。左フレーム期間及び右フレーム期間は交互に割り当てられている。
【００３３】
図２のセクション（ｂ）は、表示装置から送信される同期制御信号を表す。左シャッタを動作させるための同期制御信号は、左フレーム期間の開始に同期して送信される。右シャッタを動作させるための同期制御信号は、右フレーム期間の開始に同期して送信される。
【００３４】
図２のセクション（ｃ）は、左シャッタを駆動するための駆動信号を表す。図２のセクション（ｄ）は、右シャッタを駆動するための駆動信号を表す。
【００３５】
左シャッタ及び右シャッタの開閉タイミングは、駆動信号の電圧レベルの変動タイミングに依存する。左シャッタ用の駆動信号の電圧レベルは、眼鏡装置が左シャッタ用の同期制御信号を受信した後に降下する。所定期間の経過後、左シャッタ用の駆動信号の電圧レベルは、増加する。右シャッタ用の駆動信号の電圧レベルは、眼鏡装置が右シャッタ用の同期制御信号を受信した後に降下する。所定期間の経過後、右シャッタ用の駆動信号の電圧レベルは、上昇する。
【００３６】
図２のセクション（ｅ）は、左眼への透過光量の変動を表す。左眼への透過光量の変動は、左シャッタの調整動作を反映している。左シャッタの調整動作は、左シャッタ用の駆動信号の電圧レベルの変動に依存する。例えば、駆動信号の電圧レベルが降下するならば、左シャッタは開き始める。図２のセクション（ｅ）において、左シャッタ用の同期制御信号の立ち上がりから左眼への透過光量が最大透過光量の５０％に増加するまでの時間は、「Ｔ(ＬＯ)」の符号を用いて表される。また、駆動信号の電圧レベルが上昇するならば、左シャッタは閉じ始める。左シャッタ用の同期制御信号の立ち上がりから、左眼への透過光量が最大透過光量の５０％に減少するまでの時間は、「Ｔ(ＬＣ)」の符号を用いて表される。駆動信号の電圧レベルが低い間、左シャッタは開き、左眼への映像光の透過量は大きくなる。
【００３７】
左シャッタの開閉タイミングは、シャッタ材料、眼鏡装置の設計の差異、製造過程で生じたばらつきに起因して変動する。加えて、典型的な左シャッタに用いられる液晶の動作特性は、使用環境の温度や眼鏡装置が蓄えている電力量（電源電圧値）に影響されることが知られている。
【００３８】
図２のセクション（ｆ）は、右眼への透過光量の変動を表す。右眼への透過光量の変動は、右シャッタの調整動作を反映している。右シャッタの調整動作は、右シャッタ用の駆動信号の電圧レベルの変動に依存する。例えば、駆動信号の電圧レベルが降下するならば、右シャッタは開き始める。右シャッタ用の同期制御信号の立ち上がりから右眼への透過光量が最大透過光量の５０％に増加するまでの時間は、「Ｔ(ＲＯ)」の符号を用いて表される。また、駆動信号の電圧レベルが上昇するならば、右シャッタは閉じ始める。右シャッタ用の同期制御信号の立ち上がりから、右眼への透過光量が最大透過光量の５０％に減少するまでの時間は、「Ｔ(ＲＣ)」の符号を用いて表される。駆動信号の電圧レベルが低い間、右シャッタは開き、右眼への映像光の透過量は大きくなる。
【００３９】
右シャッタの開閉タイミングは、シャッタ材料、眼鏡装置の設計の差異、製造過程で生じたばらつきに起因して変動する。加えて、典型的な右シャッタに用いられる液晶の動作特性は、使用環境の温度や眼鏡装置が蓄えている電力量（電源電圧値）に影響されることが知られている。
【００４０】
上述の如く、眼鏡装置による調整動作は、様々な因子によって変動される。図１を参照して説明された眼鏡装置１００の様々な要素（後述される）は、シャッタ部１１０の調整動作と調整動作に影響を与える影響因子との関係を表す特性データを利用して、同期制御信号の立ち上がりから左眼及び右眼への透過光量が５０％に増加或いは減少するのに要する時間のばらつきを抑制する。
【００４１】
図３は、眼鏡装置１００のハードウェア構成を表す概略的なブロック図である。図３を用いて、眼鏡装置１００のハードウェア構成が説明される。
【００４２】
眼鏡装置１００は、上述の如く、シャッタ部１１０、スイッチ素子１３０及び受信素子１５０を備える。シャッタ部１１０は、左シャッタ１１１及び右シャッタ１１２に加えて、これらを駆動するための駆動回路１１３を備える。表示装置が左フレーム画像を表示している間、駆動回路１１３は、左シャッタ１１１及び右シャッタ１１２へ印加する電圧値を調整し、左シャッタ１１１を開き、右シャッタ１１２を閉じる。表示装置が右フレーム画像を表示している間、駆動回路１１３は、左シャッタ１１１及び右シャッタ１１２へ印加する電圧値を調整し、左シャッタ１１１を閉じ、右シャッタ１１２を開く。
【００４３】
眼鏡装置１００は、駆動回路１１３を制御するためのＣＰＵ１４０を更に備える。受信素子１５０は、表示装置から受け取った同期制御信号をＣＰＵ１４０に出力する。表示装置が同期制御信号として、赤外線信号を送信するならば、受信素子１５０は、赤外線信号を電気信号に変換する。受信素子１５０は、電気信号をＣＰＵ１４０に出力する。表示装置が同期制御信号として、無線信号を送信するならば、受信素子１５０は、無線信号をＣＰＵ１４０が読み取ることができる形式に変換する。変換された信号は、ＣＰＵ１４０に出力される。
【００４４】
ＣＰＵ１４０は、受信素子１５０を通じて、取得した同期制御信号に応じて、駆動回路１１３を制御する。駆動回路１１３は、ＣＰＵ１４０の制御下で、表示装置の表示動作に同期して、左シャッタ１１１及び右シャッタ１１２を駆動することができる。本実施形態において、ＣＰＵ１４０は、第１制御部として例示される。
【００４５】
眼鏡装置１００は、ＣＰＵ１４０へ時刻に関する情報を出力するクロック１４１を更に備える。ＣＰＵ１４０は、クロック１４１からの時刻データに応じて、同期制御信号の受信時刻を見極めることができる。ＣＰＵ１４０は、同一の波形を有する同期制御信号の受信時刻に対して平均化処理を行ってもよい。ＣＰＵ１４０は、平均化処理後の受信時刻のデータに基づき、左シャッタ１１１及び右シャッタ１１２を開閉する時刻を決定してもよい。
【００４６】
眼鏡装置１００は、同期制御信号の受信時刻に関するデータを格納するメモリ１４２を更に備える。メモリ１４２には、上述の調整動作に関する特性データも格納される。ＣＰＵ１４０は、メモリ１４２に格納された特性データを参照し、左シャッタ１１１及び右シャッタ１１２を開閉する時刻を決定する。本実施形態において、メモリ１４２は、記憶部として例示される。
【００４７】
眼鏡装置１００は、駆動回路１１３に印加された電源電圧値を検出する電圧検出素子１４３を更に備える。電圧検出素子１４３は、駆動回路１１３に印加された電源電圧値に関するデータをＣＰＵ１４０に出力する。本実施形態において、メモリ１４２に格納された特性データは、駆動回路１１３に印加された電源電圧値と、左シャッタ１１１及び／又は右シャッタ１１２の応答速度（動作速度）との関係を表す。特性データは、後述される。
【００４８】
眼鏡装置１００は、電池１４４を更に備える。電池１４４が蓄える電力は、シャッタ部１１０、ＣＰＵ１４０、クロック１４１、メモリ１４２、電圧検出素子１４３及び受信素子１５０へ、スイッチ素子１３０を通じて供給される。使用者は、スイッチ素子１３０を操作し、電池１４４からこれらの要素への電力供給を制御することができる。本実施形態において、電池１４４は、電源部として例示される。
【００４９】
電池１４４が蓄える電力量は、駆動回路１１３に加わる電圧値に影響する。したがって、電圧検出素子１４３が検出する電圧値は、電池１４４に蓄えられている電力量を反映する。本実施形態において、電圧検出素子１４３は、電力検出部として例示される。本実施形態において、電池１４４に蓄えられている電力量は、電圧検出素子１４３によって検出された電圧値に代替されている。しかしながら、電池に蓄えられた電力量は、直接的に測定されてもよい。或いは、電池に蓄えられた電力量を反映する他の可変量が代替的に検出されてもよい。
【００５０】
シャッタ部１１０が調整動作を行うならば、電池１４４に蓄えられた電力は消費される。この結果、電池１４４の電力量は、徐々に低減する。本実施形態において、左シャッタ１１１及び右シャッタ１１２の動作速度は、電池１４４の電力量の低下に伴い、遅くなる。メモリ１４２に格納された特性データは、電池１４４の電力量の低下に伴って遅くなるシャッタ部１１０の動作速度の傾向を表す。ＣＰＵ１４０は、メモリ１４２に格納された特性データと電圧検出素子１４３が出力した電圧値に関するデータとを比較し、左眼及び右眼へ透過する映像光の量を増大及び減少させるタイミングを決定する。決定手法は、後述される。
【００５１】
図４は、特性データを取得するための測定システム９００の概略図である。図４を用いて、特性データの取得方法が説明される。
【００５２】
測定システム９００は、眼鏡装置１００の左シャッタ１１１又は右シャッタ１１２に向けて光を出射する単色ＬＥＤ９１０と、左シャッタ１１１又は右シャッタ１１２を透過した光の輝度を測定する輝度測定器９２０と、を備える。輝度測定器９２０は、眼鏡装置１００のメモリ１４２に、測定された輝度のデータを時間データとともに出力する。
【００５３】
測定システム９００は、眼鏡装置１００の駆動回路１１３に電力を供給する電源９３０と、駆動回路１１３へ印加される電圧を制御する印加制御部９４０と、を備える。電源９３０は、駆動回路１１３に印加される電圧レベルを可変にする。印加制御部９４０は、電源９３０による駆動回路１１３への電圧印加のタイミングを調整する。印加制御部９４０は、眼鏡装置１００のメモリ１４２に、電源９３０から出力される電圧のデータを時間データとともに出力する。尚、印加制御部９４０から出力される時間データは、輝度測定器９２０から出力される時間データと一致している。
【００５４】
図５Ａ及び図５Ｂは、測定システム９００を用いて測定された特性データを表す概略的なグラフである。図４乃至図５Ｂを用いて、特性データが説明される。
【００５５】
図５Ａは、電源９３０が高い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５６】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ１において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ１において、左シャッタ１１１又は右シャッタ１１２を通じて得られた輝度は、最大値の１０％となる。図５Ａには、時刻ＴＯ１と時刻ＴＤとの差分値「ΔＴＯＨ」及び時刻ＴＣ１と時刻ＴＵとの差分値「ΔＴＣＨ」が示されている。
【００５７】
図５Ｂは、電源９３０が低い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５８】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ２において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ２において、左シャッタ１１１又は右シャッタ１１２を通じて得られた輝度は、最大値の１０％となる。図５Ｂには、時刻ＴＯ２と時刻ＴＤとの差分値「ΔＴＯＬ」及び時刻ＴＣ１と時刻ＴＵとの差分値「ΔＴＣＬ」が示されている。本実施形態において、差分値「ΔＴＯＬ」は、図５Ａを参照して説明された差分値「ΔＴＯＨ」よりも大きい。また、差分値「ΔＴＣＬ」は、図５Ａを参照して説明された差分値「ΔＴＣＨ」よりも大きい。
【００５９】
メモリ１４２は、駆動回路１１３に印加された電圧のレベルに関連づけて、上述の差分値に関するデータを記憶してもよい。この結果、メモリ１４２に記憶されたデータは、電圧レベルの変動に対応した左シャッタ１１１及び右シャッタ１１２の応答遅れを表すことができる。特性データを用いた左シャッタ１１１及び右シャッタ１１２の制御は、後述される。
【００６０】
図６は、眼鏡装置１００の機能構成を表す概略的なブロック図である。図３及び図６を用いて、眼鏡装置１００が説明される。
【００６１】
眼鏡装置１００は、調整動作を司る作動部１６０と、作動部１６０が必要とする電力を供給する給電部１７０と、を備える。
【００６２】
給電部１７０は、電力を蓄える電源部１７１と、作動部１６０への電力供給を制御するための給電切替部１７２と、を備える。電源部１７１は、図３を参照して説明された電池１４４に相当する。給電切替部１７２は、図３を参照して説明されたスイッチ素子１３０に相当する。作動部１６０による調整動作、受信動作や信号処理動作の結果、電源部１７１に蓄えられた電力量は低減する。
【００６３】
作動部１６０は、調整動作を実行する光量調整部１６１を備える。光量調整部１６１は、左眼への透過光量を調整するための左調整部１６２と、右眼への透過光量を調整するための右調整部１６３と、左調整部１６２と右調整部１６３とを駆動するための駆動部１６４と、を備える。
【００６４】
表示装置が左フレーム画像を表示している間、駆動部１６４は、左調整部１６２を駆動し、左眼へ透過する映像光の量を増大させる。この間、駆動部１６４は、右調整部１６３に、右眼への低減された透過光量を維持させる。駆動部１６４は、左調整部１６２に、所定期間、左眼への増大された透過光量を維持させた後、左調整部１６２を動作させる。この結果、左調整部１６２は、左眼へ透過する映像光の量を低減させる。
【００６５】
表示装置が右フレーム画像を表示している間、駆動部１６４は、右調整部１６３を駆動し、右眼へ透過する映像光の量を増大させる。この間、駆動部１６４は、左調整部１６２に、左眼への低減された透過光量を維持させる。駆動部１６４は、右調整部１６３に、所定期間、右眼への増大された透過光量を維持させた後、右調整部１６３を動作させる。この結果、右調整部１６３は、右眼へ透過する映像光の量を低減させる。
【００６６】
本実施形態において、光量調整部１６１は、シャッタ部１１０に対応する。左調整部１６２は、左シャッタ１１１に対応する。右調整部１６３は、右シャッタ１１２に対応する。駆動部１６４は、駆動回路１１３に対応する。
【００６７】
左調整部１６２が、左眼への透過光量を増大させることは、左シャッタ１１１が開くことを意味する。左調整部１６２が、左眼への透過光量を減少させることは、左シャッタ１１１が閉じることを意味する。右調整部１６３が、右眼への透過光量を増大させることは、右シャッタ１１２が開くことを意味する。右調整部１６３が、右眼への透過光量を減少させることは、右シャッタ１１２が閉じることを意味する。
【００６８】
眼鏡装置１００は、表示装置からの同期制御信号を受信する受信部１６５を更に備える。受信部１６５は、図３を参照して説明された受信素子１５０に相当する。
【００６９】
眼鏡装置１００は、光量調整部１６１の駆動部１６４を制御する制御部１６６を更に備える。受信部１６５は、同期制御信号を制御部１６６へ出力する。例えば、制御部１６６は、同期制御信号の受信時刻を平均化処理し、同期制御信号によって規定される増大期間のタイミング（左調整部１６２が左眼への透過光量を増大させている期間のタイミング及び／又は右調整部１６３が右眼への透過光量を増大させている期間のタイミング）又は減少期間のタイミング（左調整部１６２が左眼への透過光量を減少させている期間のタイミング及び／又は右調整部１６３が右眼への透過光量を減少させている期間のタイミング）を見極めてもよい。制御部１６６は、上述の特性データと駆動部１６４に印加された電圧とを比較し、見極められた増大期間のタイミング又は減少期間のタイミングを補正する。制御部１６６は、補正された増大期間のタイミング又は減少期間のタイミングに基づき、駆動部１６４を制御する。この結果、駆動部１６４によって駆動される左調整部１６２及び右調整部１６３の調整動作が適切に制御される。制御部１６６は、図３を参照して説明されたＣＰＵ１４０及びクロック１４１に対応する。本実施形態において、制御部１６６は、第１制御部として例示される。
【００７０】
眼鏡装置１００は、駆動部１６４に印加される電圧レベルと光量調整部１６１の動作速度との関係を表す特性データを記憶する記憶部１６７と、駆動部１６４に印加されている電圧のレベルを検出する電圧検出部１６８と、を備える。本実施形態において、駆動部１６４に印加される電圧のレベルは、電源部１７１が蓄える電力量に依存する。したがって、電圧検出部１６８によって検出された駆動部１６４での電圧レベルは、電源部１７１が蓄える電力量を反映している。記憶部１６７は、図３を参照して説明されたメモリ１４２に相当する。電圧検出部１６８は、図３を参照して説明された電圧検出素子１４３に相当する。本実施形態において、電圧検出部１６８は、電力検出部として例示される。
【００７１】
制御部１６６は、記憶部１６７を参照し、駆動部１６４に印加される電圧レベルと光量調整部１６１の動作速度との関係を表す特性データを取得する。また、電圧検出部１６８は、制御部１６６に、駆動部１６４に印加されている電圧に関するデータを出力する。制御部１６６は、特性データと、電圧検出部１６８からの出力データと、を比較し、同期制御信号によって規定された変動タイミングを補正する。制御部１６６による補正処理は後述される。
【００７２】
（表示装置）
図７は、表示装置２００のハードウェア構成を表す概略的なブロック図である。図３及び図７を用いて、表示装置２００が説明される。
【００７３】
表示装置２００は、映像信号が入力される復号化ＩＣ２０１を備える。復号化ＩＣ２０１に入力される映像信号は、符号化されている。復号化ＩＣ２０１は、映像信号を復号化し、映像データを所定の様式で出力する。映像信号は、ＭＰＥＧ（Motion Picturre Experts Group）−２、ＭＰＥＧ−４やＨ２６４といった手法に従い符号化されてもよい。
【００７４】
表示装置２００は、映像信号処理ＩＣ２０２を更に備える。復号化ＩＣ２０１は、映像信号処理ＩＣ２０２に復号化された映像信号を出力する。映像信号処理ＩＣ２０２は、復号化された映像信号を処理し、立体映像を表示するための映像データを作り出す。例えば、映像信号処理ＩＣ２０２は、映像信号から、左フレーム画像に対応する映像データと、右フレーム画像に対応する映像データと、を抽出してもよい。映像信号処理ＩＣ２０２は、その後、左フレーム画像に対応する映像データと、右フレーム画像に対応する映像データと、交互に出力してもよい。代替的に、左フレーム画像に対応する映像データ及び右フレーム画像に対応する映像データは、復号化ＩＣ２０１から映像信号処理ＩＣ２０２へ出力される映像信号から自動的に生成されてもよい。映像信号処理ＩＣ２０２は、左フレーム画像に対応する映像データと、右フレーム画像に対応する映像データと、交互に出力してもよい。
【００７５】
表示装置２００は、左フレーム画像と右フレーム画像とを交互に表示するディスプレイパネル２０３を更に備える。映像信号処理ＩＣ２０２は、ディスプレイパネル２０３に対応する信号入力方式に従って、左フレーム画像及び右フレーム画像に対応する映像データを出力する。
【００７６】
映像信号処理ＩＣ２０２は、ディスプレイパネル２０３の特性に応じて、他の処理（例えば、色彩調整処理やフレームレートの調整処理）を行ってもよい。映像信号処理ＩＣ２０２が、復号化ＩＣ２０１が生成した映像データのフレーム間の映像を補間するならば、ディスプレイパネル２０３が表示する映像のフレームレートが増大することとなる。
【００７７】
表示装置２００は、眼鏡装置１００の受信素子１５０へ送信される同期制御信号を生成する送信制御ＩＣ２０４を更に備える。送信制御ＩＣ２０４が生成する同期制御信号は、ディスプレイパネル２０３に表示されるフレーム画像の表示の開始及び／又は終了を通知するために用いられる。上述の如く、眼鏡装置１００は、同期制御信号によって通知されるフレーム画像の表示の開始時刻及び／又は終了時刻を、左シャッタ１１１及び右シャッタ１１２が左眼及び右眼へ透過光量を増大又は減少させている期間のタイミング（増大期間又は減少期間のタイミング）の基準として利用する。眼鏡装置１００は、同期制御信号が規定した基準のタイミングを補正し、シャッタ部１１０の特性に応じたタイミングで左シャッタ１１１及び右シャッタ１１２を動作させる。
【００７８】
表示装置２００は、同期制御信号を送信するための送信素子２０５を更に備える。本実施形態において、送信素子２０５は、赤外線を発光する発光素子であってもよい。代替的に、送信素子２０５は、無線信号を送信可能な無線素子であってもよい。送信制御ＩＣ２０４は、送信素子２０５を制御する。送信素子２０５は、送信制御ＩＣ２０４の制御下で、同期制御信号を送信する。同期制御信号の送信は、左フレーム画像及び右フレーム画像の表示に同期される。
【００７９】
表示装置２００は、復号化ＩＣ２０１、映像信号処理ＩＣ２０２及び送信制御ＩＣ２０４を制御するＣＰＵ２０６を更に備える。ＣＰＵ２０６は、映像信号処理ＩＣ２０２及び送信制御ＩＣ２０４に対する制御を司るので、同期制御信号の送信を、左フレーム画像及び右フレーム画像の表示に適切に同期させることができる。
【００８０】
表示装置２００は、ＣＰＵ２０６が実行するプログラムを格納するメモリ２０７を更に備える。メモリ２０７は、ＣＰＵ２０６によるプログラムの実行に伴って発生したデータを記憶する領域として利用されてもよい。メモリ２０７として、揮発性のＲＡＭ（Random  Access  Memory）や不揮発性のＲＯＭ（Read  Only  Memory）が利用されてもよい。
【００８１】
表示装置２００は、ＣＰＵ２０６へクロック信号を供給するクロック２０８を更に備える。ＣＰＵ２０６は、クロック信号を利用して、同期制御信号の送信を、左フレーム画像及び右フレーム画像の表示に適切に同期させることができる。
【００８２】
図８は、表示装置２００の機能構成を表す概略的なブロック図である。図６乃至図８を用いて、表示装置２００が更に説明される。
【００８３】
表示装置２００は、映像信号が入力される入力部２１１を備える。入力部２１１に入力される映像信号は、符号化されている。入力部２１１は、映像信号を復号化し、映像データを所定の様式で出力する。映像信号は、ＭＰＥＧ（Motion Picturre Experts Group）−２、ＭＰＥＧ−４やＨ２６４といった手法に従い符号化されてもよい。入力部２１１は、図７を参照して説明された復号化ＩＣ２０１に相当する。
【００８４】
表示装置２００は、映像処理部２１２を更に備える。入力部２１１は、復号化された映像信号を映像処理部２１２へ出力する。映像処理部２１２は、映像信号に応じて、左フレーム画像及び右フレーム画像を表示するための映像データを生成する。映像処理部２１２は、図７を参照して説明された映像信号処理ＩＣ２０２に相当する。
【００８５】
表示装置２００は、表示部２１３を更に備える。映像処理部２１２は、左フレーム画像を表示するための映像データと、右フレーム画像を表示するための映像データと、を表示部２１３に交互に出力する。表示部２１３は、映像処理部２１２から受け取った映像データを用いて、左フレーム画像と右フレーム画像とを交互に表示する。
【００８６】
表示装置２００は、映像処理部２１２を制御する制御部２１６を更に備える。映像処理部２１２は、制御部２１６の制御下で、上述の映像信号の処理を行う。制御部２１６は、図７を参照して説明されたＣＰＵ２０６、メモリ２０７及びクロック２０８に相当する。
【００８７】
表示装置２００は、制御部２１６の制御下で、同期制御信号を生成する信号生成部２１４を更に備える。制御部２１６は、映像処理部２１２から表示部２１３への左フレーム画像のデータの出力に同期して、信号生成部２１４に、左フレーム画像の表示を通知するための同期制御信号を出力させる。制御部２１６は、映像処理部２１２から表示部２１３への右フレーム画像のデータの出力に同期して、信号生成部２１４に、右フレーム画像の表示を通知するための同期制御信号を出力させる。信号生成部２１４は、図７を参照して説明された送信制御ＩＣ２０４に相当する。
【００８８】
表示装置２００は、同期制御信号を送信するための送信部２１５を更に備える。信号生成部２１４は、同期制御信号を送信部２１５に出力する。送信部２１５は、眼鏡装置１００の受信部１６５へ同期制御信号を送信する。送信部２１５は、図７を参照して説明された送信素子２０５に相当する。
【００８９】
（補正処理）
図９は、眼鏡装置１００の制御部１６６による同期制御信号に対する処理を表す概略的な表である。図６、図８及び図９を用いて、同期制御信号に対する処理が説明される。
【００９０】
表示装置２００の信号生成部２１４が生成する同期制御信号は、左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、を生成してもよい。これらのコマンド信号は、互いに異なる波形を有する。眼鏡装置１００の制御部１６６は、コマンド信号の波形に基づき、コマンド信号による通知内容を把握することができる。
【００９１】
眼鏡装置１００の制御部１６６は、例えば、上述のコマンド信号の受信時刻からシャッタ部の透過光量が最大透過光量の５０％になるまでの時間に関するデータを、順次、記憶部１６７に格納する。図９には、記憶部１６７に格納された時刻データ（「ｔ１１」乃至「ｔｎ４」）が示されている。
【００９２】
左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、からなるコマンド信号の組（以下、コマンド信号組と称される）が、所定数、記憶部１６７に格納されると、制御部１６６は、同期制御信号によって規定される基準データを生成する。
【００９３】
コマンド信号組内で、左フレーム画像の表示終了を表すコマンド信号の受信時刻と左フレーム画像の表示開始との差分値が演算されてもよい。コマンド信号組内で、右フレーム画像の表示開始を表すコマンド信号の受信時刻と左フレーム画像の表示開始との差分値が演算されてもよい。コマンド信号組内で、右フレーム画像の表示終了を表すコマンド信号の受信時刻と左フレーム画像の表示開始との差分値が演算されてもよい。これらの演算から得られた差分値が平均化されるならば、左フレーム画像の表示開始を通知するコマンド信号の受信時刻を基準とした他のコマンド信号の受信時刻の平均値が算出される。
【００９４】
先行するコマンド信号組と後続のコマンド信号組との間で、左フレーム画像の表示開始を通知するコマンド信号の受信時刻の差分値が演算されてもよい。これらの差分値が平均化されるならば、コマンド信号組の平均的な受信周期が算出される。
【００９５】
制御部１６６は、上述の差分値の演算を用いて、同期制御信号によって規定される基準データを生成することができる。受信部１６５が、基準データから大きく外れた信号を受信するならば、制御部１６６は、受信部１６５によって受信された信号をノイズ信号として処理することができる。
【００９６】
図１０は、上述の演算によって得られた基準データを表す概略的なグラフである。図６、図８及び図１０を用いて、基準データが説明される。
【００９７】
眼鏡装置１００の制御部１６６による上述の処理の結果、制御部１６６は、時刻Ｔ１において左フレーム画像の表示が開始され、時刻Ｔ２において左フレーム画像の表示が終了することを見極める。制御部１６６は、時刻Ｔ３において右フレーム画像の表示が開始され、時刻Ｔ４において右フレーム画像の表示が終了することを見極める。時刻Ｔ１から時刻Ｔ２の期間は、同期制御信号によって規定されたタイミング（左眼用）として例示される。時刻Ｔ３から時刻Ｔ４の期間は、同期制御信号によって規定されたタイミング（右眼用）として例示される。
【００９８】
図１１は、眼鏡装置１００の記憶部１６７に記憶された特性データを表す概略的な表である。図５Ａ乃至図６並びに図１１を用いて、基準データに対する補正処理が説明される。
【００９９】
記憶部１６７には、図５Ａ及び図５Ｂを参照して説明された測定の結果から得られた特性データとして、駆動部１６４に印加された電圧のレベルと、電圧レベルに関連づけられた補正値が記憶されている。図１１において、電源部１７１に蓄えられた電力量が最大値であるときの電圧レベルは、「ＶＨ」の記号を用いて表されている。図１１において、電源部１７１に蓄えられた電力量が最小値（光量調整部１６１に調整動作を実行させることができる最小レベルの電力量）であるときの電圧レベルは、「ＶＬ」の記号を用いて表されている。
【０１００】
記憶部１６７は、電圧レベルＶＨに関連づけて、補正値ＣＨを記憶している。記憶部１６７は、電圧レベルＶＬに関連づけて、補正値ＣＬを記憶している。また、記憶部１６７、電圧レベルＶＨ，ＶＬの間の電圧レベルにそれぞれ関連づけて、複数の補正値（Ｃｎ乃至Ｃ１）を記憶している。本実施形態において、記憶部１６７に記憶された補正値は、電圧レベルと同様に、補正値ＣＬから補正値ＣＨに向けて徐々に大きくなっている。
【０１０１】
図１２は、眼鏡装置１００の制御部１６６による補正処理を概略的に表すグラフである。図５Ａ乃至図６並びに図１０乃至図１２を用いて、制御部１６６による補正処理が説明される。
【０１０２】
図１２に示される上側のグラフは、図１０を参照して説明された基準データを表す。図１２に示される中央のグラフは、電圧検出部１６８が電圧レベルＶＬを検出したときに、制御部１６６の制御下で駆動部１６４が左調整部１６２及び右調整部１６３へ出力する駆動信号の電圧レベルの変動を表す。図１２に示される下側のグラフは、電圧検出部１６８が電圧レベルＶＨを検出したときに、制御部１６６の制御下で駆動部１６４が左調整部１６２及び右調整部１６３へ出力する駆動信号の電圧レベルの変動を表す。
【０１０３】
制御部１６６は、電圧検出部１６８が検出した駆動部１６４における電圧レベルと、記憶部１６７に記憶された特性データと、を対比する。電圧検出部１６８が、「ＶＬ」の電圧レベルが検出されたことを表すデータを制御部１６６に出力するならば、制御部１６６は、記憶部１６７に記憶された特性データから、電圧レベルＶＬに対応する補正値ＣＬを用いて、基準データを補正することを決定する。電圧検出部１６８が、「ＶＨ」の電圧レベルが検出されたことを表すデータを制御部１６６に出力するならば、制御部１６６は、記憶部１６７に記憶された特性データから、電圧レベルＶＨに対応する補正値ＣＨを用いて、基準データを補正することを決定する。
【０１０４】
補正値ＣＬを用いて、基準データを補正することを決定した制御部１６６は、補正値ＣＬを、時刻Ｔ１，Ｔ２，Ｔ３，Ｔ４にそれぞれ加算する。補正値ＣＨを用いて、基準データを補正することを決定した制御部１６６は、補正値ＣＨを、時刻Ｔ１，Ｔ２，Ｔ３，Ｔ４にそれぞれ加算する。駆動部１６４は、制御部１６６の制御下で、補正値ＣＬ，ＣＨが加算された時刻に電圧を変動させ、左調整部１６２及び右調整部１６３をそれぞれ動作させる。図１１を参照して説明されたように、補正値ＣＬは、補正値ＣＨよりも小さいので、電圧検出部１６８が、「ＶＬ」の電圧レベルを検出したときの駆動信号の電圧レベルの変動は、電圧検出部１６８が、「ＶＨ」の電圧レベルを検出したときよりも早くなる。したがって、電圧検出部１６８が、「ＶＬ」の電圧レベルを検出したときの左調整部１６２及び右調整部１６３の始動は、電圧検出部１６８が、「ＶＨ」の電圧レベルを検出したときよりも早くなる。
【０１０５】
一方、図５Ａ及び図５Ｂに関連して説明された如く、電圧検出部１６８が、「ＶＬ」の電圧レベルを検出したときの左調整部１６２及び右調整部１６３の動作は、電圧検出部１６８が、「ＶＨ」の電圧レベルを検出したときよりも遅い。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、電源部１７１が蓄える電力量の変動は、左調整部１６２及び右調整部１６３の動作タイミングにほとんど影響しなくなる。
【０１０６】
本実施形態において、電圧レベルに応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１０７】
図５Ａ及び図５Ｂを参照して説明された如く、特性データは、左調整部１６２及び右調整部１６３に対して個別に取得される。したがって、眼鏡装置１００の固有の性質に応じた補正制御が達成される。即ち、異なる型式の眼鏡装置間の性能差はもちろんのこと、同一の型式の眼鏡装置間の性能差は、好適に緩和される。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１０８】
（映像システム）
図１３は、映像システム３００の概略図である。図１３を用いて、映像システム３００が説明される。
【０１０９】
映像システム３００は、眼鏡装置１００と表示装置２００とを備える。表示装置２００は、ディスプレイパネル２０３を用いて、左眼で観察される左フレーム画像と、右眼で観察される右フレーム画像と、を交互に表示する。表示装置２００は、送信素子２０５から、左眼及び右眼へ透過する映像光の量を増大又は減少させる変動タイミングを規定する同期制御信号を眼鏡装置１００へ送信する。眼鏡装置１００は、同期制御信号に応じて、左シャッタ１１１及び右シャッタ１１２を動作させる。上述の補正制御を通じて、シャッタ部１１０は、上述の補正制御を通じて、変動タイミングを適切に調整することができる。この結果、眼鏡装置１００は、左眼及び右眼へ入射する映像光の光量を適切に調整し、ディスプレイパネル２０３が表示する映像を、観察者に、立体的に知覚させることができる。
【０１１０】
本実施形態において、変動タイミングの調整は、専ら、眼鏡装置１００に依存する。したがって、表示装置２００と眼鏡装置１００との通信は、簡素化される。
【０１１１】
（眼鏡装置の制御方法）
図１４は、眼鏡装置１００の制御方法を表す概略的なフローチャートである。図１４を用いて、眼鏡装置１００の制御方法が説明される。
【０１１２】
（ステップＳ１１０）
ステップＳ１１０において、受信部１６５は、同期制御信号を受信する。同期制御信号の受信時刻や同期制御信号が通知する情報は、制御部１６６を通じて、記憶部１６７に記憶される。その後、ステップＳ１２０が実行される。
【０１１３】
（ステップＳ１２０）
ステップＳ１２０において、制御部１６６は、記憶部１６７が、基準データを生成するのに十分な量のデータを記憶したか否かを判定する。記憶部１６７に記憶されたデータ量が不十分であるならば、ステップＳ１１０が再度実行される。この結果、記憶部１６７が基準データを生成するのに十分な量のデータを記憶するまで、受信部１６５は、同期制御信号の受信を続けることとなる。
【０１１４】
記憶部１６７が基準データを生成するのに十分な量のデータを記憶しているならば、制御部１６６は、基準データを生成する。基準データは、上述の如く、同期制御信号によって規定される変動タイミングを表す。基準データの生成の後、ステップＳ１３０が実行される。
【０１１５】
（ステップＳ１３０）
ステップＳ１３０において、電圧検出部１６８は、駆動部１６４に印加された電圧を検出する。電圧検出部１６８は、制御部１６６に検出された電圧のデータを出力する。電圧データの出力の後、ステップＳ１４０が実行される。
【０１１６】
（ステップＳ１４０）
ステップＳ１４０において、制御部１６６は、記憶部１６７に記憶された特性データと、電圧検出部１６８から出力された電圧データと、を比較し、補正値を決定する。補正値の決定の後、ステップＳ１５０が実行される。
【０１１７】
（ステップＳ１５０）
ステップＳ１５０において、制御部１６６は、決定された補正値を用いて、基準データを補正し、補正データを生成する。補正データの生成の後、ステップＳ１６０が実行される。
【０１１８】
（ステップＳ１６０）
ステップＳ１６０において、制御部１６６は、補正データを用いて、駆動部１６４を制御する。この結果、駆動部１６４は、特性データと駆動部１６４に印加されている電圧レベルとに応じて適切に調整されたタイミングで、左調整部１６２及び右調整部１６３を駆動することができる。かくして、左調整部１６２及び右調整部１６３は、適切に調整された変動タイミングで、左眼及び右眼への透過光量を増大又は減少することができる。
【０１１９】
＜第２実施形態＞
図１５は、第２実施形態の眼鏡装置１００Ａの機能構成を表す概略的なブロック図である。第１実施形態と同一の要素に対して、同一の符号が付されている。同一の符号が付された要素に対して、第１実施形態の説明が援用される。第１実施形態と第２実施形態との間の差異が以下に説明される。
【０１２０】
眼鏡装置１００Ａは、第１実施形態に関連して説明された給電部１７０に加えて、作動部１６０Ａを備える。作動部１６０Ａは、第１実施形態に関連して説明された受信部１６５及び光量調整部１６１に加えて、制御部１６６Ａ、記憶部１６７Ａ及び温度検出部１６８Ａを備える。
【０１２１】
左調整部１６２及び右調整部１６３が液晶を用いて形成されるならば、左調整部１６２及び右調整部１６３の応答速度（動作速度）は、映像が観察される環境の温度に応じて変動することもある。特に、左調整部１６２及び右調整部１６３の応答速度は、周囲温度の影響を受けやすい。したがって、本実施形態において、温度検出部１６８Ａは、環境温度として、駆動部１６４の温度を検出する。温度検出部１６８Ａとして、一般的な温度センサが好適に利用可能である。
【０１２２】
図１６は、記憶部１６７Ａに記憶される特性データを概略的に表す表である。図１５及び図１６を用いて、眼鏡装置１００Ａが更に説明される。
【０１２３】
記憶部１６７Ａには、温度検出部１６８Ａが検出すると想定される最大温度ＴＭＰＨ及び最小温度ＴＭＰＬ並びに最大温度ＴＭＰＨと最小温度ＴＭＰＬとの間のいくつかの温度に関する温度データと、温度データに関連づけて記憶された補正値のデータが記憶される。本実施形態において、最大温度ＴＭＰＨに対応する補正値ＣＨが最も大きく、最小温度ＴＭＰＬに対応する補正値ＣＨが最も小さい。検出される温度が低くなるにつれて、対応する補正値は小さく設定される。
【０１２４】
補正値は、駆動部１６４の温度（即ち、映像が観察される環境の温度）と左調整部１６２及び右調整部１６３の動作速度との関係に応じて定められる。眼鏡装置１００Ａの動作特性が、様々な温度環境下で調査され、補正値が決定されることが好ましい。この結果、記憶部１６７Ａには、眼鏡装置１００Ａの固有の特性データが格納される。
【０１２５】
制御部１６６Ａは、記憶部１６７Ａに格納された特性データと、温度検出部１６８Ａから出力される温度データと、を対比し、駆動部１６４の温度に応じた補正値を決定する。
【０１２６】
図１７は、制御部１６６Ａによる補正処理を概略的に表すグラフである。図１５乃至図１７を用いて、制御部１６６Ａによる補正処理が説明される。
【０１２７】
図１７に示される上側のグラフは、基準データを表す。第１実施形態に関連して説明された手法に従って、制御部１６６Ａは、受信部１６５が受信した同期制御信号を用いて基準データを生成する。
【０１２８】
図１７に示される中央のグラフは、温度検出部１６８Ａが最小温度ＴＭＰＬを検出したときに、制御部１６６Ａの制御下で駆動部１６４が左調整部１６２及び右調整部１６３へ出力する駆動信号の電圧レベルの変動を表す。図１７に示される下側のグラフは、温度検出部１６８Ａが最大温度ＴＭＰＨを検出したときに、制御部１６６Ａの制御下で駆動部１６４が左調整部１６２及び右調整部１６３へ出力する駆動信号の電圧レベルの変動を表す。
【０１２９】
制御部１６６Ａは、温度検出部１６８Ａが検出した駆動部１６４における検出温度と、記憶部１６７Ａに記憶された特性データと、を対比する。温度検出部１６８Ａが、「ＴＭＰＬ」の温度が検出されたことを表すデータを制御部１６６Ａに出力するならば、制御部１６６Ａは、記憶部１６７Ａに記憶された特性データから、温度ＴＭＰＬに対応する補正値ＣＬを用いて、基準データを補正することを決定する。温度検出部１６８Ａが、「ＴＭＰＨ」の電圧レベルが検出されたことを表すデータを制御部１６６Ａに出力するならば、制御部１６６Ａは、記憶部１６７Ａに記憶された特性データから、温度ＴＭＰＨに対応する補正値ＣＨを用いて、基準データを補正することを決定する。
【０１３０】
補正値ＣＬを用いて、基準データを補正することを決定した制御部１６６Ａは、補正値ＣＬを、時刻Ｔ１，Ｔ２，Ｔ３，Ｔ４にそれぞれ加算する。補正値ＣＨを用いて、基準データを補正することを決定した制御部１６６Ａは、補正値ＣＨを、時刻Ｔ１，Ｔ２，Ｔ３，Ｔ４にそれぞれ加算する。駆動部１６４は、制御部１６６Ａの制御下で、補正値ＣＬ，ＣＨが加算された時刻に電圧を変動させ、左調整部１６２及び右調整部１６３をそれぞれ動作させる。この結果、左眼及び右眼への透過光量が増大する期間のタイミング（増大期間のタイミング）又は透過光量が減少する期間のタイミング（減少期間のタイミング）は、温度に応じた補正量だけ調整される。本実施形態において、制御部１６６Ａは、第１制御部として例示される。
【０１３１】
図１６を参照して説明されたように、補正値ＣＬは、補正値ＣＨよりも小さいので、温度検出部１６８Ａが、「ＴＭＰＬ」の温度を検出したときの駆動信号の電圧レベルの変動は、温度検出部１６８Ａが、「ＴＭＰＨ」の温度を検出したときよりも早くなる。したがって、温度検出部１６８Ａが、「ＴＭＰＬ」の温度を検出したときの左調整部１６２及び右調整部１６３の始動は、温度検出部１６８Ａが、「ＴＭＰＨ」の電圧レベルを検出したときよりも早くなる。
【０１３２】
左調整部１６２及び右調整部１６３が液晶を用いて形成されるならば、一般的に、環境温度が低くなるほど、左調整部１６２及び右調整部１６３の動作は遅くなる傾向がある。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、光量調整部１６１における温度の変動は、左調整部１６２及び右調整部１６３の動作タイミングにほとんど影響しなくなる。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１３３】
本実施形態において、環境温度に応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１３４】
変動タイミングに対する補正は、第１実施形態に関連して説明された電圧検出と第２実施形態に関連して説明された温度検出とに基づいて実行されてもよい。
【０１３５】
＜第３実施形態＞
図１８は、第３実施形態の眼鏡装置１００Ｂの機能構成を表す概略的なブロック図である。第２実施形態と同一の要素に対して、同一の符号が付されている。同一の符号が付された要素に対して、第２実施形態の説明が援用される。第２実施形態と第３実施形態との間の差異が以下に説明される。
【０１３６】
眼鏡装置１００Ｂは、第２実施形態に関連して説明された給電部１７０に加えて、作動部１６０Ｂを備える。作動部１６０Ｂは、第２実施形態に関連して説明された受信部１６５、光量調整部１６１及び記憶部１６７Ａに加えて、制御部１６６Ｂを備える。制御部１６６Ｂは、給電部１７０が作動部１６０Ｂへ給電を開始した時刻からの経過時間（以下、給電期間と称される）を測定する計時部１６８Ｂを備える。計時部１６８Ｂとして、図３に関連して説明されたクロック１４１が用いられてもよい。
【０１３７】
図１９は、給電期間と駆動部１６４の温度との関係を表す概略的なグラフである。図１６、図１８及び図１９を用いて、眼鏡装置１００Ｂが更に説明される。
【０１３８】
給電部１７０から作動部１６０Ｂへの給電に伴って、駆動部１６４の温度は、徐々に上昇する。給電期間と駆動部１６４の温度上昇との関係は、眼鏡装置１００Ｂに対して個別に調査されている。制御部１６６Ｂは、計時部１６８Ｂが測定した給電期間と、図１９に示される給電期間と温度上昇との相関と、に基づいて、駆動部１６４の温度を推定することができる。
【０１３９】
記憶部１６７Ａには、図１６を参照して説明された特性データが格納されている。制御部１６６Ｂは、推定された温度と、特性データと、を対比し、補正量を決定する。その後、制御部１６６Ｂは、第２実施形態に関連して説明された手法に従って、変動タイミングを調整する。本実施形態において、制御部１６６Ｂは、第１制御部として例示される。また、計時部１６８Ｂは、温度検出部として例示される。
【０１４０】
本実施形態の眼鏡装置１００Ｂは、駆動部１６４の温度を直接的に検出するための検出素子を必要としない。計時部１６８Ｂは、クロック信号を利用して給電期間に関する情報を取得するプログラムであってもよい。したがって、眼鏡装置１００Ｂの物理的な構造は、第２実施形態と比べて、簡素化される。
【０１４１】
＜第４実施形態＞
（表示装置）
図２０は、第４実施形態の表示装置２００Ｃの機能構成を表す概略的なブロック図である。第１実施形態と同一の要素に対して、同一の符号が付されている。同一の符号が付された要素に対して、第１実施形態の説明が援用される。第１実施形態と第４実施形態との間の差異が以下に説明される。
【０１４２】
表示装置２００Ｃは、第１実施形態に関連して説明された入力部２１１、映像処理部２１２及び表示部２１３を備える。入力部２１１には、映像信号が入力される。映像処理部２１２は、入力部２１１を通じて受け取った映像信号に応じて、左眼で観察される左フレーム画像及び右眼で観察される右フレーム画像のデータを表示部２１３に交互に出力する。表示部２１３は、映像処理部２１２からの出力に応じて、左フレーム画像と右フレーム画像とを交互に表示する。この結果、観察者は、表示部２１３に表示された映像を立体的に知覚することができる。
【０１４３】
表示装置２００Ｃは、映像処理部２１２を制御する制御部２１６Ｃを更に備える。制御部２１６Ｃは、左フレーム画像及び右フレーム画像の表示タイミングを決定する。表示部２１３は、決定された表示タイミングで、左フレーム画像と右フレーム画像とを、順次、表示する。本実施形態において、制御部２１６Ｃは、第２制御部として例示される。
【０１４４】
表示装置２００Ｃは、左フレーム画像及び右フレーム画像の表示タイミングを通知するための同期制御信号を、制御部２１６Ｃの制御下で生成する信号生成部２１４Ｃを更に備える。第１実施形態と異なり、信号生成部２１４Ｃが生成する同期制御信号が通知する表示タイミングの情報は、制御部２１６Ｃが、映像処理部２１２に対して決定した表示タイミングを基準に補正されている。表示タイミングの補正は、後述される。
【０１４５】
表示装置２００Ｃは、同期制御信号を送信する通信部２１５Ｃを更に備える。本実施形態において、信号生成部２１４Ｃは、好ましくは、同期制御信号として、無線信号を生成する。通信部２１５Ｃは、同期制御信号として生成された無線信号を送信する。本実施形態において、信号生成部２１４Ｃ及び通信部２１５Ｃは、制御信号通信部として例示される。通信部２１５Ｃとして、図７に関連して説明された送信素子２０５が用いられてもよい。
【０１４６】
表示装置２００Ｃは、映像が観察される環境の温度を検出するための温度検出部２１７を更に備える。温度検出部２１７が検出した温度のデータは、制御部２１６Ｃに出力される。制御部２１６Ｃは、温度データを用いて、表示タイミングを補正する。温度検出部２１７として、一般的な温度センサが好適に利用される。
【０１４７】
（映像システム）
図２１は、映像システム３００Ｃの概略図である。図２０及び図２１を用いて、映像システム３００Ｃが説明される。
【０１４８】
映像システム３００Ｃは、表示装置２００Ｃと眼鏡装置１００Ｃとを備える。通信部２１５Ｃは、眼鏡装置１００Ｃへ同期制御信号を送信する。眼鏡装置１００Ｃは、同期制御信号に応じて、左眼及び右眼へ透過する映像光の量を増大又は減少させる変動タイミングが、表示部２１３によって表示される左フレーム画像及び右フレーム画像の表示と同期するように、調整動作を行う。第１実施形態とは異なり、表示装置２００Ｃから送信される同期制御信号が含む表示タイミングに関する情報は、補正されているので、眼鏡装置１００Ｃが行う補正のための演算処理は軽減される。
【０１４９】
眼鏡装置１００Ｃは、表示装置２００Ｃに、眼鏡装置１００Ｃが実行する調整動作に関する特性データを送信する。表示装置２００Ｃの通信部２１５Ｃは、特性データを受信する。特性データは、後述される。
【０１５０】
通信部２１５Ｃは、受信された特性データを制御部２１６Ｃに出力する。制御部２１６Ｃは、通信部２１５Ｃからの特性データを記憶する記憶部２１８を備える。したがって、制御部２１６Ｃは、特性データを保持し続けることができる。記憶部２１８として、図７に関連して説明されたメモリ２０７が用いられてもよい。
【０１５１】
制御部２１６Ｃは、特性データと温度検出部２１７から出力された温度データとを用いて、映像処理部２１２に対して決定した表示タイミングを補正する。制御部２１６Ｃは、補正された表示タイミングを用いて、信号生成部２１４Ｃを制御する。この結果、信号生成部２１４Ｃによって生成された同期制御信号は、補正された表示タイミングに関する情報を含むこととなる。
【０１５２】
本実施形態において、表示装置２００Ｃと眼鏡装置１００Ｃとの間で、Bluetooth（登録商標）、ZigBeeやWiFiといった通信方式に従うパケット通信が実行される。尚、表示装置２００Ｃと眼鏡装置１００Ｃとの間の通信方式は、本実施形態の原理を何ら限定しない。
【０１５３】
図２２は、表示装置２００Ｃと眼鏡装置１００Ｃとの間の通信に用いられるパケット構造の概略図である。尚、図２２に示されるパケット構造は、Bluetooth（登録商標）に基づく。尚、パケット構造は、本実施形態の原理を何ら限定しない。図２０乃至図２２を用いて、表示装置２００Ｃと眼鏡装置１００Ｃとの間の通信が説明される。
【０１５４】
パケット構造は、ペイロードヘッダ、ペイロードボディ及びＣＲＣを含む。表示装置２００Ｃが眼鏡装置１００Ｃに送信する同期制御信号のペイロードボディには、補正された表示タイミングに関するタイミング情報が含まれる。また、眼鏡装置１００Ｃが表示装置２００Ｃに送信する特性データも、ペイロードボディに含まれる。
【０１５５】
表示装置２００Ｃの制御部２１６Ｃは、信号生成部２１４Ｃを制御し、記憶部２１８に格納された特性データや温度検出部２１７から出力された温度データに応じて、ペイロードボディに格納されたタイミング情報を変更してもよい。代替的に、制御部２１６Ｃは、信号生成部２１４Ｃ及び通信部２１５Ｃを制御し、記憶部２１８に格納された特性データや温度検出部２１７から出力された温度データに応じて、同期制御信号の送信タイミングを変更してもよい。
【０１５６】
（眼鏡装置）
図２３は、眼鏡装置１００Ｃの機能構成を表す概略的なブロック図である。図２０及び図２３を用いて、眼鏡装置１００Ｃが説明される。
【０１５７】
眼鏡装置１００Ｃは、第１実施形態に関連して説明された給電部１７０に加えて、作動部１６０Ｃを備える。作動部１６０Ｃは、第１実施形態に関連して説明された光量調整部１６１と、電圧検出部１６８と、を備える。光量調整部１６１は、左調整部１６２と右調整部１６３とを用いて、左眼及び右眼へ透過する映像光の量を調整するための調整動作を実行する。給電部１７０は、光量調整部１６１による調整動作のために用いられる電力を蓄える電源部１７１と、電源部１７１からの給電を制御するための給電切替部１７２と、を備える。電圧検出部１６８は、左調整部１６２と右調整部１６３とを駆動する駆動部１６４に印加された電圧を検出する。第１実施形態に関連して説明されたように、駆動部１６４に印加される電圧は、電源部１７１に蓄えられた電力量を反映する。したがって、電圧検出部１６８による電圧の検出は、電源部１７１が蓄える電力量を検出することを意味する。
【０１５８】
眼鏡装置１００Ｃは、特性データを記憶する記憶部１６７Ｃを更に備える。電圧検出部１６８が検出した電圧のデータ及び図２０を参照して説明された温度検出部２１７が検出した温度のデータは、表示装置２００Ｃの制御部２１６Ｃによる補正処理に用いられる。記憶部１６７Ｃは、環境温度と光量調整部１６１による調整動作との関係並びに駆動部１６４に印加される電圧と光量調整部１６１による調整動作との関係を表す特性データを記憶する。
【０１５９】
眼鏡装置１００Ｃは、駆動部１６４を、表示装置２００Ｃから送信された同期制御信号に応じて制御する制御部１６６Ｃを更に備える。第１実施形態と異なり、同期制御信号が含む表示タイミングの情報は、表示装置２００Ｃによって補正されているので、眼鏡装置１００Ｃの制御部１６６Ｃは、同期制御信号に対する補正処理のための演算を実行する必要はない。本実施形態において、眼鏡装置１００Ｃの制御部１６６Ｃは、第１制御部として例示される。
【０１６０】
眼鏡装置１００Ｃは、同期制御信号を受信する通信部１６５Ｃを更に備える。通信部１６５Ｃは、制御部１６６Ｃに同期制御信号を出力する。制御部１６６Ｃは、同期制御信号に応じて、駆動部１６４を制御する。この結果、左調整部１６２及び右調整部１６３は、左眼及び右眼への透過光量を適切に調整することができる。
【０１６１】
制御部１６６Ｃは、記憶部１６７Ｃに記憶された特性データを読み出す。通信部１６５Ｃは、その後、特性データを表示装置２００Ｃに送信する。表示装置２００Ｃの通信部２１５Ｃは、特性データを受信する。特性データは、表示装置２００Ｃの制御部２１６Ｃが備える記憶部２１８に記憶される。本実施形態において、眼鏡装置１００Ｃの通信部１６５Ｃは、データ通信部として例示される。
【０１６２】
（特性データ）
図２４Ａは、眼鏡装置１００Ｃの記憶部１６７Ｃに記憶された特性データを例示する表である。図２４Ｂは、任意の検出温度下における光量調整部１６１の動作速度を表す概略的なグラフである。図２０、図２３乃至図２４Ｂを用いて、特性データが説明される。
【０１６３】
図２４Ｂのグラフは、任意の温度ＴＥＭＰｎ（ｎは、自然数）における透過光量の変動を表す。図２４Ｂにおいて、左調整部１６２又は右調整部１６３が達成する最小の透過光量は、符号「Ａｍｉｎ」を用いて表されている。図２４Ｂにおいて、左調整部１６２又は右調整部１６３が達成する最大の透過光量は、符号「Ａｍａｘ」を用いて表されている。
【０１６４】
図２４Ａの表に表される「上昇時間」は、最小の透過光量「Ａｍｉｎ」から最大の透過光量「Ａｍａｘ」に到達するのに要する期間を表す。図２４Ａの表に表される「下降時間」は、最大の透過光量「Ａｍａｘ」から最小の透過光量「Ａｍｉｎ」に到達するのに要する期間を表す。
【０１６５】
記憶部１６７Ｃは、表示装置２００Ｃの温度検出部２１７によって検出される環境温度（ＴＥＭＰ１、ＴＥＭＰ２、ＴＥＭＰ３・・・・ＴＥＭＰｎ）と、これらの温度に対応する上昇時間（ＴＲＴ１、ＴＲＴ２、ＴＲＴ３・・・・ＴＲＴｎ）及び下降時間（ＴＦＴ１、ＴＦＴ２、ＴＦＴ３・・・・・ＴＦＴｎ）と、を関連づけて記憶する。
【０１６６】
図２５Ａは、眼鏡装置１００Ｃの記憶部１６７Ｃに記憶された特性データを例示する表である。図２５Ｂは、任意の検出電圧下における光量調整部１６１の動作速度を表す概略的なグラフである。図２０、図２３、図２５Ａ及び図２５Ｂを用いて、特性データが説明される。
【０１６７】
図２５Ｂのグラフは、任意の電圧ＶＯＬＴｎ（ｎは、自然数）における透過光量の変動を表す。図２５Ｂにおいて、左調整部１６２又は右調整部１６３が達成する最小の透過光量は、符号「Ａｍｉｎ」を用いて表されている。図２５Ｂにおいて、左調整部１６２又は右調整部１６３が達成する最大の透過光量は、符号「Ａｍａｘ」を用いて表されている。
【０１６８】
図２５Ａの表に表される「上昇時間」は、最小の透過光量「Ａｍｉｎ」から最大の透過光量「Ａｍａｘ」に到達するのに要する期間を表す。図２５Ａの表に表される「下降時間」は、最大の透過光量「Ａｍａｘ」から最小の透過光量「Ａｍｉｎ」に到達するのに要する期間を表す。
【０１６９】
記憶部１６７Ｃは、眼鏡装置１００Ｃの電圧検出部１６８によって検出される電圧（ＶＯＬＴ１、ＶＯＬＴ２、ＶＯＬＴ３・・・・ＶＯＬＴｎ）と、これらの温度に対応する上昇時間（ＴＲＶ１、ＴＲＶ２、ＴＲＶ３・・・・ＴＲＶｎ）及び下降時間（ＴＦＶ１、ＴＦＶ２、ＴＦＶ３・・・・・ＴＦＶｎ）と、を関連づけて記憶する。
【０１７０】
図２６は、眼鏡装置１００Ｃの制御部１６６Ｃによって作成されるデータ列構造の概略図である。図２０、図２２、図２３、図２４Ａ及び図２５Ａを用いて、データ列構造が説明される。
【０１７１】
記憶部１６７Ｃに記憶された特性データを読み出した制御部１６６Ｃは、表示装置２００Ｃへ特性データを送信するためにパケット信号を生成する。図２４Ａ及び図２５Ａの表で表されたデータは、パケット構造のペイロードボディに組み込まれる。図２６に示されるデータ列構造は、ペイロードボディに組み込まれるデータ列の構造を概略的に表す。尚、データ列の構造は、本実施形態の原理を何ら限定しない。
【０１７２】
図２６に示されるデータ構造列１は、図２４Ａ及び図２５Ａの表の行ごとに読み取られ、整列されたデータを含む。データ構造列２は、図２４Ａ及び図２５Ａの表の列ごとに読み取られ、整列されたデータを含む。制御部１６６Ｃは、図２６に例示されるデータ構造列で表される情報を含むパケット信号を生成する。眼鏡装置１００Ｃの通信部１６５Ｃは、制御部１６６Ｃが生成したパケット信号を表示装置２００Ｃへ送信する。
【０１７３】
表示装置２００Ｃの通信部２１５Ｃは、パケット信号を受信する。表示装置２００Ｃの制御部２１６Ｃは、パケット信号が含むデータ構造列を解釈し、記憶部２１８に特性データを記憶する。
【０１７４】
図２４Ａに示される特性データは、複数の検出電圧に対応して作成されることが好ましい。また、図２５Ａに示される特性データは、複数の検出温度に対応して作成されることが好ましい。この結果、表示装置２００Ｃは、温度検出部２１７が検出した温度と電圧検出部１６８が検出した温度との組み合わせに関連づけられた上昇時間及び下降時間を決定することができる。
【０１７５】
図２４Ａに示される特性データが、複数の検出電圧に対応して作成され、及び／又は、図２５Ａに示される特性データが、複数の検出温度に対応して作成されるならば、データ列構造が長すぎ、１つのパケット信号に収まらないこともある。この場合、眼鏡装置１００Ｃの通信部１６５Ｃは、データ列構造を分割し、複数のパケット信号を用いて、特性データを送信してもよい。
【０１７６】
上述の如く、電圧検出部１６８は、駆動部１６４に印加された電圧を検出する。電圧検出部１６８は、検出された電圧に関するデータを制御部１６６Ｃに出力する。上述の特性データを送信するためのパケット信号の生成の後、制御部１６６Ｃは、検出された電圧の情報を含むパケット信号を生成する。眼鏡装置１００Ｃの通信部１６５Ｃは、検出された電圧の情報を含むパケット信号を表示装置２００Ｃへ送信する。
【０１７７】
表示装置２００Ｃの通信部２１５Ｃは、電圧検出部１６８が検出した電圧の情報を含むパケット信号を受信する。通信部２１５Ｃは、その後、検出された電圧の情報を制御部２１６Ｃに出力する。
【０１７８】
温度検出部２１７は、上述の如く、環境温度に関するデータを制御部２１６Ｃに出力する。したがって、制御部２１６Ｃには、眼鏡装置１００Ｃの電圧検出部１６８が検出した電圧に関する情報及び表示装置２００Ｃの温度検出部２１７が検出した環境温度に関する情報が入力される。
【０１７９】
制御部２１６Ｃは、上述の特性データと、眼鏡装置１００Ｃの電圧検出部１６８が検出した電圧に関する情報及び表示装置２００Ｃの温度検出部２１７が検出した環境温度に関する情報と、を対比し、映像処理部２１２に対して決定した表示タイミングを補正する。
【０１８０】
本実施形態において、上昇時間及び下降時間は、最大の透過光量と最小の透過光量との間での変動期間として定義されている。代替的に、上昇時間及び下降時間は、他の定義に従ってもよい。例えば、上昇時間及び下降時間は、最大の透過光量の９０％と最大の透過光量の１０％との間での変動期間として定義されてもよい。
【０１８１】
（変動タイミングの補正）
図２７は、左眼及び右眼への透過光量を増大させる期間のタイミングの補正を表す概略的なタイミングチャートである。図２０、図２３、図２４Ａ、図２５Ａ及び図２７を用いて、左眼及び右眼への透過光量を増大させる期間のタイミングの補正が説明される。
【０１８２】
図２７のセクション（ａ）は、左フレーム画像が表示される左フレーム期間と、右フレーム画像が表示される右フレーム期間と、を表す。映像処理部２１２を制御する制御部２１６Ｃは、左フレーム期間と右フレーム期間とを交互に規定する。制御部２１６Ｃは、左フレーム期間に左フレーム画像のデータが映像処理部２１２から表示部２１３へ出力されるように、映像処理部２１２を制御する。制御部２１６Ｃは、右フレーム期間に右フレーム画像のデータが映像処理部２１２から表示部２１３へ出力されるように、映像処理部２１２を制御する。この結果、表示部２１３は、左フレーム期間に左フレーム画像を表示し、右フレーム期間に右フレーム画像を表示する。
【０１８３】
図２７のセクション（ｂ）及びセクション（ｃ）は、表示装置２００Ｃの制御部２１６Ｃによって設定される増大期間（左眼及び右眼への透過光量が増大している期間）のタイミングを表す。図２７のセクション（ｂ）は、温度検出部２１７から取得した温度データが「ＴＥＭＰ１」であり、且つ、眼鏡装置１００Ｃから送られた電圧データが「ＶＯＬＴ１」であるときに設定された増大期間のタイミングを表す。図２７のセクション（ｃ）は、温度検出部２１７から取得した温度データが「ＴＥＭＰ３」であり、且つ、眼鏡装置１００Ｃから送られた電圧データが「ＶＯＬＴ３」であるときに設定された増大期間のタイミングを表す。
【０１８４】
「ＴＥＭＰ１」と「ＶＯＬＴ１」との組み合わせの条件と「ＴＥＭＰ３」と「ＶＯＬＴ３」との組み合わせの条件との間において、図２４Ａ及び図２５Ａを参照して説明された上昇時間及び下降時間は異なる。したがって、制御部２１６Ｃは、信号生成部２１４を制御し、両条件間において、透過光量を増大させる増大期間に関し、互いに異なる情報を含む同期制御信号を生成する。本実施形態において、「ＴＥＭＰ３」と「ＶＯＬＴ３」との組み合わせの条件の下で生成された同期制御信号は、増大期間に関して、「ＴＥＭＰ１」と「ＶＯＬＴ１」との組み合わせの条件の下で生成された同期制御信号よりも遅いタイミングを通知するための情報を含む。
【０１８５】
図２７のセクション（ｄ）及びセクション（ｅ）は、眼鏡装置１００Ｃの光量調整部１６１による調整動作によって規定される実際の増大期間のタイミングを表す。図２７のセクション（ｄ）は、図２７のセクション（ｂ）を参照して説明された設定の下で得られた増大期間を表す。図２７のセクション（ｅ）は、図２７のセクション（ｃ）を参照して説明された設定の下で得られた増大期間を表す。
【０１８６】
光量調整部１６１は、「ＴＥＭＰ３」と「ＶＯＬＴ３」との組み合わせの条件の下において、「ＴＥＭＰ１」と「ＶＯＬＴ１」との組み合わせの条件下よりも、同期制御信号に対して速く応答することができる。したがって、図２７のセクション（ｂ）及びセクション（ｃ）に関連して説明された設定の差異は、光量調整部１６１の動作速度の変動によって略相殺される。したがって、図２７のセクション（ｄ）及びセクション（ｅ）に示される増大期間のタイミングは、略等しくなる。したがって、眼鏡装置１００Ｃは、様々な環境温度の条件及び様々な蓄電量の条件の下において、同期制御信号に対して安定した応答動作を実行することができる。本実施形態において、増大期間のタイミングが調整されている。代替的に、透過光量が減少されている減少期間が調整処理の対象として取り扱われてもよい。
【０１８７】
（映像システムの制御方法）
図２８は、映像システム３００Ｃの制御方法を表す概略的なフローチャートである。図２０、図２１、図２３及び図２８を用いて、映像システム３００Ｃの制御方法が説明される。
【０１８８】
（ステップＳ２０５）
ステップＳ２０５において、眼鏡装置１００Ｃの給電部１７０は、作動部１６０Ｃに給電を開始する。この結果、作動部１６０Ｃの様々な要素が動作可能となる。作動部１６０Ｃへの給電の後、ステップＳ２１０が実行される。
【０１８９】
（ステップＳ２１０）
ステップＳ２１０において、眼鏡装置１００Ｃの制御部１６６Ｃは、給電の開始に応じて、眼鏡装置１００Ｃと通信可能な表示装置２００Ｃを検索するための検索信号を生成する。検索信号は、眼鏡装置１００Ｃ自身の通信アドレスに関する情報を含む。眼鏡装置１００Ｃの通信部１６５Ｃは、検索信号を送信する。検索信号の送信の後、表示装置２００Ｃは、ステップＳ２１５を実行する。
【０１９０】
（ステップＳ２１５）
ステップＳ２１５において、表示装置２００Ｃの通信部２１５Ｃは、検索信号を受信する。通信部２１５Ｃは、検索信号の受信を、眼鏡装置１００Ｃの通信アドレスに関する情報とともに制御部２１６Ｃへ通知する。その後、表示装置２００Ｃは、ステップＳ２２０を実行する。
【０１９１】
（ステップＳ２２０）
ステップＳ２２０において、表示装置２００Ｃの制御部２１６Ｃは、信号生成部２１４Ｃを制御し、検索信号に応答するための応答信号を生成する。信号生成部２１４Ｃによって生成された応答信号は、表示装置２００Ｃ自身の通信アドレスに関する情報を含む。通信部２１５Ｃは、眼鏡装置１００Ｃの通信アドレスに応答信号を送信する。応答信号の送信の後、眼鏡装置１００Ｃは、ステップＳ２２５を実行する。
【０１９２】
（ステップＳ２２５）
ステップＳ２２５において、眼鏡装置１００Ｃの通信部１６５Ｃは、応答信号を受信する。通信部１６５Ｃは、制御部１６６Ｃへ応答信号の受信とともに表示装置２００Ｃの通信アドレスに関する情報を通知する。この結果、眼鏡装置１００Ｃは、表示装置２００Ｃの通信アドレスに関する情報を取得し、表示装置２００Ｃは、眼鏡装置１００Ｃの通信アドレスに関する情報を取得する。かくして、眼鏡装置１００Ｃと表示装置２００Ｃとの間で、無線通信路が開かれる。無線通信路が設定された後、眼鏡装置１００Ｃは、ステップＳ２３０を実行する。
【０１９３】
（ステップＳ２３０）
ステップＳ２３０において、眼鏡装置１００Ｃの制御部１６６Ｃは、記憶部１６７Ｃに予め記憶された特性データを読み出す。尚、特性データは、第１実施形態及び第２実施形態に関連して説明された測定技術を用いて、眼鏡装置１００Ｃに対して個別に取得されている。したがって、特性データは、眼鏡装置１００Ｃの固有の応答特性を表す。
【０１９４】
制御部１６６Ｃは、読み出された特性データを用いて、パケット信号を生成する。通信部１６５Ｃは、生成されたパケット信号を表示装置２００Ｃの通信アドレスへ送信する。特性データの送信の後、眼鏡装置１００Ｃは、ステップＳ２４５を実行する。表示装置２００Ｃは、ステップＳ２３５を実行する。
【０１９５】
（ステップＳ２３５）
ステップＳ２３５において、表示装置２００Ｃの通信部２１５Ｃは、特性データを表すパケット信号を受信する。通信部２１５Ｃは、パケット信号が表す特性データに関する情報を制御部２１６Ｃに出力する。制御部２１６Ｃは、通信部２１５Ｃが出力した情報を解析し、特性データを再構築する。再構築された特性データは、制御部２１６Ｃの記憶部２１８に格納される。特性データが記憶部２１８に格納された後、表示装置２００Ｃは、ステップＳ２４０を実行する。
【０１９６】
（ステップＳ２４０）
ステップＳ２４０において、温度検出部２１７は、映像が観察される環境の温度を検出する。温度検出部２１７は、検出された温度に関するデータを制御部２１６Ｃに出力する。
【０１９７】
（ステップＳ２４５）
ステップＳ２４５において、電圧検出部１６８は、駆動部１６４に印加されている電圧を検出する。電圧検出部１６８は、検出された電圧に関するデータを制御部１６６Ｃへ出力する。電圧データの出力の後、眼鏡装置１００Ｃは、ステップＳ２５０を実行する。
【０１９８】
（ステップＳ２５０）
ステップＳ２５０において、制御部１６６Ｃは、電圧データを用いて、駆動部１６４に印加されている電圧に関する情報を含むパケット信号を生成する。パケット信号は、通信部１６５Ｃを通じて、表示装置２００Ｃへ送信される。パケット信号の送信の後、眼鏡装置１００Ｃは、ステップＳ２５５を実行し、表示装置２００Ｃは、ステップＳ２６０を実行する。
【０１９９】
（ステップＳ２５５）
ステップＳ２５５において、眼鏡装置１００Ｃは、ステップＳ２５０において実行されたパケット信号の送信からの経過時間を測定する。経過時間が所定の長さを超えるならば、ステップＳ２４５が実行される。経過時間が所定の長さ以内であるならば、ステップＳ２５５が継続される。かくして、駆動部１６４に印加されている電圧に関する情報を含むパケット信号は、表示装置２００Ｃへ周期的に送信されることとなる。
【０２００】
（ステップＳ２６０）
ステップＳ２６０において、表示装置２００Ｃの通信部２１５Ｃは、眼鏡装置１００Ｃの駆動部１６４に印加されている電圧に関する情報を含むパケット信号を受信する。通信部２１５Ｃは、その後、駆動部１６４に印加されている電圧に関する情報を制御部２１６Ｃに出力する。この結果、制御部２１６Ｃは、特性データ、環境温度に関する情報及び駆動部１６４に印加されている電圧に関する情報を取得することとなる。制御部２１６Ｃは、特性データ、環境温度に関する情報及び駆動部１６４に印加されている電圧に関する情報を取得した後、表示装置２００Ｃは、ステップＳ２６５を実行する。
【０２０１】
（ステップＳ２６５）
ステップＳ２６５において、制御部２１６Ｃは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｃは、環境温度に関する情報及び駆動部１６４に印加されている電圧に関する情報と特性データとを対比し、表示タイミングを基準に決定されたタイミングを補正する。制御部２１６Ｃは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｃに通知することができる。同期制御信号の生成の後、表示装置２００Ｃは、ステップＳ２７０を実行する。
【０２０２】
（ステップＳ２７０）
ステップＳ２７０において、通信部２１５Ｃは、信号生成部２１４Ｃが生成した同期制御信号を眼鏡装置１００Ｃの通信アドレスに送信する。同期制御信号の送信の後、眼鏡装置１００Ｃは、ステップＳ２７５を実行する。
【０２０３】
（ステップＳ２７５）
ステップＳ２７５において、眼鏡装置１００Ｃの通信部１６５Ｃは、同期制御信号を受信する。同期制御信号は、その後、制御部１６６Ｃへ出力される。制御部１６６Ｃが同期制御信号を受け取った後、眼鏡装置１００Ｃは、ステップＳ２８０を実行する。
【０２０４】
（ステップＳ２８０）
ステップＳ２８０において、眼鏡装置１００Ｃの制御部１６６Ｃは、光量調整部１６１の駆動部１６４を制御する。この結果、左調整部１６２は、適切に調整された変動タイミングで左眼への透過光量を増大又は減少させる。右調整部１６３は、適切に調整された変動タイミングで左眼への透過光量を増大又は減少させる。
【０２０５】
＜第５実施形態＞
（眼鏡装置）
図２９は、第５実施形態の眼鏡装置１００Ｄの機能構成を表す概略的なブロック図である。第４実施形態と同一の要素に対して、同一の符号が付されている。同一の符号が付された要素に対して、第４実施形態の説明が援用される。第４実施形態と第５実施形態との間の差異が以下に説明される。
【０２０６】
眼鏡装置１００Ｄは、第４実施形態に関連して説明された給電部１７０に加えて、光量の調整動作を司る作動部１６０Ｄを備える。作動部１６０Ｄは、第４実施形態に関連して説明された光量調整部１６１及び記憶部１６７Ｃを備える。
【０２０７】
作動部１６０Ｄは、駆動部１６４の温度を、映像が観察される環境の温度として測定する検出部１６８Ｄを更に備える。検出部１６８Ｄは、光量調整部１６１の温度だけでなく、駆動部１６４に印加された電圧も検出する。本実施形態において、検出部１６８Ｄは、温度検出部及び／又は電力検出部として例示される。
【０２０８】
作動部１６０Ｄは、駆動部１６４を制御する制御部１６６Ｄを更に備える。制御部１６６Ｄは、第４実施形態と同様に、記憶部１６７Ｃに格納された特性データを用いて、パケット信号を生成する。検出部１６８Ｄは、制御部１６６Ｄに、環境温度に関するデータと駆動部１６４に印加された電圧に関するデータとを出力する。制御部１６６Ｄは、検出部１６８Ｄから出力されたデータに応じたパケット信号も生成する。
【０２０９】
作動部１６０Ｄは、パケット信号を送信するための通信部１６５Ｄを更に備える。通信部１６５Ｄは、第４実施形態と同様に、適切に補正された変動タイミングに関する情報を含む同期制御信号を受信する。通信部１６５Ｄは、同期制御信号を制御部１６６Ｄに出力する。制御部１６６Ｄは、同期制御信号に応じて、駆動部１６４を制御する。この結果、光量調整部１６１は、左眼及び右眼の透過光量を適切なタイミングで増大又は減少させることができる。
【０２１０】
（映像システム）
図３０は、映像システム３００Ｄの概略図である。図２９及び図３０を用いて、映像システム３００Ｄが説明される。
【０２１１】
映像システム３００Ｄは、眼鏡装置１００Ｄと表示装置２００Ｄとを備える。第４実施形態と同様に、眼鏡装置１００Ｄは、特性データを表示装置２００Ｄへ送信する。眼鏡装置１００Ｄから送信される特性データは、第４実施形態と同様に、環境温度と光量調整部１６１による調整動作との関係並びに駆動部１６４に印加される電圧と光量調整部１６１による調整動作との関係を表す。第４実施形態と異なり、眼鏡装置１００Ｄの通信部１６５Ｄは、電圧に関する情報（データ）だけでなく、環境温度に関する情報（データ）を表示装置２００Ｄへ送信する。本実施形態において、通信部１６５Ｄは、データ通信部として例示される。
【０２１２】
（表示装置）
図３１は、表示装置２００Ｄの機能構成を表す概略的なブロック図である。図２９及び図３１を用いて、表示装置２００Ｄが説明される。
【０２１３】
表示装置２００Ｄは、第４実施形態に関連して説明された入力部２１１、映像処理部２１２、表示部２１３及び信号生成部２１４Ｃを備える。表示装置２００Ｄは、眼鏡装置１００Ｄが生成したパケット信号を受信する通信部２１５Ｄを更に備える。第４実施形態と同様に、通信部２１５Ｄは、特性データを含むパケット信号を受信する。第４実施形態と異なり、通信部２１５Ｄは、電圧に関する情報だけでなく、環境温度に関する情報を含むパケット信号を受信する。本実施形態において、通信部２１５Ｄは、制御信号通信部として例示される。
【０２１４】
表示装置２００Ｄは、信号生成部２１４Ｃを制御し、同期制御信号を生成する制御部２１６Ｄを更に備える。制御部２１６Ｄは、第４実施形態と同様に、記憶部２１８を備える。
【０２１５】
通信部２１５Ｄは、眼鏡装置１００Ｄから受信したパケット信号が含む特性データを制御部２１６Ｄへ出力する。制御部２１６Ｄは、第４実施形態と同様の手法を用いて、通信部２１５Ｄからの出力データを解析し、特性データを再構築する。再構築された特性データは、記憶部２１８に記憶される。
【０２１６】
第４実施形態と異なり、制御部２１６Ｄは、電圧に関する情報だけでなく、環境温度に関する情報も、通信部２１５Ｄから取得する。第４実施形態と同様に、制御部２１６Ｄは、特性データと、電圧に関する情報及び環境温度に関する情報を対比し、検出された電圧条件及び温度条件の下での光量調整部１６１の応答特性に適合した同期制御信号を生成する。
【０２１７】
（映像システムの制御方法）
図３２は、映像システム３００Ｄの制御方法を表す概略的なフローチャートである。図２９乃至図３２を用いて、映像システム３００Ｄの制御方法が説明される。
【０２１８】
（ステップＳ３０５）
ステップＳ３０５において、眼鏡装置１００Ｄの給電部１７０は、作動部１６０Ｄに給電を開始する。この結果、作動部１６０Ｄの様々な要素が動作可能となる。作動部１６０Ｄへの給電の後、ステップＳ３１０が実行される。
【０２１９】
（ステップＳ３１０）
ステップＳ３１０において、眼鏡装置１００Ｄの制御部１６６Ｄは、給電の開始に応じて、眼鏡装置１００Ｄと通信可能な表示装置２００Ｄを検索するための検索信号を生成する。検索信号は、眼鏡装置１００Ｄ自身の通信アドレスに関する情報を含む。眼鏡装置１００Ｄの通信部１６５Ｄは、検索信号を送信する。検索信号の送信の後、表示装置２００Ｄは、ステップＳ３１５を実行する。
【０２２０】
（ステップＳ３１５）
ステップＳ３１５において、表示装置２００Ｄの通信部２１５Ｄは、検索信号を受信する。通信部２１５Ｄは、検索信号の受信を、眼鏡装置１００Ｄの通信アドレスに関する情報とともに制御部２１６Ｄへ通知する。その後、表示装置２００Ｄは、ステップＳ３２０を実行する。
【０２２１】
（ステップＳ３２０）
ステップＳ３２０において、表示装置２００Ｄの制御部２１６Ｄは、信号生成部２１４Ｃを制御し、検索信号に応答するための応答信号を生成する。信号生成部２１４Ｃによって生成された応答信号は、表示装置２００Ｄ自身の通信アドレスに関する情報を含む。通信部２１５Ｄは、眼鏡装置１００Ｄの通信アドレスに応答信号を送信する。応答信号の送信の後、眼鏡装置１００Ｄは、ステップＳ３２５を実行する。
【０２２２】
（ステップＳ３２５）
ステップＳ３２５において、眼鏡装置１００Ｄの通信部１６５Ｄは、応答信号を受信する。通信部１６５Ｄは、制御部１６６Ｄへ応答信号の受信とともに表示装置２００Ｄの通信アドレスに関する情報を通知する。この結果、眼鏡装置１００Ｄは、表示装置２００Ｄの通信アドレスに関する情報を取得し、表示装置２００Ｄは、眼鏡装置１００Ｄの通信アドレスに関する情報を取得する。かくして、眼鏡装置１００Ｄと表示装置２００Ｄとの間で、無線通信路が開かれる。無線通信路が設定された後、眼鏡装置１００Ｄは、ステップＳ３３０を実行する。
【０２２３】
（ステップＳ３３０）
ステップＳ３３０において、眼鏡装置１００Ｄの制御部１６６Ｄは、記憶部１６７Ｃに予め記憶された特性データを読み出す。尚、特性データは、第１実施形態及び第２実施形態に関連して説明された測定技術を用いて、眼鏡装置１００Ｄに対して個別に取得されている。したがって、特性データは、眼鏡装置１００Ｄの固有の応答特性を表す。
【０２２４】
制御部１６６Ｄは、読み出された特性データを用いて、パケット信号を生成する。通信部１６５Ｄは、生成されたパケット信号を表示装置２００Ｄの通信アドレスへ送信する。特性データの送信の後、眼鏡装置１００Ｄは、ステップＳ３４５を実行する。表示装置２００Ｄは、ステップＳ３３５を実行する。
【０２２５】
（ステップＳ３３５）
ステップＳ３３５において、表示装置２００Ｄの通信部２１５Ｄは、特性データを表すパケット信号を受信する。通信部２１５Ｄは、パケット信号が表す特性データに関する情報を制御部２１６Ｄに出力する。制御部２１６Ｄは、通信部２１５Ｄが出力した情報を解析し、特性データを再構築する。再構築された特性データは、制御部２１６Ｄの記憶部２１８に格納される。
【０２２６】
（ステップＳ３４５）
ステップＳ３４５において、検出部１６８Ｄは、駆動部１６４に印加されている電圧及び駆動部１６４の温度を検出する。検出部１６８Ｄは、検出された電圧及び温度に関するデータを制御部１６６Ｄへ出力する。電圧データ及び温度データの出力の後、眼鏡装置１００Ｄは、ステップＳ３５０を実行する。
【０２２７】
（ステップＳ３５０）
ステップＳ３５０において、制御部１６６Ｄは、電圧データを用いて、駆動部１６４に印加されている電圧及び駆動部１６４の温度に関する情報を含むパケット信号を生成する。パケット信号は、通信部１６５Ｄを通じて、表示装置２００Ｄへ送信される。パケット信号の送信の後、眼鏡装置１００Ｄは、ステップＳ３５５を実行し、表示装置２００Ｄは、ステップＳ３６０を実行する。
【０２２８】
（ステップＳ３５５）
ステップＳ３５５において、眼鏡装置１００Ｄは、ステップＳ３５０において実行されたパケット信号の送信からの経過時間を測定する。経過時間が所定の長さを超えるならば、ステップＳ３４５が実行される。経過時間が所定の長さ以内であるならば、ステップＳ３５５が継続される。かくして、駆動部１６４に印加されている電圧及び駆動部１６４の温度に関する情報を含むパケット信号は、表示装置２００Ｄへ周期的に送信されることとなる。
【０２２９】
（ステップＳ３６０）
ステップＳ３６０において、表示装置２００Ｄの通信部２１５Ｄは、眼鏡装置１００Ｄの駆動部１６４に印加されている電圧及び駆動部１６４の温度に関する情報を含むパケット信号を受信する。通信部２１５Ｄは、その後、駆動部１６４に印加されている電圧及び駆動部１６４の温度に関する情報を制御部２１６Ｄに出力する。この結果、制御部２１６Ｄは、特性データ、環境温度に関する情報及び駆動部１６４に印加されている電圧に関する情報を取得することとなる。制御部２１６Ｄは、特性データ、環境温度に関する情報及び駆動部１６４に印加されている電圧に関する情報を取得した後、表示装置２００Ｄは、ステップＳ３６５を実行する。
【０２３０】
（ステップＳ３６５）
ステップＳ３６５において、制御部２１６Ｄは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｄは、環境温度に関する情報及び駆動部１６４に印加されている電圧に関する情報と特性データとを対比し、表示タイミングを基準に決定されたタイミングを補正する。制御部２１６Ｄは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｄに通知することができる。同期制御信号の生成の後、表示装置２００Ｄは、ステップＳ３７０を実行する。
【０２３１】
（ステップＳ３７０）
ステップＳ３７０において、通信部２１５Ｄは、信号生成部２１４Ｃが生成した同期制御信号を眼鏡装置１００Ｄの通信アドレスに送信する。同期制御信号の送信の後、眼鏡装置１００Ｄは、ステップＳ３７５を実行する。
【０２３２】
（ステップＳ３７５）
ステップＳ３７５において、眼鏡装置１００Ｄの通信部１６５Ｄは、同期制御信号を受信する。同期制御信号は、その後、制御部１６６Ｄへ出力される。制御部１６６Ｄが同期制御信号を受け取った後、眼鏡装置１００Ｄは、ステップＳ３８０を実行する。
【０２３３】
（ステップＳ３８０）
ステップＳ３８０において、眼鏡装置１００Ｄの制御部１６６Ｄは、光量調整部１６１の駆動部１６４を制御する。この結果、左調整部１６２は、適切に調整された変動タイミングで左眼への透過光量を増大又は減少させる。右調整部１６３は、適切に調整された変動タイミングで左眼への透過光量を増大又は減少させる。
【０２３４】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０２３５】
上述の補正制御は、光量調整部を駆動するための駆動信号の立ち上がりの時刻から光量調整部における透過率が５０％に増大又は減少するまでの期間に対して行われてもよい。代替的に、同期制御信号の立ち上がり又は立ち下がりの時刻から光量調整部における透過率が９０％に増大するまでの期間に対して行われてもよい。或いは、同期制御信号の立ち上がり又は立ち下がりの時刻から光量調整部における透過率が１０％に減少するまでの期間に対して行われてもよい。
【０２３６】
左フレーム期間の開始に同期して立ち上がり、右フレーム期間の開始に同期して立ち下がるような信号波形を有する同期制御信号が、上述の補正制御の基準及び表示装置と眼鏡装置との間の通信信号として用いられてもよい。本実施形態の原理は、同期制御信号の波形に限定されるものではない。
【０２３７】
上述された実施形態は、以下の特徴を主に備える。
【０２３８】
上述の実施形態の一の局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２３９】
上記構成によれば、光量調整部は、左眼及び右眼へ透過する映像光の量を増大又は減少させる変動タイミングを調整するための調整動作を実行する。この結果、観察者は、映像を立体的に知覚することができる。
【０２４０】
光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２４１】
上記構成において、前記調整動作の実行のために用いられる電力を供給する電源部を更に備え、前記特性データは、前記電源部が蓄える電力量と、前記光量調整部の動作速度と、の関係を表し、前記第１制御部は、前記電力量に応じて、前記変動タイミングに対する補正量を決定することが好ましい。
【０２４２】
上記構成によれば、特性データは、電源部が蓄える電力量と、光量調整部の動作速度と、の関係を表す。電源部は、調整動作の実行のために電力を供給するので、電源部が蓄える電力量は減少する。第１制御部は、電力量に応じて、変動タイミングに対する補正量を決定するので、光量調整部は、電力量の減少下においても、適切に調整動作を継続することができる。したがって、観察者は、立体映像を快適に観察することができる。
【０２４３】
上記構成において、前記特性データは、前記映像が観察される環境の温度と、前記光量調整部の動作速度と、の関係を表し、前記第１制御部は、前記温度に応じて、前記変動タイミングに対する補正量を決定することが好ましい。
【０２４４】
上記構成によれば、特性データは、映像が観察される環境の温度と、光量調整部の動作速度と、の関係を表す。第１制御部は、温度に応じて、変動タイミングに対する補正量を決定するので、光量調整部は、温度が変化する環境下においても、適切に調整動作を継続することができる。したがって、観察者は、立体映像を快適に観察することができる。
【０２４５】
上記構成において、眼鏡装置は、前記電力量を検出する電力検出部を更に備えることが好ましい。
【０２４６】
上記構成によれば、電力検出部は、電力量を検出するので、第１制御部は、電力量に応じて、変動タイミングに対する補正量を適切に決定することができる。したがって、光量調整部は、電力量の減少下においても、適切に調整動作を継続することができる。
【０２４７】
上記構成において、眼鏡装置は、前記温度を検出する温度検出部を更に備えることが好ましい。
【０２４８】
上記構成によれば、温度検出部は、温度を検出するので、第１制御部は、温度に応じて、変動タイミングに対する補正量を適切に決定することができる。したがって、光量調整部は、温度が変化する環境下においても、適切に調整動作を継続することができる。
【０２４９】
上記構成において、前記特性データは、前記光量調整部に対して固有に定められたデータであることが好ましい。
【０２５０】
上記構成によれば、特性データは、光量調整部に対して固有に定められたデータであるので、第１制御部は、変動タイミングに対する補正量を適切に決定することができる。
【０２５１】
上述の実施形態の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記制御信号通信部は、前記眼鏡装置から、前記調整動作に関する特性データを受信し、前記第２制御部は、前記表示タイミングと前記特性データとに基づき、前記同期制御信号の送信を制御することを特徴とする。
【０２５２】
上記構成によれば、表示部は、左眼で観察される左フレーム画像と、右眼で観察される右フレーム画像と、を用いて、立体的に知覚される映像を表示する。第２制御部は、表示部に表示タイミングで左フレーム画像と右フレーム画像とを順次表示させる。制御信号通信部は、第２制御部の制御下で、映像を立体的に知覚させるための調整動作を行う眼鏡装置へ同期制御信号を送信し、左フレーム画像及び右フレーム画像の表示タイミングを通知する。したがって、眼鏡装置は、左フレーム画像及び右フレーム画像の表示に合わせて、調整動作を行うことができる。
【０２５３】
制御信号通信部は、眼鏡装置から、調整動作に関する特性データを受信する。第２制御部は、表示タイミングと特性データとに基づき、同期制御信号の送信を制御するので、眼鏡装置は、特性データに応じた同期制御信号を受信することができる。したがって、眼鏡装置は、左フレーム画像及び右フレーム画像の表示に合わせて、適切な調整動作を行うことができる。
【０２５４】
上記構成において、前記同期制御信号は、前記表示タイミングに関するタイミング情報を含み、前記第２制御部は、前記特性データに応じて、前記タイミング情報を変更することが好ましい。
【０２５５】
上記構成によれば、同期制御信号は、表示タイミングに関するタイミング情報を含む。第２制御部は、特性データに応じて、タイミング情報を変更するので、眼鏡装置は、特性データに応じた同期制御信号を受信することができる。したがって、眼鏡装置は、左フレーム画像及び右フレーム画像の表示に合わせて、適切な調整動作を行うことができる。
【０２５６】
上記構成において、前記第２制御部は、前記特性データに応じて、前記同期制御信号の送信タイミングを変更することが好ましい。
【０２５７】
上記構成によれば、第２制御部は、特性データに応じて、同期制御信号の送信タイミングを変更するので、眼鏡装置は、特性データに応じたタイミングで、同期制御信号を受信することができる。したがって、眼鏡装置は、左フレーム画像及び右フレーム画像の表示に合わせて、適切な調整動作を行うことができる。
【０２５８】
上記構成において、表示装置は、前記映像が観察される環境の温度を検出する温度検出部を更に備え、前記特性データは、前記温度と、前記眼鏡装置の動作速度と、の関係を表し、前記第２制御部は、前記温度に応じて、前記送信を制御することが好ましい。
【０２５９】
上記構成によれば、特性データは、映像が観察される環境の温度と、前記眼鏡装置の動作速度と、の関係を表す。第２制御部は、温度検出部によって検出された環境温度に応じて、同期制御信号の送信を制御するので、環境温度に応じた同期制御信号を受信することができる。したがって、眼鏡装置は、温度が変化する環境下においても、左フレーム画像及び右フレーム画像の表示に合わせて、適切な調整動作を行うことができる。
【０２６０】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記眼鏡装置は、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２６１】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６２】
表示装置の送信部は、変動タイミングを規定する同期制御信号を送信する。眼鏡装置の受信部は、同期制御信号を受信する。調整動作を実行する光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２６３】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記特性データを受信し、且つ、前記表示タイミングを通知するための同期制御信号を、前記第２制御部の制御下で前記データ通信部へ送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【０２６４】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６５】
記憶部は、光量調整部によって実行される調整動作に関する特性データを格納する。データ通信部は、特性データを表示装置に送信する。表示装置の制御信号通信部は、特性データを受信する。この結果、眼鏡装置の特性データは、表示装置に伝達される。
【０２６６】
表示装置の第２制御部は、左フレーム画像及び前記右フレーム画像の表示タイミングを決定する。表示部は、第２制御部の制御下において、表示タイミングで左フレーム画像と右フレーム画像とを順次表示させる。この結果、観察者は、表示部が表示する映像を立体的に知覚することができる。
【０２６７】
表示装置の制御信号通信部は、同期制御信号を、第２制御部の制御下で、眼鏡装置のデータ通信部へ送信する。この結果、表示タイミングは、眼鏡装置に通知される。
【０２６８】
表示装置の第２制御部は、表示タイミングと特性データとに基づき、同期制御信号の送信を制御するので、眼鏡装置の第１制御部は、同期制御信号に応じて、光量調整部を適切に制御することができる。したがって、眼鏡装置は、左フレーム画像及び右フレーム画像の表示に合わせて、適切な調整動作を行うことができる。
【０２６９】
上記構成において、前記眼鏡装置は、前記眼鏡装置は、前記調整動作の実行のために用いられる電力を供給する電源部と、該電源部が蓄える電力量を検出する電力検出部と、を含み、前記特性データは、前記電源部が蓄える電力量と、前記光量調整部の動作速度と、の関係を表し、前記特性データの送信の後、前記データ通信部は、前記電力量に関する電力情報を前記制御信号通信部へ送信し、前記第２制御部は、前記電力情報と前記特性データとを対比し、前記同期制御信号の前記送信を制御することが好ましい。
【０２７０】
上記構成によれば、特性データは、電源部が蓄える電力量と、光量調整部の動作速度と、の関係を表す。電源部は、調整動作の実行のために電力を供給するので、電源部が蓄える電力量は減少する。電源部が蓄える電力量と、光量調整部の動作速度と、の関係を表す特性データが送信された後、データ通信部は、電力量に関する電力情報を制御信号通信部へ送信する。この結果、眼鏡装置の特性データだけでなく電力情報も、表示装置に伝達される。表示装置の第２制御部は、電力情報と特性データとを対比し、同期制御信号の前記送信を制御するので、光量調整部は、電力量の減少下においても、適切に調整動作を継続することができる。
【０２７１】
上記構成において、前記眼鏡装置は、前記映像が観察される環境の温度を検出する温度検出部を含み、前記特性データは、前記温度と、前記光量調整部の動作速度と、の関係を表し、前記特性データの送信の後、前記データ通信部は、前記温度に関する温度情報を前記制御信号通信部へ送信し、前記第２制御部は、前記温度情報と前記特性データとを対比し、前記同期制御信号の前記送信を制御することが好ましい。
【０２７２】
上記構成によれば、特性データは、映像が観察される環境の温度と、光量調整部の動作速度と、の関係を表す特性データが送信された後、データ通信部は、温度検出部によって検出された温度に関する温度情報を制御信号通信部へ送信する。この結果、眼鏡装置の特性データだけでなく温度情報も、表示装置に伝達される。表示装置の第２制御部は、温度情報と特性データとを対比し、同期制御信号の前記送信を制御するので、光量調整部は、温度が変化する環境下においても、適切に調整動作を継続することができる。
【０２７３】
上述の実施形態の他の局面に係る制御方法は、左眼及び右眼へ透過する映像光の量を増大又は減少させる変動タイミングを調整し、映像を立体的に知覚させるための調整動作を行う眼鏡装置に適用される。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【０２７４】
上記構成によれば、眼鏡装置は、左眼及び右眼へ透過する映像光の量を増大又は減少させる変動タイミングを調整し、映像を立体的に知覚させるための調整動作を行うために、変動タイミングを規定する同期制御信号を受信する。その後、眼鏡装置は、同期制御信号によって規定された変動タイミングを、調整動作に関する特性データに基づいて補正する。したがって、眼鏡装置は、適切に制御された調整動作を行うことができる。
【０２７５】
上述の実施形態の他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに適用される。制御方法は、前記調整動作に関する特性データを、前記眼鏡装置から前記表示装置へ送信する段階と、前記左フレーム画像及び前記右フレーム画像が表示される表示タイミングを決定する段階と、前記表示タイミングと前記特性データとに基づき、前記表示タイミングを前記眼鏡装置へ通知するための同期制御信号の送信を制御する段階と、前記同期制御信号に応じて、前記変動タイミングを調整する段階と、を有することを特徴とする。
【０２７６】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２７７】
調整動作に関する特性データは、眼鏡装置から表示装置へ送信される。したがって、表示装置は、特性データを取得することができる。同期制御の送信は、左フレーム画像及び右フレーム画像が表示される表示タイミングと特性データとに基づき制御されるので、特性データに応じた表示タイミングが眼鏡装置へ通知される。したがって、眼鏡装置は、適切に制御された調整動作を行うことができる。
【産業上の利用可能性】
【０２７８】
上述の実施形態の原理は、眼鏡装置の補助下で映像を視聴させる映像技術に好適に利用される。
【図１】
2012124350.tif 000003
【図２】
2012124350.tif 000004
【図３】
2012124350.tif 000005
【図４】
2012124350.tif 000006
【図５Ａ】
2012124350.tif 000007
【図５Ｂ】
2012124350.tif 000008
【図６】
2012124350.tif 000009
【図７】
2012124350.tif 000010
【図８】
2012124350.tif 000011
【図９】
2012124350.tif 000012
【図１０】
2012124350.tif 000013
【図１１】
2012124350.tif 000014
【図１２】
2012124350.tif 000015
【図１３】
2012124350.tif 000016
【図１４】
2012124350.tif 000017
【図１５】
2012124350.tif 000018
【図１６】
2012124350.tif 000019
【図１７】
2012124350.tif 000020
【図１８】
2012124350.tif 000021
【図１９】
2012124350.tif 000022
【図２０】
2012124350.tif 000023
【図２１】
2012124350.tif 000024
【図２２】
2012124350.tif 000025
【図２３】
2012124350.tif 000026
【図２４Ａ】
2012124350.tif 000027
【図２４Ｂ】
2012124350.tif 000028
【図２５Ａ】
2012124350.tif 000029
【図２５Ｂ】
2012124350.tif 000030
【図２６】
2012124350.tif 000031
【図２７】
2012124350.tif 000032
【図２８】
2012124350.tif 000033
【図２９】
2012124350.tif 000034
【図３０】
2012124350.tif 000035
【図３１】
2012124350.tif 000036
【図３２】
2012124350.tif 000037
【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
左眼及び右眼へ透過する映像光の量を増大又は減少させる変動タイミングを調整し、映像を立体的に知覚させるための調整動作を行う光量調整部と、
前記調整動作に関する特性データを格納する記憶部と、
前記変動タイミングを規定する同期制御信号を受信する受信部と、
前記光量調整部を制御する第１制御部と、を備え、
該第１制御部は、前記同期制御信号によって規定された前記変動タイミングを前記特性データに基づいて補正し、前記調整動作を制御することを特徴とする眼鏡装置。
【請求項２】
前記調整動作の実行のために用いられる電力を供給する電源部を更に備え、
前記特性データは、前記電源部が蓄える電力量と、前記光量調整部の動作速度と、の関係を表し、
前記第１制御部は、前記電力量に応じて、前記変動タイミングに対する補正量を決定することを特徴とする請求項１に記載の眼鏡装置。
【請求項３】
前記特性データは、前記映像が観察される環境の温度と、前記光量調整部の動作速度と、の関係を表し、
前記第１制御部は、前記温度に応じて、前記変動タイミングに対する補正量を決定することを特徴とする請求項１又は２に記載の眼鏡装置。
【請求項４】
前記電力量を検出する電力検出部を更に備えることを特徴とする請求項２に記載の眼鏡装置。
【請求項５】
前記温度を検出する温度検出部を更に備えることを特徴とする請求項３に記載の眼鏡装置。
【請求項６】
前記特性データは、前記光量調整部に対して固有に定められたデータであることを特徴とする請求項１乃至５のいずれか１項に記載の眼鏡装置。
【請求項７】
左眼で観察される左フレーム画像と、右眼で観察される右フレーム画像と、を用いて、立体的に知覚される映像を表示する表示部と、
前記左フレーム画像及び前記右フレーム画像の表示タイミングを決定し、前記表示部に前記表示タイミングで前記左フレーム画像と前記右フレーム画像とを順次表示させる第２制御部と、
前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、
前記制御信号通信部は、前記眼鏡装置から、前記調整動作に関する特性データを受信し、
前記第２制御部は、前記表示タイミングと前記特性データとに基づき、前記同期制御信号の送信を制御することを特徴とする表示装置。
【請求項８】
前記同期制御信号は、前記表示タイミングに関するタイミング情報を含み、
前記第２制御部は、前記特性データに応じて、前記タイミング情報を変更することを特徴とする請求項７に記載の表示装置。
【請求項９】
前記第２制御部は、前記特性データに応じて、前記同期制御信号の送信タイミングを変更することを特徴とする請求項７に記載の表示装置。
【請求項１０】
前記映像が観察される環境の温度を検出する温度検出部を更に備え、
前記特性データは、前記温度と、前記眼鏡装置の動作速度と、の関係を表し、
前記第２制御部は、前記温度に応じて、前記送信を制御することを特徴とする請求項７乃至９のいずれか１項に記載の表示装置。
【請求項１１】
左眼及び右眼へ透過する映像光の量を増大又は減少させる変動タイミングを調整し、映像を立体的に知覚させるための調整動作を行う眼鏡装置と、
前記左眼で観察される左フレーム画像と、前記右眼で観察される右フレーム画像と、を用いて、前記映像を表示する表示装置と、を備え、
前記表示装置は、前記変動タイミングを規定する同期制御信号を送信する送信部を備え、
前記眼鏡装置は、
前記調整動作を行う光量調整部と、
前記調整動作に関する特性データを格納する記憶部と、
前記同期制御信号を受信する受信部と、
前記光量調整部を制御する第１制御部と、を備え、
該第１制御部は、前記同期制御信号によって規定された前記変動タイミングを前記特性データに基づいて補正し、前記調整動作を制御することを特徴とする映像システム。
【請求項１２】
左眼及び右眼へ透過する映像光の量を増大又は減少させる変動タイミングを調整し、映像を立体的に知覚させるための調整動作を行う眼鏡装置と、
前記左眼で観察される左フレーム画像と、前記右眼で観察される右フレーム画像と、を用いて、前記映像を表示する表示装置と、を備え、
前記眼鏡装置は、
前記調整動作を実行する光量調整部と、
前記調整動作に関する特性データを格納する記憶部と、
前記特性データを前記表示装置に送信するデータ通信部と、
前記光量調整部を制御する第１制御部と、を備え、
前記表示装置は、
前記映像を表示する表示部と、
前記左フレーム画像及び前記右フレーム画像の表示タイミングを決定し、前記表示部に前記表示タイミングで前記左フレーム画像と前記右フレーム画像とを順次表示させる第２制御部と、
前記特性データを受信し、且つ、前記表示タイミングを通知するための同期制御信号を、前記第２制御部の制御下で前記データ通信部へ送信する制御信号通信部と、を備え、
前記第２制御部は、前記表示タイミングと前記特性データとに基づき、前記同期制御信号の送信を制御し、
前記第１制御部は、前記同期制御信号に応じて、前記光量調整部を制御することを特徴とする映像システム。
【請求項１３】
前記眼鏡装置は、前記調整動作の実行のために用いられる電力を供給する電源部と、該電源部が蓄える電力量を検出する電力検出部と、を含み、
前記特性データは、前記電源部が蓄える電力量と、前記光量調整部の動作速度と、の関係を表し、
前記特性データの送信の後、前記データ通信部は、前記電力量に関する電力情報を前記制御信号通信部へ送信し、
前記第２制御部は、前記電力情報と前記特性データとを対比し、前記同期制御信号の前記送信を制御することを特徴とする請求項１１に記載の映像システム。
【請求項１４】
前記眼鏡装置は、前記映像が観察される環境の温度を検出する温度検出部を含み、
前記特性データは、前記温度と、前記光量調整部の動作速度と、の関係を表し、
前記特性データの送信の後、前記データ通信部は、前記温度に関する温度情報を前記制御信号通信部へ送信し、
前記第２制御部は、前記温度情報と前記特性データとを対比し、前記同期制御信号の前記送信を制御することを特徴とする請求項１１又は１２に記載の映像システム。
【請求項１５】
左眼及び右眼へ透過する映像光の量を増大又は減少させる変動タイミングを調整し、映像を立体的に知覚させるための調整動作を行う眼鏡装置の制御方法であって、
前記変動タイミングを規定する同期制御信号を受信する段階と、
前記同期制御信号によって規定された前記変動タイミングを、前記調整動作に関する特性データに基づいて補正し、前記調整動作を制御する段階と、を有することを特徴とする制御方法。
【請求項１６】
左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムの制御方法であって、
前記調整動作に関する特性データを、前記眼鏡装置から前記表示装置へ送信する段階と、
前記左フレーム画像及び前記右フレーム画像が表示される表示タイミングを決定する段階と、
前記表示タイミングと前記特性データとに基づき、前記表示タイミングを前記眼鏡装置へ通知するための同期制御信号の送信を制御する段階と、
前記同期制御信号に応じて、前記変動タイミングを調整する段階と、を有することを特徴とする制御方法。
【手続補正２】
【補正対象書類名】明細書
【補正対象項目名】全文
【補正方法】変更
【補正の内容】
【書類名】明細書
【発明の名称】眼鏡装置、表示装置、眼鏡装置及び表示装置を備える映像システム並びに眼鏡装置及び映像システムの制御方法
【技術分野】
【０００１】
立体映像を観察者に適切に観察させるための映像技術に関する。
【背景技術】
【０００２】
３Ｄ映画の普及に伴って、家庭内で３Ｄ映像を視聴するための表示装置が、開発並びに市販されている（特許文献１乃至５参照）。３Ｄ映像用の表示装置は、典型的には、フレームシーケンシャル方式（時分割方式とも称される）を採用している。表示装置は、左眼で視聴される左フレーム画像と、右眼で視聴される右フレーム画像と、を時間的に交互に切り替えて表示する。
【０００３】
フレームシーケンシャル方式或いは時分割方式を採用する表示装置として、映画館で用いられるプロジェクタや家庭内で用いられるテレビ装置やパーソナルコンピュータのディスプレイ装置が例示される。これらの３Ｄ表示装置は、左フレーム画像と右フレーム画像とを時間的に交互に切り替えて表示する。
【０００４】
観察者は、眼鏡装置（一般的に、３Ｄアクティブシャッタ眼鏡と称される）を介して、３Ｄ表示装置が表示する映像を観察する。眼鏡装置は、左眼前に配設される左シャッタと、右眼前に配設される右シャッタと、を備える。左眼及び右眼へ透過する映像光の量は、左シャッタ及び右シャッタの開閉動作に応じて、変動する。
【０００５】
表示装置は、左フレーム画像及び／又は右フレーム画像の表示に同期する同期制御信号を送信する。同期制御信号として、例えば、赤外（ＩＲ）信号や無線（ＲＦ）信号が用いられる。同期制御信号を受信した眼鏡装置は、左フレーム画像の表示に同期して、左シャッタを開く一方で、右シャッタを閉じる。また、眼鏡装置は、右フレーム画像の表示に同期して、右シャッタを開く一方で、左シャッタを閉じる。かくして、左フレーム画像からの映像光は左眼のみに透過し、右フレーム画像からの映像光は右眼のみに透過する。
【０００６】
同期制御信号に対するシャッタの応答特性は、眼鏡装置ごとに異なることもある。例えば、ある眼鏡装置（以下、「眼鏡装置Ａ」と称される）は、右シャッタを開く又は閉じるための同期制御信号を受け取ってから、右シャッタを開く又は閉じるために、「Ｘ１」の期間だけ要する。他の眼鏡装置（以下、「眼鏡装置Ｂ」と称される）は、右シャッタを開く又は閉じるための同期制御信号を受け取ってから右シャッタを開く又は閉じるために、「Ｘ１」より短い又は長い「Ｘ２」の期間だけ要する。左シャッタに関しても、眼鏡装置Ａ，Ｂ間において、応答期間の差異は生じうる。
【０００７】
眼鏡装置Ａ，Ｂとの間の型式が異なるならば、例えば、眼鏡装置Ａ，Ｂ間の設計の相違に起因して、上述の応答期間の差異が生じうる。眼鏡装置Ａ，Ｂとの間の型式が同一であっても、例えば、シャッタに用いられる素子の特性のばらつきに起因して、上述の応答期間の差異が生じうる。
【先行技術文献】
【特許文献】
【００１４】
【特許文献１】米国特許公開公報第２０１１／０２２８２１５号明細書
【特許文献２】米国特許公開公報第２０１１／００４３７５３号明細書
【特許文献３】米国特許公開公報第２０１１／０１８１７０８号明細書
【特許文献４】米国特許公開公報第２０１１／０２４２２９３号明細書
【特許文献５】米国特許公開公報第２０１０／０２９５９２９号明細書
【発明の概要】
【発明が解決しようとする課題】
【０００９】
本発明は、眼鏡装置の動作特性に応じて、左眼及び右眼へ透過する映像光の量を増大又は減少させる変動タイミングを調整することができる映像技術を提供することを目的とする。
【課題を解決するための手段】
【００１０】
本発明の一局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１１】
本発明の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御することを特徴とする。
【００１２】
本発明の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１３】
本発明の更に他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記データ通信部へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【００１４】
本発明の更に他の局面に係る制御方法は、左眼及び右眼へ透過する映像光の量を増大又は減少させる変動タイミングを調整し、映像を立体的に知覚させるための調整動作を行う眼鏡装置に用いられる。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【００１５】
本発明の更に他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに用いられる。制御方法は、前記調整動作に関する特性データを、前記表示装置へ送信する段階と、前記左フレーム画像及び前記右フレーム画像の表示タイミングを決定する段階と、前記表示タイミングと前記特性データとに基づき、前記表示タイミングを通知するための同期制御信号の送信を制御する段階と、前記同期制御信号に応じて、前記変動タイミングを調整する段階と、を有することを特徴とする。
【発明の効果】
【００１６】
本発明は、眼鏡装置の動作特性に応じて、左眼及び右眼へ透過する映像光の量を増大又は減少させる変動タイミングを調整することができる。
【００１７】
本発明の目的、特徴及び利点は、以下の詳細な説明と添付図面とによって、より明白となる。
【図面の簡単な説明】
【００１８】
【図１】第１実施形態の眼鏡装置の概略的な斜視図である。
【図２】一般的な眼鏡装置の応答特性を表す概略的なタイミングチャートである。
【図３】図１に示される眼鏡装置のハードウェア構成を表す概略的なブロック図である。
【図４】図３に示される眼鏡装置に格納される特性データを取得するための測定システムの概略図である。
【図５Ａ】図４に示される測定システムを用いて測定された特性データを表す概略的なグラフである。
【図５Ｂ】図４に示される測定システムを用いて測定された特性データを表す概略的なグラフである。
【図６】図３に示される眼鏡装置の機能構成を表す概略的なブロック図である。
【図７】図３に示される眼鏡装置とともに用いられる表示装置のハードウェア構成を表す概略的なブロック図である。
【図８】図７に示される表示装置の機能構成を表す概略的なブロック図である。
【図９】図６に示される眼鏡装置の制御部による同期制御信号に対する処理を表す概略的な表である。
【図１０】図６に示される眼鏡装置の制御部によって作成された基準データを表す概略的なグラフである。
【図１１】図６に示される眼鏡装置の記憶部に記憶された特性データを表す概略的な表である。
【図１２】図６に示される眼鏡装置の制御部による補正処理を概略的に表すグラフである。
【図１３】図６に示される眼鏡装置を備える映像システムの概略図である。
【図１４】図６に示される眼鏡装置の制御方法を表す概略的なフローチャートである。
【図１５】第２実施形態の眼鏡装置の機能構成を表す概略的なブロック図である。
【図１６】図１５に示される眼鏡装置の記憶部に記憶される特性データを概略的に表す表である。
【図１７】図１５に示される眼鏡装置の制御部による補正処理を概略的に表すグラフである。
【図１８】第３実施形態の眼鏡装置の機能構成を表す概略的なブロック図である。
【図１９】図１８に示される眼鏡装置の駆動部の温度と給電期間との関係を表す概略的なグラフである。
【図２０】第４実施形態の表示装置の機能構成を表す概略的なブロック図である。
【図２１】図２０に示される表示装置を備える映像システムの概略図である。
【図２２】図２１に示される映像システムの表示装置と眼鏡装置との間の通信に用いられるパケット構造の概略図である。
【図２３】図２１に示される映像システムの眼鏡装置の機能構成を表す概略的なブロック図である。
【図２４Ａ】図２３に示される眼鏡装置の記憶部に記憶された特性データを例示する表である。
【図２４Ｂ】図２３に示される眼鏡装置の光量調整部の動作速度を表す概略的なグラフである。
【図２５Ａ】図２３に示される眼鏡装置の記憶部に記憶された特性データを例示する表である。
【図２５Ｂ】図２３に示される眼鏡装置の光量調整部の動作速度を表す概略的なグラフである。
【図２６】図２３に示される眼鏡装置の制御部によって作成されるデータ列構造の概略図である。
【図２７】左眼及び右眼への透過光量を増大させる期間のタイミングの補正を表す概略的なタイミングチャートである。
【図２８】図２１に示される映像システムの制御方法を表す概略的なフローチャートである。
【図２９】第５実施形態の眼鏡装置の機能構成を表す概略的なブロック図である。
【図３０】図２９に示される眼鏡装置を備える映像システムの概略図である。
【図３１】図３０に示される映像システムの表示装置の機能構成を表す概略的なブロック図である。
【図３２】図３０に示される映像システムの制御方法を表す概略的なフローチャートである。
【発明を実施するための形態】
【００１９】    
例示的な映像技術が、添付の図面を参照して説明される。尚、図面に示される構成、配置或いは形状等並びに図面に関連する記載は、映像技術の原理を容易に理解させることを目的とする。したがって、映像技術の原理は、以下の詳細な説明に何ら限定するものではない。
【００２０】
＜第１実施形態＞
（眼鏡装置）
図１は、第１実施形態の眼鏡装置１００の概略的な斜視図である。図１を用いて、眼鏡装置１００が説明される。
【００２１】
眼鏡装置１００は、観察者の左眼及び右眼へ透過する光量を調整するシャッタ部１１０を備える。シャッタ部１１０は、観察者の左眼前に配置される左シャッタ１１１と、右眼前に配置される右シャッタ１１２と、を含む。
【００２２】
表示装置（後述される）が、左眼で観察される左フレーム画像を表示している間、左シャッタ１１１が開く一方で、右シャッタ１１２は閉じる。この結果、左眼へ到達する映像光の量は大きくなる一方で、右眼へ到達する映像光の量は小さくなる。かくして、観察者は、左眼で主に左フレーム画像を観察することとなる。
【００２３】
表示装置が、右眼で観察される右フレーム画像を表示している間、左シャッタ１１１が閉じる一方で、右シャッタ１１２は開く。この結果、左眼へ到達する映像光の量は小さくなる一方で、右眼へ到達する映像光の量は大きくなる。かくして、観察者は、右眼で主に右フレーム画像を観察することとなる。
【００２４】
表示装置が、例えば、左フレーム画像と右フレーム画像とを交互に表示し、且つ、左シャッタ１１１及び右シャッタ１１２が、上述の如く、左フレーム画像及び右フレーム画像に同期して、開閉するならば、観察者は、左フレーム画像と右フレーム画像とを脳内で合成する。左フレーム画像に描かれるオブジェクトと右フレーム画像に描かれるオブジェクトとの間には、例えば、位置的な差異が設けられているので、観察者は、位置的な差異量の分だけ、映像が表示される表示面からオブジェクトが飛び出したように、或いは、表示面からオブジェクトが引っ込んだように知覚することができる（即ち、観察者は、表示装置が表示する映像を立体的に知覚する）。
【００２５】
上述の如く、左シャッタ１１１は、左眼へ透過する映像光の量を増大又は減少させる変動タイミングを左フレーム画像の表示期間（左フレーム期間）に適合させる。右シャッタ１１２は、右眼へ透過する映像光の量を増大又は減少させる変動タイミングを右フレーム画像の表示期間（右フレーム期間）に適合させる。この結果、観察者は、表示装置が表示する映像を立体的に知覚することができる。以下の説明において、シャッタ部１１０による変動タイミングの調整は、「調整動作」と称される。本実施形態において、シャッタ部１１０は、光量調整部として例示される。
【００２６】
シャッタ部１１０の調整動作は、表示装置から送信される同期制御信号に基づいて制御される。眼鏡装置１００は、同期制御信号を受信する受信素子１５０を備える。本実施形態において、同期制御信号は、赤外線信号であってもよく、或いは、無線信号であってもよい。本実施形態において、受信素子１５０は、受信部として例示される。
【００２７】
表示装置は、左フレーム画像及び／又は右フレーム画像の表示の開始のタイミングを、眼鏡装置１００に通知するために同期制御信号を送信する。眼鏡装置１００が、同期制御信号に応じて、左フレーム画像の表示の開始に同期して、左シャッタ１１１を開くならば、観察者は、左フレーム画像を適切に観察することができる。眼鏡装置１００が、同期制御信号に応じて、右フレーム画像の表示の開始に同期して、右シャッタ１１２を開くならば、観察者は、右フレーム画像を適切に観察することができる。本実施形態において、同期制御信号は、各フレーム画像のタイミングを規定するために用いられる。
【００２８】
本実施形態において、同期制御信号が規定する変動タイミングは、左フレーム画像及び／又は右フレーム画像の表示タイミングに専ら依存する。同期制御信号に対する眼鏡装置１００の応答特性は、眼鏡装置１００の固有の性能や眼鏡装置１００が使用される環境（温度環境や電池残量）に影響される。したがって、シャッタ部１１０の調整動作が、眼鏡装置１００の応答特性に大きく影響されるならば、表示装置が同期制御信号を適切に送信しても、観察者が適切なタイミングで左フレーム画像及び／又は右フレーム画像を観察できないこともある。本実施形態の原理は、眼鏡装置１００のシャッタ部１１０の応答特性のばらつき或いは変動が調整動作に与える影響を補償することに貢献する。
【００２９】
眼鏡装置１００は、シャッタ部１１０を支持するフレーム部１２１と、フレーム部１２１から観察者の耳へ向けて延びるアーム部１２２と、を備える。したがって、観察者は、一般的な視力矯正用の眼鏡と同様に、眼鏡装置１００を着用することができる。この結果、左シャッタ１１１は、左眼前に配置され、且つ、右シャッタ１１２は、右眼前に配置される。
【００３０】
眼鏡装置１００は、シャッタ部１１０への給電を制御するためのスイッチ素子１３０を更に備える。観察者がスイッチ素子１３０を「オン位置」に設定するならば、眼鏡装置１００内の様々な要素（後述される）への給電が開始される。観察者がスイッチ素子１３０を「オフ位置」に設定するならば、眼鏡装置１００内の様々な要素への給電は停止される。したがって、観察者は、スイッチ素子１３０を用いて、不必要な電力消費を防止することができる。
【００３１】
図２は、一般的な眼鏡装置の応答特性を表す概略的なタイミングチャートである。図１及び図２を用いて、眼鏡装置の応答特性のばらつき及び変動が説明される。
【００３２】
図２のセクション（ａ）は、左フレーム画像の表示期間として割り当てられた左フレーム期間と、右フレーム画像の表示期間として割り当てられた右フレーム期間とを表す。左フレーム期間及び右フレーム期間は交互に割り当てられている。
【００３３】
図２のセクション（ｂ）は、表示装置から送信される同期制御信号を表す。左シャッタを動作させるための同期制御信号は、左フレーム期間の開始に同期して送信される。右シャッタを動作させるための同期制御信号は、右フレーム期間の開始に同期して送信される。
【００３４】
図２のセクション（ｃ）は、左シャッタを駆動するための駆動信号を表す。図２のセクション（ｄ）は、右シャッタを駆動するための駆動信号を表す。
【００３５】
左シャッタ及び右シャッタの開閉タイミングは、駆動信号の電圧レベルの変動タイミングに依存する。左シャッタ用の駆動信号の電圧レベルは、眼鏡装置が左シャッタ用の同期制御信号を受信した後に降下する。所定期間の経過後、左シャッタ用の駆動信号の電圧レベルは、増加する。右シャッタ用の駆動信号の電圧レベルは、眼鏡装置が右シャッタ用の同期制御信号を受信した後に降下する。所定期間の経過後、右シャッタ用の駆動信号の電圧レベルは、上昇する。
【００３６】
図２のセクション（ｅ）は、左眼への透過光量の変動を表す。左眼への透過光量の変動は、左シャッタの調整動作を反映している。左シャッタの調整動作は、左シャッタ用の駆動信号の電圧レベルの変動に依存する。例えば、駆動信号の電圧レベルが降下するならば、左シャッタは開き始める。図２のセクション（ｅ）において、左シャッタ用の同期制御信号の立ち上がりから左眼への透過光量が最大透過光量の５０％に増加するまでの時間は、「Ｔ(ＬＯ)」の符号を用いて表される。また、駆動信号の電圧レベルが上昇するならば、左シャッタは閉じ始める。左シャッタ用の同期制御信号の立ち上がりから、左眼への透過光量が最大透過光量の５０％に減少するまでの時間は、「Ｔ(ＬＣ)」の符号を用いて表される。駆動信号の電圧レベルが低い間、左シャッタは開き、左眼への映像光の透過量は大きくなる。
【００３７】
左シャッタの開閉タイミングは、シャッタ材料、眼鏡装置の設計の差異、製造過程で生じたばらつきに起因して変動する。加えて、典型的な左シャッタに用いられる液晶の動作特性は、使用環境の温度や眼鏡装置が蓄えている電力量（電源電圧値）に影響されることが知られている。
【００３８】
図２のセクション（ｆ）は、右眼への透過光量の変動を表す。右眼への透過光量の変動は、右シャッタの調整動作を反映している。右シャッタの調整動作は、右シャッタ用の駆動信号の電圧レベルの変動に依存する。例えば、駆動信号の電圧レベルが降下するならば、右シャッタは開き始める。右シャッタ用の同期制御信号の立ち上がりから右眼への透過光量が最大透過光量の５０％に増加するまでの時間は、「Ｔ(ＲＯ)」の符号を用いて表される。また、駆動信号の電圧レベルが上昇するならば、右シャッタは閉じ始める。右シャッタ用の同期制御信号の立ち上がりから、右眼への透過光量が最大透過光量の５０％に減少するまでの時間は、「Ｔ(ＲＣ)」の符号を用いて表される。駆動信号の電圧レベルが低い間、右シャッタは開き、右眼への映像光の透過量は大きくなる。
【００３９】
右シャッタの開閉タイミングは、シャッタ材料、眼鏡装置の設計の差異、製造過程で生じたばらつきに起因して変動する。加えて、典型的な右シャッタに用いられる液晶の動作特性は、使用環境の温度や眼鏡装置が蓄えている電力量（電源電圧値）に影響されることが知られている。
【００４０】
上述の如く、眼鏡装置による調整動作は、様々な因子によって変動される。図１を参照して説明された眼鏡装置１００の様々な要素（後述される）は、シャッタ部１１０の調整動作と調整動作に影響を与える影響因子との関係を表す特性データを利用して、同期制御信号の立ち上がりから左眼及び右眼への透過光量が５０％に増加或いは減少するのに要する時間のばらつきを抑制する。
【００４１】
図３は、眼鏡装置１００のハードウェア構成を表す概略的なブロック図である。図３を用いて、眼鏡装置１００のハードウェア構成が説明される。
【００４２】
眼鏡装置１００は、上述の如く、シャッタ部１１０、スイッチ素子１３０及び受信素子１５０を備える。シャッタ部１１０は、左シャッタ１１１及び右シャッタ１１２に加えて、これらを駆動するための駆動回路１１３を備える。表示装置が左フレーム画像を表示している間、駆動回路１１３は、左シャッタ１１１及び右シャッタ１１２へ印加する電圧値を調整し、左シャッタ１１１を開き、右シャッタ１１２を閉じる。表示装置が右フレーム画像を表示している間、駆動回路１１３は、左シャッタ１１１及び右シャッタ１１２へ印加する電圧値を調整し、左シャッタ１１１を閉じ、右シャッタ１１２を開く。
【００４３】
眼鏡装置１００は、駆動回路１１３を制御するためのＣＰＵ１４０を更に備える。受信素子１５０は、表示装置から受け取った同期制御信号をＣＰＵ１４０に出力する。表示装置が同期制御信号として、赤外線信号を送信するならば、受信素子１５０は、赤外線信号を電気信号に変換する。受信素子１５０は、電気信号をＣＰＵ１４０に出力する。表示装置が同期制御信号として、無線信号を送信するならば、受信素子１５０は、無線信号をＣＰＵ１４０が読み取ることができる形式に変換する。変換された信号は、ＣＰＵ１４０に出力される。
【００４４】
ＣＰＵ１４０は、受信素子１５０を通じて、取得した同期制御信号に応じて、駆動回路１１３を制御する。駆動回路１１３は、ＣＰＵ１４０の制御下で、表示装置の表示動作に同期して、左シャッタ１１１及び右シャッタ１１２を駆動することができる。本実施形態において、ＣＰＵ１４０は、第１制御部として例示される。
【００４５】
眼鏡装置１００は、ＣＰＵ１４０へ時刻に関する情報を出力するクロック１４１を更に備える。ＣＰＵ１４０は、クロック１４１からの時刻データに応じて、同期制御信号の受信時刻を見極めることができる。ＣＰＵ１４０は、同一の波形を有する同期制御信号の受信時刻に対して平均化処理を行ってもよい。ＣＰＵ１４０は、平均化処理後の受信時刻のデータに基づき、左シャッタ１１１及び右シャッタ１１２を開閉する時刻を決定してもよい。
【００４６】
眼鏡装置１００は、同期制御信号の受信時刻に関するデータを格納するメモリ１４２を更に備える。メモリ１４２には、上述の調整動作に関する特性データも格納される。ＣＰＵ１４０は、メモリ１４２に格納された特性データを参照し、左シャッタ１１１及び右シャッタ１１２を開閉する時刻を決定する。本実施形態において、メモリ１４２は、記憶部として例示される。
【００４７】
眼鏡装置１００は、駆動回路１１３に印加された電源電圧値を検出する電圧検出素子１４３を更に備える。電圧検出素子１４３は、駆動回路１１３に印加された電源電圧値に関するデータをＣＰＵ１４０に出力する。本実施形態において、メモリ１４２に格納された特性データは、駆動回路１１３に印加された電源電圧値と、左シャッタ１１１及び／又は右シャッタ１１２の応答速度（動作速度）との関係を表す。特性データは、後述される。
【００４８】
眼鏡装置１００は、電池１４４を更に備える。電池１４４が蓄える電力は、シャッタ部１１０、ＣＰＵ１４０、クロック１４１、メモリ１４２、電圧検出素子１４３及び受信素子１５０へ、スイッチ素子１３０を通じて供給される。観察者は、スイッチ素子１３０を操作し、電池１４４からこれらの要素への電力供給を制御することができる。本実施形態において、電池１４４は、電源部として例示される。
【００４９】
電池１４４が蓄える電力量は、駆動回路１１３に加わる電圧値に影響する。したがって、電圧検出素子１４３が検出する電圧値は、電池１４４に蓄えられている電力量を反映する。本実施形態において、電圧検出素子１４３は、電力検出部として例示される。本実施形態において、電池１４４に蓄えられている電力量は、電圧検出素子１４３によって検出された電圧値に代替されている。しかしながら、電池に蓄えられた電力量は、直接的に測定されてもよい。或いは、電池に蓄えられた電力量を反映する他の可変量が代替的に検出されてもよい。
【００５０】
シャッタ部１１０が調整動作を行うならば、電池１４４に蓄えられた電力は消費される。この結果、電池１４４の電力量は、徐々に低減する。本実施形態において、左シャッタ１１１及び右シャッタ１１２の動作速度は、電池１４４の電力量の低下に伴い、遅くなる。メモリ１４２に格納された特性データは、電池１４４の電力量の低下に伴って遅くなるシャッタ部１１０の動作速度の傾向を表す。ＣＰＵ１４０は、メモリ１４２に格納された特性データと電圧検出素子１４３が出力した電圧値に関するデータとを比較し、左眼及び右眼へ透過する映像光の量を増大及び減少させるタイミングを決定する。決定手法は、後述される。
【００５１】
図４は、特性データを取得するための測定システム９００の概略図である。図４を用いて、特性データの取得方法が説明される。
【００５２】
測定システム９００は、眼鏡装置１００の左シャッタ１１１又は右シャッタ１１２に向けて光を出射する単色ＬＥＤ９１０と、左シャッタ１１１又は右シャッタ１１２を透過した光の輝度を測定する輝度測定器９２０と、を備える。輝度測定器９２０は、眼鏡装置１００のメモリ１４２に、測定された輝度のデータを時間データとともに出力する。
【００５３】
測定システム９００は、眼鏡装置１００の駆動回路１１３に電力を供給する電源９３０と、駆動回路１１３へ印加される電圧を制御する印加制御部９４０と、を備える。電源９３０は、駆動回路１１３に印加される電圧レベルを可変にする。印加制御部９４０は、電源９３０による駆動回路１１３への電圧印加のタイミングを調整する。印加制御部９４０は、眼鏡装置１００のメモリ１４２に、電源９３０から出力される電圧のデータを時間データとともに出力する。尚、印加制御部９４０から出力される時間データは、輝度測定器９２０から出力される時間データと一致している。
【００５４】
図５Ａ及び図５Ｂは、測定システム９００を用いて測定された特性データを表す概略的なグラフである。図４乃至図５Ｂを用いて、特性データが説明される。
【００５５】
図５Ａは、電源９３０が高い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５６】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ１において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ１において、左シャッタ１１１又は右シャッタ１１２を通じて得られた輝度は、最大値の１０％となる。図５Ａには、時刻ＴＯ１と時刻ＴＤとの差分値「ΔＴＯＨ」及び時刻ＴＣ１と時刻ＴＵとの差分値「ΔＴＣＨ」が示されている。
【００５７】
図５Ｂは、電源９３０が低い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５８】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ２において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ２において、左シャッタ１１１又は右シャッタ１１２を通じて得られた輝度は、最大値の１０％となる。図５Ｂには、時刻ＴＯ２と時刻ＴＤとの差分値「ΔＴＯＬ」及び時刻ＴＣ２と時刻ＴＵとの差分値「ΔＴＣＬ」が示されている。本実施形態において、差分値「ΔＴＯＬ」は、図５Ａを参照して説明された差分値「ΔＴＯＨ」よりも大きい。また、差分値「ΔＴＣＬ」は、図５Ａを参照して説明された差分値「ΔＴＣＨ」よりも大きい。
【００５９】
メモリ１４２は、駆動回路１１３に印加された電圧のレベルに関連づけて、上述の差分値に関するデータを記憶してもよい。この結果、メモリ１４２に記憶されたデータは、電圧レベルの変動に対応した左シャッタ１１１及び右シャッタ１１２の応答遅れを表すことができる。特性データを用いた左シャッタ１１１及び右シャッタ１１２の制御は、後述される。
【００６０】
図６は、眼鏡装置１００の機能構成を表す概略的なブロック図である。図３及び図６を用いて、眼鏡装置１００が説明される。
【００６１】
眼鏡装置１００は、調整動作を司る作動部１６０と、作動部１６０が必要とする電力を供給する給電部１７０と、を備える。
【００６２】
給電部１７０は、電力を蓄える電源部１７１と、作動部１６０への電力供給を制御するための給電切替部１７２と、を備える。電源部１７１は、図３を参照して説明された電池１４４に相当する。給電切替部１７２は、図３を参照して説明されたスイッチ素子１３０に相当する。作動部１６０による調整動作、受信動作や信号処理動作の結果、電源部１７１に蓄えられた電力量は低減する。
【００６３】
作動部１６０は、調整動作を実行する光量調整部１６１を備える。光量調整部１６１は、左眼への透過光量を調整するための左調整部１６２と、右眼への透過光量を調整するための右調整部１６３と、左調整部１６２と右調整部１６３とを駆動するための駆動部１６４と、を備える。
【００６４】
表示装置が左フレーム画像を表示している間、駆動部１６４は、左調整部１６２を駆動し、左眼へ透過する映像光の量を増大させる。この間、駆動部１６４は、右調整部１６３に、右眼への低減された透過光量を維持させる。駆動部１６４は、左調整部１６２に、所定期間、左眼への増大された透過光量を維持させた後、左調整部１６２を動作させる。この結果、左調整部１６２は、左眼へ透過する映像光の量を低減させる。
【００６５】
表示装置が右フレーム画像を表示している間、駆動部１６４は、右調整部１６３を駆動し、右眼へ透過する映像光の量を増大させる。この間、駆動部１６４は、左調整部１６２に、左眼への低減された透過光量を維持させる。駆動部１６４は、右調整部１６３に、所定期間、右眼への増大された透過光量を維持させた後、右調整部１６３を動作させる。この結果、右調整部１６３は、右眼へ透過する映像光の量を低減させる。
【００６６】
本実施形態において、光量調整部１６１は、シャッタ部１１０に対応する。左調整部１６２は、左シャッタ１１１に対応する。右調整部１６３は、右シャッタ１１２に対応する。駆動部１６４は、駆動回路１１３に対応する。
【００６７】
左調整部１６２が、左眼への透過光量を増大させることは、左シャッタ１１１が開くことを意味する。左調整部１６２が、左眼への透過光量を減少させることは、左シャッタ１１１が閉じることを意味する。右調整部１６３が、右眼への透過光量を増大させることは、右シャッタ１１２が開くことを意味する。右調整部１６３が、右眼への透過光量を減少させることは、右シャッタ１１２が閉じることを意味する。
【００６８】
眼鏡装置１００は、表示装置からの同期制御信号を受信する受信部１６５を更に備える。受信部１６５は、図３を参照して説明された受信素子１５０に相当する。
【００６９】
眼鏡装置１００は、光量調整部１６１の駆動部１６４を制御する制御部１６６を更に備える。受信部１６５は、同期制御信号を制御部１６６へ出力する。例えば、制御部１６６は、同期制御信号の受信時刻を平均化処理し、同期制御信号によって規定される増大期間のタイミング（左調整部１６２が左眼への透過光量を増大させている期間のタイミング及び／又は右調整部１６３が右眼への透過光量を増大させている期間のタイミング）又は減少期間のタイミング（左調整部１６２が左眼への透過光量を減少させている期間のタイミング及び／又は右調整部１６３が右眼への透過光量を減少させている期間のタイミング）を見極めてもよい。制御部１６６は、上述の特性データと駆動部１６４に印加された電圧とを比較し、見極められた増大期間のタイミング又は減少期間のタイミングを補正する。制御部１６６は、補正された増大期間のタイミング又は減少期間のタイミングに基づき、駆動部１６４を制御する。この結果、駆動部１６４によって駆動される左調整部１６２及び右調整部１６３の調整動作が適切に制御される。制御部１６６は、図３を参照して説明されたＣＰＵ１４０及びクロック１４１に対応する。本実施形態において、制御部１６６は、第１制御部として例示される。
【００７０】
眼鏡装置１００は、駆動部１６４に印加される電圧レベルと光量調整部１６１の動作速度との関係を表す特性データを記憶する記憶部１６７と、駆動部１６４に印加されている電圧のレベルを検出する電圧検出部１６８と、を備える。本実施形態において、駆動部１６４に印加される電圧のレベルは、電源部１７１が蓄える電力量に依存する。したがって、電圧検出部１６８によって検出された駆動部１６４での電圧レベルは、電源部１７１が蓄える電力量を反映している。記憶部１６７は、図３を参照して説明されたメモリ１４２に相当する。電圧検出部１６８は、図３を参照して説明された電圧検出素子１４３に相当する。本実施形態において、電圧検出部１６８は、電力検出部として例示される。
【００７１】
制御部１６６は、記憶部１６７を参照し、駆動部１６４に印加される電圧レベルと光量調整部１６１の動作速度との関係を表す特性データを取得する。また、電圧検出部１６８は、制御部１６６に、駆動部１６４に印加されている電圧に関するデータを出力する。制御部１６６は、特性データと、電圧検出部１６８からの出力データと、を比較し、同期制御信号によって規定された変動タイミングを補正する。制御部１６６による補正処理は後述される。
【００７２】
（表示装置）
図７は、表示装置２００のハードウェア構成を表す概略的なブロック図である。図３及び図７を用いて、表示装置２００が説明される。
【００７３】
表示装置２００は、映像信号が入力される復号化ＩＣ２０１を備える。復号化ＩＣ２０１に入力される映像信号は、符号化されている。復号化ＩＣ２０１は、映像信号を復号化し、映像データを所定の様式で出力する。映像信号は、ＭＰＥＧ（Motion Picture Experts Group）−２、ＭＰＥＧ−４やＨ２６４といった手法に従い符号化されてもよい。
【００７４】
表示装置２００は、映像信号処理ＩＣ２０２を更に備える。復号化ＩＣ２０１は、映像信号処理ＩＣ２０２に復号化された映像信号を出力する。映像信号処理ＩＣ２０２は、復号化された映像信号を処理し、立体映像を表示するための映像データを作り出す。例えば、映像信号処理ＩＣ２０２は、映像信号から、左フレーム画像に対応する映像データと、右フレーム画像に対応する映像データと、を抽出してもよい。映像信号処理ＩＣ２０２は、その後、左フレーム画像に対応する映像データと、右フレーム画像に対応する映像データと、交互に出力してもよい。代替的に、左フレーム画像に対応する映像データ及び右フレーム画像に対応する映像データは、復号化ＩＣ２０１から映像信号処理ＩＣ２０２へ出力される映像信号から自動的に生成されてもよい。映像信号処理ＩＣ２０２は、左フレーム画像に対応する映像データと、右フレーム画像に対応する映像データと、交互に出力してもよい。
【００７５】
表示装置２００は、左フレーム画像と右フレーム画像とを交互に表示するディスプレイパネル２０３を更に備える。映像信号処理ＩＣ２０２は、ディスプレイパネル２０３に対応する信号入力方式に従って、左フレーム画像及び右フレーム画像に対応する映像データを出力する。
【００７６】
映像信号処理ＩＣ２０２は、ディスプレイパネル２０３の特性に応じて、他の処理（例えば、色彩調整処理やフレームレートの調整処理）を行ってもよい。映像信号処理ＩＣ２０２が、復号化ＩＣ２０１が生成した映像データのフレーム間の映像を補間するならば、ディスプレイパネル２０３が表示する映像のフレームレートが増大することとなる。
【００７７】
表示装置２００は、眼鏡装置１００の受信素子１５０へ送信される同期制御信号を生成する送信制御ＩＣ２０４を更に備える。送信制御ＩＣ２０４が生成する同期制御信号は、ディスプレイパネル２０３に表示されるフレーム画像の表示の開始及び／又は終了を通知するために用いられる。上述の如く、眼鏡装置１００は、同期制御信号によって通知されるフレーム画像の表示の開始時刻及び／又は終了時刻を、左シャッタ１１１及び右シャッタ１１２が左眼及び右眼へ透過光量を増大又は減少させている期間のタイミング（増大期間又は減少期間のタイミング）の基準として利用する。眼鏡装置１００は、同期制御信号が規定した基準のタイミングを補正し、シャッタ部１１０の特性に応じたタイミングで左シャッタ１１１及び右シャッタ１１２を動作させる。
【００７８】
表示装置２００は、同期制御信号を送信するための送信素子２０５を更に備える。本実施形態において、送信素子２０５は、赤外線を発光する発光素子であってもよい。代替的に、送信素子２０５は、無線信号を送信可能な無線素子であってもよい。送信制御ＩＣ２０４は、送信素子２０５を制御する。送信素子２０５は、送信制御ＩＣ２０４の制御下で、同期制御信号を送信する。同期制御信号の送信は、左フレーム画像及び右フレーム画像の表示に同期される。
【００７９】
表示装置２００は、復号化ＩＣ２０１、映像信号処理ＩＣ２０２及び送信制御ＩＣ２０４を制御するＣＰＵ２０６を更に備える。ＣＰＵ２０６は、映像信号処理ＩＣ２０２及び送信制御ＩＣ２０４に対する制御を司るので、同期制御信号の送信を、左フレーム画像及び右フレーム画像の表示に適切に同期させることができる。
【００８０】
表示装置２００は、ＣＰＵ２０６が実行するプログラムを格納するメモリ２０７を更に備える。メモリ２０７は、ＣＰＵ２０６によるプログラムの実行に伴って発生したデータを記憶する領域として利用されてもよい。メモリ２０７として、揮発性のＲＡＭ（Random  Access  Memory）や不揮発性のＲＯＭ（Read  Only  Memory）が利用されてもよい。
【００８１】
表示装置２００は、ＣＰＵ２０６へクロック信号を供給するクロック２０８を更に備える。ＣＰＵ２０６は、クロック信号を利用して、同期制御信号の送信を、左フレーム画像及び右フレーム画像の表示に適切に同期させることができる。
【００８２】
図８は、表示装置２００の機能構成を表す概略的なブロック図である。図６乃至図８を用いて、表示装置２００が更に説明される。
【００８３】
表示装置２００は、映像信号が入力される入力部２１１を備える。入力部２１１に入力される映像信号は、符号化されている。入力部２１１は、映像信号を復号化し、映像データを所定の様式で出力する。映像信号は、ＭＰＥＧ（Motion Picture Experts Group）−２、ＭＰＥＧ−４やＨ２６４といった手法に従い符号化されてもよい。入力部２１１は、図７を参照して説明された復号化ＩＣ２０１に相当する。
【００８４】
表示装置２００は、映像処理部２１２を更に備える。入力部２１１は、復号化された映像信号を映像処理部２１２へ出力する。映像処理部２１２は、映像信号に応じて、左フレーム画像及び右フレーム画像を表示するための映像データを生成する。映像処理部２１２は、図７を参照して説明された映像信号処理ＩＣ２０２に相当する。
【００８５】
表示装置２００は、表示部２１３を更に備える。映像処理部２１２は、左フレーム画像を表示するための映像データと、右フレーム画像を表示するための映像データと、を表示部２１３に交互に出力する。表示部２１３は、映像処理部２１２から受け取った映像データを用いて、左フレーム画像と右フレーム画像とを交互に表示する。
【００８６】
表示装置２００は、映像処理部２１２を制御する制御部２１６を更に備える。映像処理部２１２は、制御部２１６の制御下で、上述の映像信号の処理を行う。制御部２１６は、図７を参照して説明されたＣＰＵ２０６、メモリ２０７及びクロック２０８に相当する。
【００８７】
表示装置２００は、制御部２１６の制御下で、同期制御信号を生成する信号生成部２１４を更に備える。制御部２１６は、映像処理部２１２から表示部２１３への左フレーム画像のデータの出力に同期して、信号生成部２１４に、左フレーム画像の表示を通知するための同期制御信号を出力させる。制御部２１６は、映像処理部２１２から表示部２１３への右フレーム画像のデータの出力に同期して、信号生成部２１４に、右フレーム画像の表示を通知するための同期制御信号を出力させる。信号生成部２１４は、図７を参照して説明された送信制御ＩＣ２０４に相当する。
【００８８】
表示装置２００は、同期制御信号を送信するための送信部２１５を更に備える。信号生成部２１４は、同期制御信号を送信部２１５に出力する。送信部２１５は、眼鏡装置１００の受信部１６５へ同期制御信号を送信する。送信部２１５は、図７を参照して説明された送信素子２０５に相当する。
【００８９】
（補正処理）
図９は、眼鏡装置１００の制御部１６６による同期制御信号に対する処理を表す概略的な表である。図６、図８及び図９を用いて、同期制御信号に対する処理が説明される。
【００９０】
表示装置２００の信号生成部２１４が生成する同期制御信号は、左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、を含んでもよい。これらのコマンド信号は、互いに異なる波形を有する。眼鏡装置１００の制御部１６６は、コマンド信号の波形に基づき、コマンド信号による通知内容を把握することができる。
【００９１】
眼鏡装置１００の制御部１６６は、例えば、上述のコマンド信号の受信時刻からシャッタ部１１０の透過光量が最大透過光量の５０％になるまでの時間に関するデータを、順次、記憶部１６７に格納する。図９には、記憶部１６７に格納された時刻データ（「ｔ１１」乃至「ｔｎ４」）が示されている。
【００９２】
左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、からなるコマンド信号の組（以下、コマンド信号組と称される）が、所定数、記憶部１６７に格納されると、制御部１６６は、同期制御信号によって規定される基準データを生成する。
【００９３】
コマンド信号組内で、左フレーム画像の表示終了を表すコマンド信号の受信時刻と左フレーム画像の表示開始時刻との差分値が演算されてもよい。コマンド信号組内で、右フレーム画像の表示開始を表すコマンド信号の受信時刻と左フレーム画像の表示開始との差分値が演算されてもよい。コマンド信号組内で、右フレーム画像の表示終了を表すコマンド信号の受信時刻と左フレーム画像の表示開始との差分値が演算されてもよい。これらの演算から得られた差分値が平均化されるならば、左フレーム画像の表示開始を通知するコマンド信号の受信時刻を基準とした他のコマンド信号の受信時刻の平均値が算出される。
【００９４】
先行するコマンド信号組と後続のコマンド信号組との間で、左フレーム画像の表示開始を通知するコマンド信号の受信時刻の差分値が演算されてもよい。これらの差分値が平均化されるならば、コマンド信号組の平均的な受信周期が算出される。
【００９５】
制御部１６６は、上述の差分値の演算を用いて、同期制御信号によって規定される基準データを生成することができる。受信部１６５が、基準データから大きく外れた信号を受信するならば、制御部１６６は、受信部１６５によって受信された信号をノイズ信号として処理することができる。
【００９６】
図１０は、上述の演算によって得られた基準データを表す概略的なグラフである。図６、図８及び図１０を用いて、基準データが説明される。
【００９７】
眼鏡装置１００の制御部１６６による上述の処理の結果、制御部１６６は、時刻Ｔ１において左フレーム画像の表示が開始され、時刻Ｔ２において左フレーム画像の表示が終了することを見極める。制御部１６６は、時刻Ｔ３において右フレーム画像の表示が開始され、時刻Ｔ４において右フレーム画像の表示が終了することを見極める。時刻Ｔ１から時刻Ｔ２の期間は、同期制御信号によって規定されたタイミング（左眼用）として例示される。時刻Ｔ３から時刻Ｔ４の期間は、同期制御信号によって規定されたタイミング（右眼用）として例示される。
【００９８】
図１１は、眼鏡装置１００の記憶部１６７に記憶された特性データを表す概略的な表である。図５Ａ乃至図６並びに図１１を用いて、基準データに対する補正処理が説明される。
【００９９】
記憶部１６７には、図５Ａ及び図５Ｂを参照して説明された測定の結果から得られた特性データとして、駆動部１６４に印加された電圧のレベルと、電圧レベルに関連づけられた補正値が記憶されている。図１１において、電源部１７１に蓄えられた電力量が最大値であるときの電圧レベルは、「ＶＨ」の記号を用いて表されている。図１１において、電源部１７１に蓄えられた電力量が最小値（光量調整部１６１に調整動作を実行させることができる最小レベルの電力量）であるときの電圧レベルは、「ＶＬ」の記号を用いて表されている。
【０１００】
記憶部１６７は、電圧レベルＶＨに関連づけて、補正値ＣＨを記憶している。記憶部１６７は、電圧レベルＶＬに関連づけて、補正値ＣＬを記憶している。また、記憶部１６７、電圧レベルＶＨ，ＶＬの間の電圧レベルにそれぞれ関連づけて、複数の補正値（Ｃｎ乃至Ｃ１）を記憶している。本実施形態において、記憶部１６７に記憶された補正値は、電圧レベルと同様に、補正値ＣＬから補正値ＣＨに向けて徐々に大きくなっている。
【０１０１】
図１２は、眼鏡装置１００の制御部１６６による補正処理を概略的に表すグラフである。図５Ａ乃至図６並びに図１０乃至図１２を用いて、制御部１６６による補正処理が説明される。
【０１０２】
図１２に示される上側のグラフは、図１０を参照して説明された基準データを表す。図１２に示される中央のグラフは、電圧検出部１６８が電圧レベルＶＬを検出したときに、制御部１６６の制御下で駆動部１６４が左調整部１６２及び右調整部１６３へ出力する駆動信号の電圧レベルの変動を表す。図１２に示される下側のグラフは、電圧検出部１６８が電圧レベルＶＨを検出したときに、制御部１６６の制御下で駆動部１６４が左調整部１６２及び右調整部１６３へ出力する駆動信号の電圧レベルの変動を表す。
【０１０３】
制御部１６６は、電圧検出部１６８が検出した駆動部１６４における電圧レベルと、記憶部１６７に記憶された特性データと、を対比する。電圧検出部１６８が、「ＶＬ」の電圧レベルが検出されたことを表すデータを制御部１６６に出力するならば、制御部１６６は、記憶部１６７に記憶された特性データから、電圧レベルＶＬに対応する補正値ＣＬを用いて、基準データを補正することを決定する。電圧検出部１６８が、「ＶＨ」の電圧レベルが検出されたことを表すデータを制御部１６６に出力するならば、制御部１６６は、記憶部１６７に記憶された特性データから、電圧レベルＶＨに対応する補正値ＣＨを用いて、基準データを補正することを決定する。
【０１０４】
補正値ＣＬを用いて、基準データを補正することを決定した制御部１６６は、補正値ＣＬを、時刻Ｔ１，Ｔ２，Ｔ３，Ｔ４にそれぞれ加算する。補正値ＣＨを用いて、基準データを補正することを決定した制御部１６６は、補正値ＣＨを、時刻Ｔ１，Ｔ２，Ｔ３，Ｔ４にそれぞれ加算する。駆動部１６４は、制御部１６６の制御下で、補正値ＣＬ，ＣＨが加算された時刻に電圧を変動させ、左調整部１６２及び右調整部１６３をそれぞれ動作させる。図１１を参照して説明されたように、補正値ＣＬは、補正値ＣＨよりも小さいので、電圧検出部１６８が、「ＶＬ」の電圧レベルを検出したときの駆動信号の電圧レベルの変動は、電圧検出部１６８が、「ＶＨ」の電圧レベルを検出したときよりも早くなる。したがって、電圧検出部１６８が、「ＶＬ」の電圧レベルを検出したときの左調整部１６２及び右調整部１６３の始動は、電圧検出部１６８が、「ＶＨ」の電圧レベルを検出したときよりも早くなる。
【０１０５】
一方、図５Ａ及び図５Ｂに関連して説明された如く、電圧検出部１６８が、「ＶＬ」の電圧レベルを検出したときの左調整部１６２及び右調整部１６３の動作は、電圧検出部１６８が、「ＶＨ」の電圧レベルを検出したときよりも遅い。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、電源部１７１が蓄える電力量の変動は、左調整部１６２及び右調整部１６３の動作タイミングにほとんど影響しなくなる。
【０１０６】
本実施形態において、電圧レベルに応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１０７】
図５Ａ及び図５Ｂを参照して説明された如く、特性データは、左調整部１６２及び右調整部１６３に対して個別に取得される。したがって、眼鏡装置１００の固有の性質に応じた補正制御が達成される。即ち、異なる型式の眼鏡装置間の性能差はもちろんのこと、同一の型式の眼鏡装置間の性能差は、好適に緩和される。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１０８】
（映像システム）
図１３は、映像システム３００の概略図である。図１３を用いて、映像システム３００が説明される。
【０１０９】
映像システム３００は、眼鏡装置１００と表示装置２００とを備える。表示装置２００は、ディスプレイパネル２０３を用いて、左眼で観察される左フレーム画像と、右眼で観察される右フレーム画像と、を交互に表示する。表示装置２００は、送信素子２０５から、左眼及び右眼へ透過する映像光の量を増大又は減少させる変動タイミングを規定する同期制御信号を眼鏡装置１００へ送信する。眼鏡装置１００は、同期制御信号に応じて、左シャッタ１１１及び右シャッタ１１２を動作させる。上述の補正制御を通じて、シャッタ部１１０は、変動タイミングを適切に調整することができる。この結果、眼鏡装置１００は、左眼及び右眼へ入射する映像光の光量を適切に調整し、ディスプレイパネル２０３が表示する映像を、観察者に、立体的に知覚させることができる。
【０１１０】
本実施形態において、変動タイミングの調整は、専ら、眼鏡装置１００に依存する。したがって、表示装置２００と眼鏡装置１００との通信は、簡素化される。
【０１１１】
（眼鏡装置の制御方法）
図１４は、眼鏡装置１００の制御方法を表す概略的なフローチャートである。図１４を用いて、眼鏡装置１００の制御方法が説明される。
【０１１２】
（ステップＳ１１０）
ステップＳ１１０において、受信部１６５は、同期制御信号を受信する。同期制御信号の受信時刻や同期制御信号が通知する情報は、制御部１６６を通じて、記憶部１６７に記憶される。その後、ステップＳ１２０が実行される。
【０１１３】
（ステップＳ１２０）
ステップＳ１２０において、制御部１６６は、記憶部１６７が、基準データを生成するのに十分な量のデータを記憶したか否かを判定する。記憶部１６７に記憶されたデータ量が不十分であるならば、ステップＳ１１０が再度実行される。この結果、記憶部１６７が基準データを生成するのに十分な量のデータを記憶するまで、受信部１６５は、同期制御信号の受信を続けることとなる。
【０１１４】
記憶部１６７が基準データを生成するのに十分な量のデータを記憶しているならば、制御部１６６は、基準データを生成する。基準データは、上述の如く、同期制御信号によって規定される変動タイミングを表す。基準データの生成の後、ステップＳ１３０が実行される。
【０１１５】
（ステップＳ１３０）
ステップＳ１３０において、電圧検出部１６８は、駆動部１６４に印加された電圧を検出する。電圧検出部１６８は、制御部１６６に検出された電圧のデータを出力する。電圧データの出力の後、ステップＳ１４０が実行される。
【０１１６】
（ステップＳ１４０）
ステップＳ１４０において、制御部１６６は、記憶部１６７に記憶された特性データと、電圧検出部１６８から出力された電圧データと、を比較し、補正値を決定する。補正値の決定の後、ステップＳ１５０が実行される。
【０１１７】
（ステップＳ１５０）
ステップＳ１５０において、制御部１６６は、決定された補正値を用いて、基準データを補正し、補正データを生成する。補正データの生成の後、ステップＳ１６０が実行される。
【０１１８】
（ステップＳ１６０）
ステップＳ１６０において、制御部１６６は、補正データを用いて、駆動部１６４を制御する。この結果、駆動部１６４は、特性データと駆動部１６４に印加されている電圧レベルとに応じて適切に調整されたタイミングで、左調整部１６２及び右調整部１６３を駆動することができる。かくして、左調整部１６２及び右調整部１６３は、適切に調整された変動タイミングで、左眼及び右眼への透過光量を増大又は減少することができる。
【０１１９】
＜第２実施形態＞
図１５は、第２実施形態の眼鏡装置１００Ａの機能構成を表す概略的なブロック図である。第１実施形態と同一の要素に対して、同一の符号が付されている。同一の符号が付された要素に対して、第１実施形態の説明が援用される。第１実施形態と第２実施形態との間の差異が以下に説明される。
【０１２０】
眼鏡装置１００Ａは、第１実施形態に関連して説明された給電部１７０に加えて、作動部１６０Ａを備える。作動部１６０Ａは、第１実施形態に関連して説明された受信部１６５及び光量調整部１６１に加えて、制御部１６６Ａ、記憶部１６７Ａ及び温度検出部１６８Ａを備える。
【０１２１】
左調整部１６２及び右調整部１６３が液晶を用いて形成されるならば、左調整部１６２及び右調整部１６３の応答速度（動作速度）は、映像が観察される環境の温度に応じて変動することもある。特に、左調整部１６２及び右調整部１６３の応答速度は、周囲温度の影響を受けやすい。したがって、本実施形態において、温度検出部１６８Ａは、環境温度として、駆動部１６４の温度を検出する。温度検出部１６８Ａとして、一般的な温度センサが好適に利用可能である。
【０１２２】
図１６は、記憶部１６７Ａに記憶される特性データを概略的に表す表である。図１５及び図１６を用いて、眼鏡装置１００Ａが更に説明される。
【０１２３】
記憶部１６７Ａには、温度検出部１６８Ａが検出すると想定される最大温度ＴＭＰＨ及び最小温度ＴＭＰＬ並びに最大温度ＴＭＰＨと最小温度ＴＭＰＬとの間のいくつかの温度に関する温度データと、温度データに関連づけて記憶された補正値のデータが記憶される。本実施形態において、最大温度ＴＭＰＨに対応する補正値ＣＨが最も大きく、最小温度ＴＭＰＬに対応する補正値ＣＨが最も小さい。検出される温度が低くなるにつれて、対応する補正値は小さく設定される。
【０１２４】
補正値は、駆動部１６４の温度（即ち、映像が観察される環境の温度）と左調整部１６２及び右調整部１６３の動作速度との関係に応じて定められる。眼鏡装置１００Ａの動作特性が、様々な温度環境下で調査され、補正値が決定されることが好ましい。この結果、記憶部１６７Ａには、眼鏡装置１００Ａの固有の特性データが格納される。
【０１２５】
制御部１６６Ａは、記憶部１６７Ａに格納された特性データと、温度検出部１６８Ａから出力される温度データと、を対比し、駆動部１６４の温度に応じた補正値を決定する。
【０１２６】
図１７は、制御部１６６Ａによる補正処理を概略的に表すグラフである。図１５乃至図１７を用いて、制御部１６６Ａによる補正処理が説明される。
【０１２７】
図１７に示される上側のグラフは、基準データを表す。第１実施形態に関連して説明された手法に従って、制御部１６６Ａは、受信部１６５が受信した同期制御信号を用いて基準データを生成する。
【０１２８】
図１７に示される中央のグラフは、温度検出部１６８Ａが最小温度ＴＭＰＬを検出したときに、制御部１６６Ａの制御下で駆動部１６４が左調整部１６２及び右調整部１６３へ出力する駆動信号の電圧レベルの変動を表す。図１７に示される下側のグラフは、温度検出部１６８Ａが最大温度ＴＭＰＨを検出したときに、制御部１６６Ａの制御下で駆動部１６４が左調整部１６２及び右調整部１６３へ出力する駆動信号の電圧レベルの変動を表す。
【０１２９】
制御部１６６Ａは、温度検出部１６８Ａが検出した駆動部１６４における検出温度と、記憶部１６７Ａに記憶された特性データと、を対比する。温度検出部１６８Ａが、「ＴＭＰＬ」の温度が検出されたことを表すデータを制御部１６６Ａに出力するならば、制御部１６６Ａは、記憶部１６７Ａに記憶された特性データから、温度ＴＭＰＬに対応する補正値ＣＬを用いて、基準データを補正することを決定する。温度検出部１６８Ａが、「ＴＭＰＨ」の温度レベルが検出されたことを表すデータを制御部１６６Ａに出力するならば、制御部１６６Ａは、記憶部１６７Ａに記憶された特性データから、温度ＴＭＰＨに対応する補正値ＣＨを用いて、基準データを補正することを決定する。
【０１３０】
補正値ＣＬを用いて、基準データを補正することを決定した制御部１６６Ａは、補正値ＣＬを、時刻Ｔ１，Ｔ２，Ｔ３，Ｔ４にそれぞれ加算する。補正値ＣＨを用いて、基準データを補正することを決定した制御部１６６Ａは、補正値ＣＨを、時刻Ｔ１，Ｔ２，Ｔ３，Ｔ４にそれぞれ加算する。駆動部１６４は、制御部１６６Ａの制御下で、補正値ＣＬ，ＣＨが加算された時刻に電圧を変動させ、左調整部１６２及び右調整部１６３をそれぞれ動作させる。この結果、左眼及び右眼への透過光量が増大する期間のタイミング（増大期間のタイミング）又は透過光量が減少する期間のタイミング（減少期間のタイミング）は、温度に応じた補正量だけ調整される。本実施形態において、制御部１６６Ａは、第１制御部として例示される。
【０１３１】
図１６を参照して説明されたように、補正値ＣＬは、補正値ＣＨよりも小さいので、温度検出部１６８Ａが、「ＴＭＰＬ」の温度を検出したときの駆動信号の電圧レベルの変動は、温度検出部１６８Ａが、「ＴＭＰＨ」の温度を検出したときよりも早くなる。したがって、温度検出部１６８Ａが、「ＴＭＰＬ」の温度を検出したときの左調整部１６２及び右調整部１６３の始動は、温度検出部１６８Ａが、「ＴＭＰＨ」の電圧レベルを検出したときよりも早くなる。
【０１３２】
左調整部１６２及び右調整部１６３が液晶を用いて形成されるならば、一般的に、環境温度が低くなるほど、左調整部１６２及び右調整部１６３の動作は遅くなる傾向がある。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、光量調整部１６１における温度の変動は、左調整部１６２及び右調整部１６３の動作タイミングにほとんど影響しなくなる。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１３３】
本実施形態において、環境温度に応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１３４】
変動タイミングに対する補正は、第１実施形態に関連して説明された電圧検出と第２実施形態に関連して説明された温度検出とに基づいて実行されてもよい。
【０１３５】
＜第３実施形態＞
図１８は、第３実施形態の眼鏡装置１００Ｂの機能構成を表す概略的なブロック図である。第２実施形態と同一の要素に対して、同一の符号が付されている。同一の符号が付された要素に対して、第２実施形態の説明が援用される。第２実施形態と第３実施形態との間の差異が以下に説明される。
【０１３６】
眼鏡装置１００Ｂは、第２実施形態に関連して説明された給電部１７０に加えて、作動部１６０Ｂを備える。作動部１６０Ｂは、第２実施形態に関連して説明された受信部１６５、光量調整部１６１及び記憶部１６７Ａに加えて、制御部１６６Ｂを備える。制御部１６６Ｂは、給電部１７０が作動部１６０Ｂへ給電を開始した時刻からの経過時間（以下、給電期間と称される）を測定する計時部１６８Ｂを備える。計時部１６８Ｂとして、図３に関連して説明されたクロック１４１が用いられてもよい。
【０１３７】
図１９は、給電期間と駆動部１６４の温度との関係を表す概略的なグラフである。図１６、図１８及び図１９を用いて、眼鏡装置１００Ｂが更に説明される。
【０１３８】
給電部１７０から作動部１６０Ｂへの給電に伴って、駆動部１６４の温度は、徐々に上昇する。給電期間と駆動部１６４の温度上昇との関係は、眼鏡装置１００Ｂに対して個別に調査されている。制御部１６６Ｂは、計時部１６８Ｂが測定した給電期間と、図１９に示される給電期間と温度上昇との相関と、に基づいて、駆動部１６４の温度を推定することができる。
【０１３９】
記憶部１６７Ａには、図１６を参照して説明された特性データが格納されている。制御部１６６Ｂは、推定された温度と、特性データと、を対比し、補正量を決定する。その後、制御部１６６Ｂは、第２実施形態に関連して説明された手法に従って、変動タイミングを調整する。本実施形態において、制御部１６６Ｂは、第１制御部として例示される。また、計時部１６８Ｂは、温度検出部として例示される。
【０１４０】
本実施形態の眼鏡装置１００Ｂは、駆動部１６４の温度を直接的に検出するための検出素子を必要としない。計時部１６８Ｂは、クロック信号を利用して給電期間に関する情報を取得するプログラムであってもよい。したがって、眼鏡装置１００Ｂの物理的な構造は、第２実施形態と比べて、簡素化される。
【０１４１】
＜第４実施形態＞
（表示装置）
図２０は、第４実施形態の表示装置２００Ｃの機能構成を表す概略的なブロック図である。第１実施形態と同一の要素に対して、同一の符号が付されている。同一の符号が付された要素に対して、第１実施形態の説明が援用される。第１実施形態と第４実施形態との間の差異が以下に説明される。
【０１４２】
表示装置２００Ｃは、第１実施形態に関連して説明された入力部２１１、映像処理部２１２及び表示部２１３を備える。入力部２１１には、映像信号が入力される。映像処理部２１２は、入力部２１１を通じて受け取った映像信号に応じて、左眼で観察される左フレーム画像及び右眼で観察される右フレーム画像のデータを表示部２１３に交互に出力する。表示部２１３は、映像処理部２１２からの出力に応じて、左フレーム画像と右フレーム画像とを交互に表示する。この結果、観察者は、表示部２１３に表示された映像を立体的に知覚することができる。
【０１４３】
表示装置２００Ｃは、映像処理部２１２を制御する制御部２１６Ｃを更に備える。制御部２１６Ｃは、左フレーム画像及び右フレーム画像の表示タイミングを決定する。表示部２１３は、決定された表示タイミングで、左フレーム画像と右フレーム画像とを、順次、表示する。本実施形態において、制御部２１６Ｃは、第２制御部として例示される。
【０１４４】
表示装置２００Ｃは、左フレーム画像及び右フレーム画像の表示タイミングを通知するための同期制御信号を、制御部２１６Ｃの制御下で生成する信号生成部２１４Ｃを更に備える。第１実施形態と異なり、信号生成部２１４Ｃが生成する同期制御信号が通知する表示タイミングの情報は、制御部２１６Ｃが、映像処理部２１２に対して決定した表示タイミングを基準に補正されている。表示タイミングの補正は、後述される。
【０１４５】
表示装置２００Ｃは、同期制御信号を送信する通信部２１５Ｃを更に備える。本実施形態において、信号生成部２１４Ｃは、好ましくは、同期制御信号として、無線信号を生成する。通信部２１５Ｃは、同期制御信号として生成された無線信号を送信する。本実施形態において、信号生成部２１４Ｃ及び通信部２１５Ｃは、制御信号通信部として例示される。通信部２１５Ｃとして、図７に関連して説明された送信素子２０５が用いられてもよい。
【０１４６】
表示装置２００Ｃは、映像が観察される環境の温度を検出するための温度検出部２１７を更に備える。温度検出部２１７が検出した温度のデータは、制御部２１６Ｃに出力される。制御部２１６Ｃは、温度データを用いて、表示タイミングを補正する。温度検出部２１７として、一般的な温度センサが好適に利用される。
【０１４７】
（映像システム）
図２１は、映像システム３００Ｃの概略図である。図２０及び図２１を用いて、映像システム３００Ｃが説明される。
【０１４８】
映像システム３００Ｃは、表示装置２００Ｃと眼鏡装置１００Ｃとを備える。通信部２１５Ｃは、眼鏡装置１００Ｃへ同期制御信号を送信する。眼鏡装置１００Ｃは、同期制御信号に応じて、左眼及び右眼へ透過する映像光の量を増大又は減少させる変動タイミングが、表示部２１３によって表示される左フレーム画像及び右フレーム画像の表示と同期するように、調整動作を行う。第１実施形態とは異なり、表示装置２００Ｃから送信される同期制御信号が含む表示タイミングに関する情報は、補正されているので、眼鏡装置１００Ｃが行う補正のための演算処理は軽減される。
【０１４９】
眼鏡装置１００Ｃは、表示装置２００Ｃに、眼鏡装置１００Ｃが実行する調整動作に関する特性データを送信する。表示装置２００Ｃの通信部２１５Ｃは、特性データを受信する。特性データは、後述される。
【０１５０】
通信部２１５Ｃは、受信された特性データを制御部２１６Ｃに出力する。制御部２１６Ｃは、通信部２１５Ｃからの特性データを記憶する記憶部２１８を備える。したがって、制御部２１６Ｃは、特性データを保持し続けることができる。記憶部２１８として、図７に関連して説明されたメモリ２０７が用いられてもよい。
【０１５１】
制御部２１６Ｃは、特性データと温度検出部２１７から出力された温度データとを用いて、映像処理部２１２に対して決定した表示タイミングを補正する。制御部２１６Ｃは、補正された表示タイミングを用いて、信号生成部２１４Ｃを制御する。この結果、信号生成部２１４Ｃによって生成された同期制御信号は、補正された表示タイミングに関する情報を含むこととなる。
【０１５２】
本実施形態において、表示装置２００Ｃと眼鏡装置１００Ｃとの間で、Bluetooth（登録商標）、ZigBeeやWiFiといった通信方式に従うパケット通信が実行される。尚、表示装置２００Ｃと眼鏡装置１００Ｃとの間の通信方式は、本実施形態の原理を何ら限定しない。
【０１５３】
図２２は、表示装置２００Ｃと眼鏡装置１００Ｃとの間の通信に用いられるパケット構造の概略図である。尚、図２２に示されるパケット構造は、Bluetooth（登録商標）に基づく。尚、パケット構造は、本実施形態の原理を何ら限定しない。図２０乃至図２２を用いて、表示装置２００Ｃと眼鏡装置１００Ｃとの間の通信が説明される。
【０１５４】
パケット構造は、ペイロードヘッダ、ペイロードボディ及びＣＲＣを含む。表示装置２００Ｃが眼鏡装置１００Ｃに送信する同期制御信号のペイロードボディには、補正された表示タイミングに関するタイミング情報が含まれる。また、眼鏡装置１００Ｃが表示装置２００Ｃに送信する特性データも、ペイロードボディに含まれる。
【０１５５】
表示装置２００Ｃの制御部２１６Ｃは、信号生成部２１４Ｃを制御し、記憶部２１８に格納された特性データや温度検出部２１７から出力された温度データに応じて、ペイロードボディに格納されたタイミング情報を変更してもよい。代替的に、制御部２１６Ｃは、信号生成部２１４Ｃ及び通信部２１５Ｃを制御し、記憶部２１８に格納された特性データや温度検出部２１７から出力された温度データに応じて、同期制御信号の送信タイミングを変更してもよい。
【０１５６】
（眼鏡装置）
図２３は、眼鏡装置１００Ｃの機能構成を表す概略的なブロック図である。図２０及び図２３を用いて、眼鏡装置１００Ｃが説明される。
【０１５７】
眼鏡装置１００Ｃは、第１実施形態に関連して説明された給電部１７０に加えて、作動部１６０Ｃを備える。作動部１６０Ｃは、第１実施形態に関連して説明された光量調整部１６１と、電圧検出部１６８と、を備える。光量調整部１６１は、左調整部１６２と右調整部１６３とを用いて、左眼及び右眼へ透過する映像光の量を調整するための調整動作を実行する。給電部１７０は、光量調整部１６１による調整動作のために用いられる電力を蓄える電源部１７１と、電源部１７１からの給電を制御するための給電切替部１７２と、を備える。電圧検出部１６８は、左調整部１６２と右調整部１６３とを駆動する駆動部１６４に印加された電圧を検出する。第１実施形態に関連して説明されたように、駆動部１６４に印加される電圧は、電源部１７１に蓄えられた電力量を反映する。したがって、電圧検出部１６８による電圧の検出は、電源部１７１が蓄える電力量を検出することを意味する。
【０１５８】
眼鏡装置１００Ｃは、特性データを記憶する記憶部１６７Ｃを更に備える。電圧検出部１６８が検出した電圧のデータ及び図２０を参照して説明された温度検出部２１７が検出した温度のデータは、表示装置２００Ｃの制御部２１６Ｃによる補正処理に用いられる。記憶部１６７Ｃは、環境温度と光量調整部１６１による調整動作との関係並びに駆動部１６４に印加される電圧と光量調整部１６１による調整動作との関係を表す特性データを記憶する。
【０１５９】
眼鏡装置１００Ｃは、駆動部１６４を、表示装置２００Ｃから送信された同期制御信号に応じて制御する制御部１６６Ｃを更に備える。第１実施形態と異なり、同期制御信号が含む表示タイミングの情報は、表示装置２００Ｃによって補正されているので、眼鏡装置１００Ｃの制御部１６６Ｃは、同期制御信号に対する補正処理のための演算を実行する必要はない。本実施形態において、眼鏡装置１００Ｃの制御部１６６Ｃは、第１制御部として例示される。
【０１６０】
眼鏡装置１００Ｃは、同期制御信号を受信する通信部１６５Ｃを更に備える。通信部１６５Ｃは、制御部１６６Ｃに同期制御信号を出力する。制御部１６６Ｃは、同期制御信号に応じて、駆動部１６４を制御する。この結果、左調整部１６２及び右調整部１６３は、左眼及び右眼への透過光量を適切に調整することができる。
【０１６１】
制御部１６６Ｃは、記憶部１６７Ｃに記憶された特性データを読み出す。通信部１６５Ｃは、その後、特性データを表示装置２００Ｃに送信する。表示装置２００Ｃの通信部２１５Ｃは、特性データを受信する。特性データは、表示装置２００Ｃの制御部２１６Ｃが備える記憶部２１８に記憶される。本実施形態において、眼鏡装置１００Ｃの通信部１６５Ｃは、データ通信部として例示される。
【０１６２】
（特性データ）
図２４Ａは、眼鏡装置１００Ｃの記憶部１６７Ｃに記憶された特性データを例示する表である。図２４Ｂは、任意の検出温度下における光量調整部１６１の動作速度を表す概略的なグラフである。図２０、図２３乃至図２４Ｂを用いて、特性データが説明される。
【０１６３】
図２４Ｂのグラフは、任意の温度ＴＥＭＰｎ（ｎは、自然数）における透過光量の変動を表す。図２４Ｂにおいて、左調整部１６２又は右調整部１６３が達成する最小の透過光量は、符号「Ａｍｉｎ」を用いて表されている。図２４Ｂにおいて、左調整部１６２又は右調整部１６３が達成する最大の透過光量は、符号「Ａｍａｘ」を用いて表されている。
【０１６４】
図２４Ａの表に表される「上昇時間」は、最小の透過光量「Ａｍｉｎ」から最大の透過光量「Ａｍａｘ」に到達するのに要する期間を表す。図２４Ａの表に表される「下降時間」は、最大の透過光量「Ａｍａｘ」から最小の透過光量「Ａｍｉｎ」に到達するのに要する期間を表す。
【０１６５】
記憶部１６７Ｃは、表示装置２００Ｃの温度検出部２１７によって検出される環境温度（ＴＥＭＰ１、ＴＥＭＰ２、ＴＥＭＰ３・・・・ＴＥＭＰｎ）と、これらの温度に対応する上昇時間（ＴＲＴ１、ＴＲＴ２、ＴＲＴ３・・・・ＴＲＴｎ）及び下降時間（ＴＦＴ１、ＴＦＴ２、ＴＦＴ３・・・・・ＴＦＴｎ）と、を関連づけて記憶する。
【０１６６】
図２５Ａは、眼鏡装置１００Ｃの記憶部１６７Ｃに記憶された特性データを例示する表である。図２５Ｂは、任意の検出電圧下における光量調整部１６１の動作速度を表す概略的なグラフである。図２０、図２３、図２５Ａ及び図２５Ｂを用いて、特性データが説明される。
【０１６７】
図２５Ｂのグラフは、任意の電圧ＶＯＬＴｎ（ｎは、自然数）における透過光量の変動を表す。図２５Ｂにおいて、左調整部１６２又は右調整部１６３が達成する最小の透過光量は、符号「Ａｍｉｎ」を用いて表されている。図２５Ｂにおいて、左調整部１６２又は右調整部１６３が達成する最大の透過光量は、符号「Ａｍａｘ」を用いて表されている。
【０１６８】
図２５Ａの表に表される「上昇時間」は、最小の透過光量「Ａｍｉｎ」から最大の透過光量「Ａｍａｘ」に到達するのに要する期間を表す。図２５Ａの表に表される「下降時間」は、最大の透過光量「Ａｍａｘ」から最小の透過光量「Ａｍｉｎ」に到達するのに要する期間を表す。
【０１６９】
記憶部１６７Ｃは、眼鏡装置１００Ｃの電圧検出部１６８によって検出される電圧（ＶＯＬＴ１、ＶＯＬＴ２、ＶＯＬＴ３・・・・ＶＯＬＴｎ）と、これらの電圧に対応する上昇時間（ＴＲＶ１、ＴＲＶ２、ＴＲＶ３・・・・ＴＲＶｎ）及び下降時間（ＴＦＶ１、ＴＦＶ２、ＴＦＶ３・・・・・ＴＦＶｎ）と、を関連づけて記憶する。
【０１７０】
図２６は、眼鏡装置１００Ｃの制御部１６６Ｃによって作成されるデータ列構造の概略図である。図２０、図２２、図２３、図２４Ａ及び図２５Ａを用いて、データ列構造が説明される。
【０１７１】
記憶部１６７Ｃに記憶された特性データを読み出した制御部１６６Ｃは、表示装置２００Ｃへ特性データを送信するためにパケット信号を生成する。図２４Ａ及び図２５Ａの表で表されたデータは、パケット構造のペイロードボディに組み込まれる。図２６に示されるデータ列構造は、ペイロードボディに組み込まれるデータ列の構造を概略的に表す。尚、データ列の構造は、本実施形態の原理を何ら限定しない。
【０１７２】
図２６に示されるデータ列構造１は、図２４Ａ及び図２５Ａの表の行ごとに読み取られ、整列されたデータを含む。データ列構造２は、図２４Ａ及び図２５Ａの表の列ごとに読み取られ、整列されたデータを含む。制御部１６６Ｃは、図２６に例示されるデータ列構造で表される情報を含むパケット信号を生成する。眼鏡装置１００Ｃの通信部１６５Ｃは、制御部１６６Ｃが生成したパケット信号を表示装置２００Ｃへ送信する。
【０１７３】
表示装置２００Ｃの通信部２１５Ｃは、パケット信号を受信する。表示装置２００Ｃの制御部２１６Ｃは、パケット信号が含むデータ列構造を解釈し、記憶部２１８に特性データを記憶する。
【０１７４】
図２４Ａに示される特性データは、複数の検出電圧に対応して作成されることが好ましい。また、図２５Ａに示される特性データは、複数の検出温度に対応して作成されることが好ましい。この結果、表示装置２００Ｃは、温度検出部２１７が検出した温度と電圧検出部１６８が検出した電圧との組み合わせに関連づけられた上昇時間及び下降時間を決定することができる。
【０１７５】
図２４Ａに示される特性データが、複数の検出電圧に対応して作成され、及び／又は、図２５Ａに示される特性データが、複数の検出温度に対応して作成されるならば、データ列構造が長すぎ、１つのパケット信号に収まらないこともある。この場合、眼鏡装置１００Ｃの通信部１６５Ｃは、データ列構造を分割し、複数のパケット信号を用いて、特性データを送信してもよい。
【０１７６】
上述の如く、電圧検出部１６８は、駆動部１６４に印加された電圧を検出する。電圧検出部１６８は、検出された電圧に関するデータを制御部１６６Ｃに出力する。上述の特性データを送信するためのパケット信号の生成の後、制御部１６６Ｃは、検出された電圧の情報を含むパケット信号を生成する。眼鏡装置１００Ｃの通信部１６５Ｃは、検出された電圧の情報を含むパケット信号を表示装置２００Ｃへ送信する。
【０１７７】
表示装置２００Ｃの通信部２１５Ｃは、電圧検出部１６８が検出した電圧の情報を含むパケット信号を受信する。通信部２１５Ｃは、その後、検出された電圧の情報を制御部２１６Ｃに出力する。
【０１７８】
温度検出部２１７は、上述の如く、環境温度に関するデータを制御部２１６Ｃに出力する。したがって、制御部２１６Ｃには、眼鏡装置１００Ｃの電圧検出部１６８が検出した電圧に関する情報及び表示装置２００Ｃの温度検出部２１７が検出した環境温度に関する情報が入力される。
【０１７９】
制御部２１６Ｃは、上述の特性データと、眼鏡装置１００Ｃの電圧検出部１６８が検出した電圧に関する情報及び表示装置２００Ｃの温度検出部２１７が検出した環境温度に関する情報と、を対比し、映像処理部２１２に対して決定した表示タイミングを補正する。
【０１８０】
本実施形態において、上昇時間及び下降時間は、最大の透過光量と最小の透過光量との間での変動期間として定義されている。代替的に、上昇時間及び下降時間は、他の定義に従ってもよい。例えば、上昇時間及び下降時間は、最大の透過光量の９０％と最大の透過光量の１０％との間での変動期間として定義されてもよい。
【０１８１】
（変動タイミングの補正）
図２７は、左眼及び右眼への透過光量を増大させる期間のタイミングの補正を表す概略的なタイミングチャートである。図２０、図２３、図２４Ａ、図２５Ａ及び図２７を用いて、左眼及び右眼への透過光量を増大させる期間のタイミングの補正が説明される。
【０１８２】
図２７のセクション（ａ）は、左フレーム画像が表示される左フレーム期間と、右フレーム画像が表示される右フレーム期間と、を表す。映像処理部２１２を制御する制御部２１６Ｃは、左フレーム期間と右フレーム期間とを交互に規定する。制御部２１６Ｃは、左フレーム期間に左フレーム画像のデータが映像処理部２１２から表示部２１３へ出力されるように、映像処理部２１２を制御する。制御部２１６Ｃは、右フレーム期間に右フレーム画像のデータが映像処理部２１２から表示部２１３へ出力されるように、映像処理部２１２を制御する。この結果、表示部２１３は、左フレーム期間に左フレーム画像を表示し、右フレーム期間に右フレーム画像を表示する。
【０１８３】
図２７のセクション（ｂ）及びセクション（ｃ）は、表示装置２００Ｃの制御部２１６Ｃによって設定される増大期間（左眼及び右眼への透過光量が増大している期間）のタイミングを表す。図２７のセクション（ｂ）は、温度検出部２１７から取得した温度データが「ＴＥＭＰ１」であり、且つ、眼鏡装置１００Ｃから送られた電圧データが「ＶＯＬＴ１」であるときに設定された増大期間のタイミングを表す。図２７のセクション（ｃ）は、温度検出部２１７から取得した温度データが「ＴＥＭＰ３」であり、且つ、眼鏡装置１００Ｃから送られた電圧データが「ＶＯＬＴ３」であるときに設定された増大期間のタイミングを表す。
【０１８４】
「ＴＥＭＰ１」と「ＶＯＬＴ１」との組み合わせの条件と「ＴＥＭＰ３」と「ＶＯＬＴ３」との組み合わせの条件との間において、図２４Ａ及び図２５Ａを参照して説明された上昇時間及び下降時間は異なる。したがって、制御部２１６Ｃは、信号生成部２１４を制御し、両条件間において、透過光量を増大させる増大期間に関し、互いに異なる情報を含む同期制御信号を生成する。本実施形態において、「ＴＥＭＰ３」と「ＶＯＬＴ３」との組み合わせの条件の下で生成された同期制御信号は、増大期間に関して、「ＴＥＭＰ１」と「ＶＯＬＴ１」との組み合わせの条件の下で生成された同期制御信号よりも遅いタイミングを通知するための情報を含む。
【０１８５】
図２７のセクション（ｄ）及びセクション（ｅ）は、眼鏡装置１００Ｃの光量調整部１６１による調整動作によって規定される実際の増大期間のタイミングを表す。図２７のセクション（ｄ）は、図２７のセクション（ｂ）を参照して説明された設定の下で得られた増大期間を表す。図２７のセクション（ｅ）は、図２７のセクション（ｃ）を参照して説明された設定の下で得られた増大期間を表す。
【０１８６】
光量調整部１６１は、「ＴＥＭＰ３」と「ＶＯＬＴ３」との組み合わせの条件の下において、「ＴＥＭＰ１」と「ＶＯＬＴ１」との組み合わせの条件下よりも、同期制御信号に対して速く応答することができる。したがって、図２７のセクション（ｂ）及びセクション（ｃ）に関連して説明された設定の差異は、光量調整部１６１の動作速度の変動によって略相殺される。したがって、図２７のセクション（ｄ）及びセクション（ｅ）に示される増大期間のタイミングは、略等しくなる。したがって、眼鏡装置１００Ｃは、様々な環境温度の条件及び様々な蓄電量の条件の下において、同期制御信号に対して安定した応答動作を実行することができる。本実施形態において、増大期間のタイミングが調整されている。代替的に、透過光量が減少されている減少期間が調整処理の対象として取り扱われてもよい。
【０１８７】
（映像システムの制御方法）
図２８は、映像システム３００Ｃの制御方法を表す概略的なフローチャートである。図２０、図２１、図２３及び図２８を用いて、映像システム３００Ｃの制御方法が説明される。
【０１８８】
（ステップＳ２０５）
ステップＳ２０５において、眼鏡装置１００Ｃの給電部１７０は、作動部１６０Ｃに給電を開始する。この結果、作動部１６０Ｃの様々な要素が動作可能となる。作動部１６０Ｃへの給電の後、ステップＳ２１０が実行される。
【０１８９】
（ステップＳ２１０）
ステップＳ２１０において、眼鏡装置１００Ｃの制御部１６６Ｃは、給電の開始に応じて、眼鏡装置１００Ｃと通信可能な表示装置２００Ｃを検索するための検索信号を生成する。検索信号は、眼鏡装置１００Ｃ自身の通信アドレスに関する情報を含む。眼鏡装置１００Ｃの通信部１６５Ｃは、検索信号を送信する。検索信号の送信の後、表示装置２００Ｃは、ステップＳ２１５を実行する。
【０１９０】
（ステップＳ２１５）
ステップＳ２１５において、表示装置２００Ｃの通信部２１５Ｃは、検索信号を受信する。通信部２１５Ｃは、検索信号の受信を、眼鏡装置１００Ｃの通信アドレスに関する情報とともに制御部２１６Ｃへ通知する。その後、表示装置２００Ｃは、ステップＳ２２０を実行する。
【０１９１】
（ステップＳ２２０）
ステップＳ２２０において、表示装置２００Ｃの制御部２１６Ｃは、信号生成部２１４Ｃを制御し、検索信号に応答するための応答信号を生成する。信号生成部２１４Ｃによって生成された応答信号は、表示装置２００Ｃ自身の通信アドレスに関する情報を含む。通信部２１５Ｃは、眼鏡装置１００Ｃの通信アドレスに応答信号を送信する。応答信号の送信の後、眼鏡装置１００Ｃは、ステップＳ２２５を実行する。
【０１９２】
（ステップＳ２２５）
ステップＳ２２５において、眼鏡装置１００Ｃの通信部１６５Ｃは、応答信号を受信する。通信部１６５Ｃは、制御部１６６Ｃへ応答信号の受信とともに表示装置２００Ｃの通信アドレスに関する情報を通知する。この結果、眼鏡装置１００Ｃは、表示装置２００Ｃの通信アドレスに関する情報を取得し、表示装置２００Ｃは、眼鏡装置１００Ｃの通信アドレスに関する情報を取得する。かくして、眼鏡装置１００Ｃと表示装置２００Ｃとの間で、無線通信路が開かれる。無線通信路が設定された後、眼鏡装置１００Ｃは、ステップＳ２３０を実行する。
【０１９３】
（ステップＳ２３０）
ステップＳ２３０において、眼鏡装置１００Ｃの制御部１６６Ｃは、記憶部１６７Ｃに予め記憶された特性データを読み出す。尚、特性データは、第１実施形態及び第２実施形態に関連して説明された測定技術を用いて、眼鏡装置１００Ｃに対して個別に取得されている。したがって、特性データは、眼鏡装置１００Ｃの固有の応答特性を表す。
【０１９４】
制御部１６６Ｃは、読み出された特性データを用いて、パケット信号を生成する。通信部１６５Ｃは、生成されたパケット信号を表示装置２００Ｃの通信アドレスへ送信する。特性データの送信の後、眼鏡装置１００Ｃは、ステップＳ２４５を実行する。表示装置２００Ｃは、ステップＳ２３５を実行する。
【０１９５】
（ステップＳ２３５）
ステップＳ２３５において、表示装置２００Ｃの通信部２１５Ｃは、特性データを表すパケット信号を受信する。通信部２１５Ｃは、パケット信号が表す特性データに関する情報を制御部２１６Ｃに出力する。制御部２１６Ｃは、通信部２１５Ｃが出力した情報を解析し、特性データを再構築する。再構築された特性データは、制御部２１６Ｃの記憶部２１８に格納される。特性データが記憶部２１８に格納された後、表示装置２００Ｃは、ステップＳ２４０を実行する。
【０１９６】
（ステップＳ２４０）
ステップＳ２４０において、温度検出部２１７は、映像が観察される環境の温度を検出する。温度検出部２１７は、検出された温度に関するデータを制御部２１６Ｃに出力する。
【０１９７】
（ステップＳ２４５）
ステップＳ２４５において、電圧検出部１６８は、駆動部１６４に印加されている電圧を検出する。電圧検出部１６８は、検出された電圧に関するデータを制御部１６６Ｃへ出力する。電圧データの出力の後、眼鏡装置１００Ｃは、ステップＳ２５０を実行する。
【０１９８】
（ステップＳ２５０）
ステップＳ２５０において、制御部１６６Ｃは、電圧データを用いて、駆動部１６４に印加されている電圧に関する情報を含むパケット信号を生成する。パケット信号は、通信部１６５Ｃを通じて、表示装置２００Ｃへ送信される。パケット信号の送信の後、眼鏡装置１００Ｃは、ステップＳ２５５を実行し、表示装置２００Ｃは、ステップＳ２６０を実行する。
【０１９９】
（ステップＳ２５５）
ステップＳ２５５において、眼鏡装置１００Ｃは、ステップＳ２５０において実行されたパケット信号の送信からの経過時間を測定する。経過時間が所定の長さを超えるならば、ステップＳ２４５が実行される。経過時間が所定の長さ以内であるならば、ステップＳ２５５が継続される。かくして、駆動部１６４に印加されている電圧に関する情報を含むパケット信号は、表示装置２００Ｃへ周期的に送信されることとなる。
【０２００】
（ステップＳ２６０）
ステップＳ２６０において、表示装置２００Ｃの通信部２１５Ｃは、眼鏡装置１００Ｃの駆動部１６４に印加されている電圧に関する情報を含むパケット信号を受信する。通信部２１５Ｃは、その後、駆動部１６４に印加されている電圧に関する情報を制御部２１６Ｃに出力する。この結果、制御部２１６Ｃは、特性データ、環境温度に関する情報及び駆動部１６４に印加されている電圧に関する情報を取得することとなる。制御部２１６Ｃは、特性データ、環境温度に関する情報及び駆動部１６４に印加されている電圧に関する情報を取得した後、表示装置２００Ｃは、ステップＳ２６５を実行する。
【０２０１】
（ステップＳ２６５）
ステップＳ２６５において、制御部２１６Ｃは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｃは、環境温度に関する情報及び駆動部１６４に印加されている電圧に関する情報と特性データとを対比し、表示タイミングを基準に決定されたタイミングを補正する。制御部２１６Ｃは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｃに通知することができる。同期制御信号の生成の後、表示装置２００Ｃは、ステップＳ２７０を実行する。
【０２０２】
（ステップＳ２７０）
ステップＳ２７０において、通信部２１５Ｃは、信号生成部２１４Ｃが生成した同期制御信号を眼鏡装置１００Ｃの通信アドレスに送信する。同期制御信号の送信の後、眼鏡装置１００Ｃは、ステップＳ２７５を実行する。
【０２０３】
（ステップＳ２７５）
ステップＳ２７５において、眼鏡装置１００Ｃの通信部１６５Ｃは、同期制御信号を受信する。同期制御信号は、その後、制御部１６６Ｃへ出力される。制御部１６６Ｃが同期制御信号を受け取った後、眼鏡装置１００Ｃは、ステップＳ２８０を実行する。
【０２０４】
（ステップＳ２８０）
ステップＳ２８０において、眼鏡装置１００Ｃの制御部１６６Ｃは、光量調整部１６１の駆動部１６４を制御する。この結果、左調整部１６２は、適切に調整された変動タイミングで左眼への透過光量を増大又は減少させる。右調整部１６３は、適切に調整された変動タイミングで右眼への透過光量を増大又は減少させる。
【０２０５】
＜第５実施形態＞
（眼鏡装置）
図２９は、第５実施形態の眼鏡装置１００Ｄの機能構成を表す概略的なブロック図である。第４実施形態と同一の要素に対して、同一の符号が付されている。同一の符号が付された要素に対して、第４実施形態の説明が援用される。第４実施形態と第５実施形態との間の差異が以下に説明される。
【０２０６】
眼鏡装置１００Ｄは、第４実施形態に関連して説明された給電部１７０に加えて、光量の調整動作を司る作動部１６０Ｄを備える。作動部１６０Ｄは、第４実施形態に関連して説明された光量調整部１６１及び記憶部１６７Ｃを備える。
【０２０７】
作動部１６０Ｄは、駆動部１６４の温度を、映像が観察される環境の温度として測定する検出部１６８Ｄを更に備える。検出部１６８Ｄは、光量調整部１６１の温度だけでなく、駆動部１６４に印加された電圧も検出する。本実施形態において、検出部１６８Ｄは、温度検出部及び／又は電力検出部として例示される。
【０２０８】
作動部１６０Ｄは、駆動部１６４を制御する制御部１６６Ｄを更に備える。制御部１６６Ｄは、第４実施形態と同様に、記憶部１６７Ｃに格納された特性データを用いて、パケット信号を生成する。検出部１６８Ｄは、制御部１６６Ｄに、環境温度に関するデータと駆動部１６４に印加された電圧に関するデータとを出力する。制御部１６６Ｄは、検出部１６８Ｄから出力されたデータに応じたパケット信号も生成する。
【０２０９】
作動部１６０Ｄは、パケット信号を送信するための通信部１６５Ｄを更に備える。通信部１６５Ｄは、第４実施形態と同様に、適切に補正された変動タイミングに関する情報を含む同期制御信号を受信する。通信部１６５Ｄは、同期制御信号を制御部１６６Ｄに出力する。制御部１６６Ｄは、同期制御信号に応じて、駆動部１６４を制御する。この結果、光量調整部１６１は、左眼及び右眼の透過光量を適切なタイミングで増大又は減少させることができる。
【０２１０】
（映像システム）
図３０は、映像システム３００Ｄの概略図である。図２９及び図３０を用いて、映像システム３００Ｄが説明される。
【０２１１】
映像システム３００Ｄは、眼鏡装置１００Ｄと表示装置２００Ｄとを備える。第４実施形態と同様に、眼鏡装置１００Ｄは、特性データを表示装置２００Ｄへ送信する。眼鏡装置１００Ｄから送信される特性データは、第４実施形態と同様に、環境温度と光量調整部１６１による調整動作との関係並びに駆動部１６４に印加される電圧と光量調整部１６１による調整動作との関係を表す。第４実施形態と異なり、眼鏡装置１００Ｄの通信部１６５Ｄは、電圧に関する情報（データ）だけでなく、環境温度に関する情報（データ）を表示装置２００Ｄへ送信する。本実施形態において、通信部１６５Ｄは、データ通信部として例示される。
【０２１２】
（表示装置）
図３１は、表示装置２００Ｄの機能構成を表す概略的なブロック図である。図２９及び図３１を用いて、表示装置２００Ｄが説明される。
【０２１３】
表示装置２００Ｄは、第４実施形態に関連して説明された入力部２１１、映像処理部２１２、表示部２１３及び信号生成部２１４Ｃを備える。表示装置２００Ｄは、眼鏡装置１００Ｄが生成したパケット信号を受信する通信部２１５Ｄを更に備える。第４実施形態と同様に、通信部２１５Ｄは、特性データを含むパケット信号を受信する。第４実施形態と異なり、通信部２１５Ｄは、電圧に関する情報だけでなく、環境温度に関する情報を含むパケット信号を受信する。本実施形態において、通信部２１５Ｄは、制御信号通信部として例示される。
【０２１４】
表示装置２００Ｄは、信号生成部２１４Ｃを制御し、同期制御信号を生成する制御部２１６Ｄを更に備える。制御部２１６Ｄは、第４実施形態と同様に、記憶部２１８を備える。
【０２１５】
通信部２１５Ｄは、眼鏡装置１００Ｄから受信したパケット信号が含む特性データを制御部２１６Ｄへ出力する。制御部２１６Ｄは、第４実施形態と同様の手法を用いて、通信部２１５Ｄからの出力データを解析し、特性データを再構築する。再構築された特性データは、記憶部２１８に記憶される。
【０２１６】
第４実施形態と異なり、制御部２１６Ｄは、電圧に関する情報だけでなく、環境温度に関する情報も、通信部２１５Ｄから取得する。第４実施形態と同様に、制御部２１６Ｄは、特性データと、電圧に関する情報及び環境温度に関する情報を対比し、検出された電圧条件及び温度条件の下での光量調整部１６１の応答特性に適合した同期制御信号を生成する。
【０２１７】
（映像システムの制御方法）
図３２は、映像システム３００Ｄの制御方法を表す概略的なフローチャートである。図２９乃至図３２を用いて、映像システム３００Ｄの制御方法が説明される。
【０２１８】
（ステップＳ３０５）
ステップＳ３０５において、眼鏡装置１００Ｄの給電部１７０は、作動部１６０Ｄに給電を開始する。この結果、作動部１６０Ｄの様々な要素が動作可能となる。作動部１６０Ｄへの給電の後、ステップＳ３１０が実行される。
【０２１９】
（ステップＳ３１０）
ステップＳ３１０において、眼鏡装置１００Ｄの制御部１６６Ｄは、給電の開始に応じて、眼鏡装置１００Ｄと通信可能な表示装置２００Ｄを検索するための検索信号を生成する。検索信号は、眼鏡装置１００Ｄ自身の通信アドレスに関する情報を含む。眼鏡装置１００Ｄの通信部１６５Ｄは、検索信号を送信する。検索信号の送信の後、表示装置２００Ｄは、ステップＳ３１５を実行する。
【０２２０】
（ステップＳ３１５）
ステップＳ３１５において、表示装置２００Ｄの通信部２１５Ｄは、検索信号を受信する。通信部２１５Ｄは、検索信号の受信を、眼鏡装置１００Ｄの通信アドレスに関する情報とともに制御部２１６Ｄへ通知する。その後、表示装置２００Ｄは、ステップＳ３２０を実行する。
【０２２１】
（ステップＳ３２０）
ステップＳ３２０において、表示装置２００Ｄの制御部２１６Ｄは、信号生成部２１４Ｃを制御し、検索信号に応答するための応答信号を生成する。信号生成部２１４Ｃによって生成された応答信号は、表示装置２００Ｄ自身の通信アドレスに関する情報を含む。通信部２１５Ｄは、眼鏡装置１００Ｄの通信アドレスに応答信号を送信する。応答信号の送信の後、眼鏡装置１００Ｄは、ステップＳ３２５を実行する。
【０２２２】
（ステップＳ３２５）
ステップＳ３２５において、眼鏡装置１００Ｄの通信部１６５Ｄは、応答信号を受信する。通信部１６５Ｄは、制御部１６６Ｄへ応答信号の受信とともに表示装置２００Ｄの通信アドレスに関する情報を通知する。この結果、眼鏡装置１００Ｄは、表示装置２００Ｄの通信アドレスに関する情報を取得し、表示装置２００Ｄは、眼鏡装置１００Ｄの通信アドレスに関する情報を取得する。かくして、眼鏡装置１００Ｄと表示装置２００Ｄとの間で、無線通信路が開かれる。無線通信路が設定された後、眼鏡装置１００Ｄは、ステップＳ３３０を実行する。
【０２２３】
（ステップＳ３３０）
ステップＳ３３０において、眼鏡装置１００Ｄの制御部１６６Ｄは、記憶部１６７Ｃに予め記憶された特性データを読み出す。尚、特性データは、第１実施形態及び第２実施形態に関連して説明された測定技術を用いて、眼鏡装置１００Ｄに対して個別に取得されている。したがって、特性データは、眼鏡装置１００Ｄの固有の応答特性を表す。
【０２２４】
制御部１６６Ｄは、読み出された特性データを用いて、パケット信号を生成する。通信部１６５Ｄは、生成されたパケット信号を表示装置２００Ｄの通信アドレスへ送信する。特性データの送信の後、眼鏡装置１００Ｄは、ステップＳ３４５を実行する。表示装置２００Ｄは、ステップＳ３３５を実行する。
【０２２５】
（ステップＳ３３５）
ステップＳ３３５において、表示装置２００Ｄの通信部２１５Ｄは、特性データを表すパケット信号を受信する。通信部２１５Ｄは、パケット信号が表す特性データに関する情報を制御部２１６Ｄに出力する。制御部２１６Ｄは、通信部２１５Ｄが出力した情報を解析し、特性データを再構築する。再構築された特性データは、制御部２１６Ｄの記憶部２１８に格納される。
【０２２６】
（ステップＳ３４５）
ステップＳ３４５において、検出部１６８Ｄは、駆動部１６４に印加されている電圧及び駆動部１６４の温度を検出する。検出部１６８Ｄは、検出された電圧及び温度に関するデータを制御部１６６Ｄへ出力する。電圧データ及び温度データの出力の後、眼鏡装置１００Ｄは、ステップＳ３５０を実行する。
【０２２７】
（ステップＳ３５０）
ステップＳ３５０において、制御部１６６Ｄは、電圧データを用いて、駆動部１６４に印加されている電圧及び駆動部１６４の温度に関する情報を含むパケット信号を生成する。パケット信号は、通信部１６５Ｄを通じて、表示装置２００Ｄへ送信される。パケット信号の送信の後、眼鏡装置１００Ｄは、ステップＳ３５５を実行し、表示装置２００Ｄは、ステップＳ３６０を実行する。
【０２２８】
（ステップＳ３５５）
ステップＳ３５５において、眼鏡装置１００Ｄは、ステップＳ３５０において実行されたパケット信号の送信からの経過時間を測定する。経過時間が所定の長さを超えるならば、ステップＳ３４５が実行される。経過時間が所定の長さ以内であるならば、ステップＳ３５５が継続される。かくして、駆動部１６４に印加されている電圧及び駆動部１６４の温度に関する情報を含むパケット信号は、表示装置２００Ｄへ周期的に送信されることとなる。
【０２２９】
（ステップＳ３６０）
ステップＳ３６０において、表示装置２００Ｄの通信部２１５Ｄは、眼鏡装置１００Ｄの駆動部１６４に印加されている電圧及び駆動部１６４の温度に関する情報を含むパケット信号を受信する。通信部２１５Ｄは、その後、駆動部１６４に印加されている電圧及び駆動部１６４の温度に関する情報を制御部２１６Ｄに出力する。この結果、制御部２１６Ｄは、特性データ、環境温度に関する情報及び駆動部１６４に印加されている電圧に関する情報を取得することとなる。制御部２１６Ｄは、特性データ、環境温度に関する情報及び駆動部１６４に印加されている電圧に関する情報を取得した後、表示装置２００Ｄは、ステップＳ３６５を実行する。
【０２３０】
（ステップＳ３６５）
ステップＳ３６５において、制御部２１６Ｄは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｄは、環境温度に関する情報及び駆動部１６４に印加されている電圧に関する情報と特性データとを対比し、表示タイミングを基準に決定されたタイミングを補正する。制御部２１６Ｄは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｄに通知することができる。同期制御信号の生成の後、表示装置２００Ｄは、ステップＳ３７０を実行する。
【０２３１】
（ステップＳ３７０）
ステップＳ３７０において、通信部２１５Ｄは、信号生成部２１４Ｃが生成した同期制御信号を眼鏡装置１００Ｄの通信アドレスに送信する。同期制御信号の送信の後、眼鏡装置１００Ｄは、ステップＳ３７５を実行する。
【０２３２】
（ステップＳ３７５）
ステップＳ３７５において、眼鏡装置１００Ｄの通信部１６５Ｄは、同期制御信号を受信する。同期制御信号は、その後、制御部１６６Ｄへ出力される。制御部１６６Ｄが同期制御信号を受け取った後、眼鏡装置１００Ｄは、ステップＳ３８０を実行する。
【０２３３】
（ステップＳ３８０）
ステップＳ３８０において、眼鏡装置１００Ｄの制御部１６６Ｄは、光量調整部１６１の駆動部１６４を制御する。この結果、左調整部１６２は、適切に調整された変動タイミングで左眼への透過光量を増大又は減少させる。右調整部１６３は、適切に調整された変動タイミングで右眼への透過光量を増大又は減少させる。
【０２３４】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０２３５】
上述の補正制御は、光量調整部を駆動するための駆動信号の立ち上がりの時刻から光量調整部における透過率が５０％に増大又は減少するまでの期間に対して行われてもよい。代替的に、同期制御信号の立ち上がり又は立ち下がりの時刻から光量調整部における透過率が９０％に増大するまでの期間に対して行われてもよい。或いは、同期制御信号の立ち上がり又は立ち下がりの時刻から光量調整部における透過率が１０％に減少するまでの期間に対して行われてもよい。
【０２３６】
左フレーム期間の開始に同期して立ち上がり、右フレーム期間の開始に同期して立ち下がるような信号波形を有する同期制御信号が、上述の補正制御の基準及び表示装置と眼鏡装置との間の通信信号として用いられてもよい。本実施形態の原理は、同期制御信号の波形に限定されるものではない。
【０２３７】
上述された実施形態は、以下の特徴を主に備える。
【０２３８】
上述の実施形態の一の局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２３９】
上記構成によれば、光量調整部は、左眼及び右眼へ透過する映像光の量を増大又は減少させる変動タイミングを調整するための調整動作を実行する。この結果、観察者は、映像を立体的に知覚することができる。
【０２４０】
光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２４１】
上記構成において、前記調整動作の実行のために用いられる電力を供給する電源部を更に備え、前記特性データは、前記電源部が蓄える電力量と、前記光量調整部の動作速度と、の関係を表し、前記第１制御部は、前記電力量に応じて、前記変動タイミングに対する補正量を決定することが好ましい。
【０２４２】
上記構成によれば、特性データは、電源部が蓄える電力量と、光量調整部の動作速度と、の関係を表す。電源部は、調整動作の実行のために電力を供給するので、電源部が蓄える電力量は減少する。第１制御部は、電力量に応じて、変動タイミングに対する補正量を決定するので、光量調整部は、電力量の減少下においても、適切に調整動作を継続することができる。したがって、観察者は、立体映像を快適に観察することができる。
【０２４３】
上記構成において、前記特性データは、前記映像が観察される環境の温度と、前記光量調整部の動作速度と、の関係を表し、前記第１制御部は、前記温度に応じて、前記変動タイミングに対する補正量を決定することが好ましい。
【０２４４】
上記構成によれば、特性データは、映像が観察される環境の温度と、光量調整部の動作速度と、の関係を表す。第１制御部は、温度に応じて、変動タイミングに対する補正量を決定するので、光量調整部は、温度が変化する環境下においても、適切に調整動作を継続することができる。したがって、観察者は、立体映像を快適に観察することができる。
【０２４５】
上記構成において、眼鏡装置は、前記電力量を検出する電力検出部を更に備えることが好ましい。
【０２４６】
上記構成によれば、電力検出部は、電力量を検出するので、第１制御部は、電力量に応じて、変動タイミングに対する補正量を適切に決定することができる。したがって、光量調整部は、電力量の減少下においても、適切に調整動作を継続することができる。
【０２４７】
上記構成において、眼鏡装置は、前記温度を検出する温度検出部を更に備えることが好ましい。
【０２４８】
上記構成によれば、温度検出部は、温度を検出するので、第１制御部は、温度に応じて、変動タイミングに対する補正量を適切に決定することができる。したがって、光量調整部は、温度が変化する環境下においても、適切に調整動作を継続することができる。
【０２４９】
上記構成において、前記特性データは、前記光量調整部に対して固有に定められたデータであることが好ましい。
【０２５０】
上記構成によれば、特性データは、光量調整部に対して固有に定められたデータであるので、第１制御部は、変動タイミングに対する補正量を適切に決定することができる。
【０２５１】
上述の実施形態の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記制御信号通信部は、前記眼鏡装置から、前記調整動作に関する特性データを受信し、前記第２制御部は、前記表示タイミングと前記特性データとに基づき、前記同期制御信号の送信を制御することを特徴とする。
【０２５２】
上記構成によれば、表示部は、左眼で観察される左フレーム画像と、右眼で観察される右フレーム画像と、を用いて、立体的に知覚される映像を表示する。第２制御部は、表示部に表示タイミングで左フレーム画像と右フレーム画像とを順次表示させる。制御信号通信部は、第２制御部の制御下で、映像を立体的に知覚させるための調整動作を行う眼鏡装置へ同期制御信号を送信し、左フレーム画像及び右フレーム画像の表示タイミングを通知する。したがって、眼鏡装置は、左フレーム画像及び右フレーム画像の表示に合わせて、調整動作を行うことができる。
【０２５３】
制御信号通信部は、眼鏡装置から、調整動作に関する特性データを受信する。第２制御部は、表示タイミングと特性データとに基づき、同期制御信号の送信を制御するので、眼鏡装置は、特性データに応じた同期制御信号を受信することができる。したがって、眼鏡装置は、左フレーム画像及び右フレーム画像の表示に合わせて、適切な調整動作を行うことができる。
【０２５４】
上記構成において、前記同期制御信号は、前記表示タイミングに関するタイミング情報を含み、前記第２制御部は、前記特性データに応じて、前記タイミング情報を変更することが好ましい。
【０２５５】
上記構成によれば、同期制御信号は、表示タイミングに関するタイミング情報を含む。第２制御部は、特性データに応じて、タイミング情報を変更するので、眼鏡装置は、特性データに応じた同期制御信号を受信することができる。したがって、眼鏡装置は、左フレーム画像及び右フレーム画像の表示に合わせて、適切な調整動作を行うことができる。
【０２５６】
上記構成において、前記第２制御部は、前記特性データに応じて、前記同期制御信号の送信タイミングを変更することが好ましい。
【０２５７】
上記構成によれば、第２制御部は、特性データに応じて、同期制御信号の送信タイミングを変更するので、眼鏡装置は、特性データに応じたタイミングで、同期制御信号を受信することができる。したがって、眼鏡装置は、左フレーム画像及び右フレーム画像の表示に合わせて、適切な調整動作を行うことができる。
【０２５８】
上記構成において、表示装置は、前記映像が観察される環境の温度を検出する温度検出部を更に備え、前記特性データは、前記温度と、前記眼鏡装置の動作速度と、の関係を表し、前記第２制御部は、前記温度に応じて、前記送信を制御することが好ましい。
【０２５９】
上記構成によれば、特性データは、映像が観察される環境の温度と、前記眼鏡装置の動作速度と、の関係を表す。第２制御部は、温度検出部によって検出された環境温度に応じて、同期制御信号の送信を制御するので、環境温度に応じた同期制御信号を受信することができる。したがって、眼鏡装置は、温度が変化する環境下においても、左フレーム画像及び右フレーム画像の表示に合わせて、適切な調整動作を行うことができる。
【０２６０】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記眼鏡装置は、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２６１】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６２】
表示装置の送信部は、変動タイミングを規定する同期制御信号を送信する。眼鏡装置の受信部は、同期制御信号を受信する。調整動作を実行する光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２６３】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記特性データを受信し、且つ、前記表示タイミングを通知するための同期制御信号を、前記第２制御部の制御下で前記データ通信部へ送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【０２６４】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６５】
記憶部は、光量調整部によって実行される調整動作に関する特性データを格納する。データ通信部は、特性データを表示装置に送信する。表示装置の制御信号通信部は、特性データを受信する。この結果、眼鏡装置の特性データは、表示装置に伝達される。
【０２６６】
表示装置の第２制御部は、左フレーム画像及び前記右フレーム画像の表示タイミングを決定する。表示部は、第２制御部の制御下において、表示タイミングで左フレーム画像と右フレーム画像とを順次表示させる。この結果、観察者は、表示部が表示する映像を立体的に知覚することができる。
【０２６７】
表示装置の制御信号通信部は、同期制御信号を、第２制御部の制御下で、眼鏡装置のデータ通信部へ送信する。この結果、表示タイミングは、眼鏡装置に通知される。
【０２６８】
表示装置の第２制御部は、表示タイミングと特性データとに基づき、同期制御信号の送信を制御するので、眼鏡装置の第１制御部は、同期制御信号に応じて、光量調整部を適切に制御することができる。したがって、眼鏡装置は、左フレーム画像及び右フレーム画像の表示に合わせて、適切な調整動作を行うことができる。
【０２６９】
上記構成において、前記眼鏡装置は、前記調整動作の実行のために用いられる電力を供給する電源部と、該電源部が蓄える電力量を検出する電力検出部と、を含み、前記特性データは、前記電源部が蓄える電力量と、前記光量調整部の動作速度と、の関係を表し、前記特性データの送信の後、前記データ通信部は、前記電力量に関する電力情報を前記制御信号通信部へ送信し、前記第２制御部は、前記電力情報と前記特性データとを対比し、前記同期制御信号の前記送信を制御することが好ましい。
【０２７０】
上記構成によれば、特性データは、電源部が蓄える電力量と、光量調整部の動作速度と、の関係を表す。電源部は、調整動作の実行のために電力を供給するので、電源部が蓄える電力量は減少する。電源部が蓄える電力量と、光量調整部の動作速度と、の関係を表す特性データが送信された後、データ通信部は、電力量に関する電力情報を制御信号通信部へ送信する。この結果、眼鏡装置の特性データだけでなく電力情報も、表示装置に伝達される。表示装置の第２制御部は、電力情報と特性データとを対比し、同期制御信号の前記送信を制御するので、光量調整部は、電力量の減少下においても、適切に調整動作を継続することができる。
【０２７１】
上記構成において、前記眼鏡装置は、前記映像が観察される環境の温度を検出する温度検出部を含み、前記特性データは、前記温度と、前記光量調整部の動作速度と、の関係を表し、前記特性データの送信の後、前記データ通信部は、前記温度に関する温度情報を前記制御信号通信部へ送信し、前記第２制御部は、前記温度情報と前記特性データとを対比し、前記同期制御信号の前記送信を制御することが好ましい。
【０２７２】
上記構成によれば、特性データは、映像が観察される環境の温度と、光量調整部の動作速度と、の関係を表す特性データが送信された後、データ通信部は、温度検出部によって検出された温度に関する温度情報を制御信号通信部へ送信する。この結果、眼鏡装置の特性データだけでなく温度情報も、表示装置に伝達される。表示装置の第２制御部は、温度情報と特性データとを対比し、同期制御信号の前記送信を制御するので、光量調整部は、温度が変化する環境下においても、適切に調整動作を継続することができる。
【０２７３】
上述の実施形態の他の局面に係る制御方法は、左眼及び右眼へ透過する映像光の量を増大又は減少させる変動タイミングを調整し、映像を立体的に知覚させるための調整動作を行う眼鏡装置に適用される。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【０２７４】
上記構成によれば、眼鏡装置は、左眼及び右眼へ透過する映像光の量を増大又は減少させる変動タイミングを調整し、映像を立体的に知覚させるための調整動作を行うために、変動タイミングを規定する同期制御信号を受信する。その後、眼鏡装置は、同期制御信号によって規定された変動タイミングを、調整動作に関する特性データに基づいて補正する。したがって、眼鏡装置は、適切に制御された調整動作を行うことができる。
【０２７５】
上述の実施形態の他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに適用される。制御方法は、前記調整動作に関する特性データを、前記眼鏡装置から前記表示装置へ送信する段階と、前記左フレーム画像及び前記右フレーム画像が表示される表示タイミングを決定する段階と、前記表示タイミングと前記特性データとに基づき、前記表示タイミングを前記眼鏡装置へ通知するための同期制御信号の送信を制御する段階と、前記同期制御信号に応じて、前記変動タイミングを調整する段階と、を有することを特徴とする。
【０２７６】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２７７】
調整動作に関する特性データは、眼鏡装置から表示装置へ送信される。したがって、表示装置は、特性データを取得することができる。同期制御信号の送信は、左フレーム画像及び右フレーム画像が表示される表示タイミングと特性データとに基づき制御されるので、特性データに応じた表示タイミングが眼鏡装置へ通知される。したがって、眼鏡装置は、適切に制御された調整動作を行うことができる。
【産業上の利用可能性】
【０２７８】
上述の実施形態の原理は、眼鏡装置の補助下で映像を視聴させる映像技術に好適に利用される。
【手続補正３】
【補正対象書類名】図面
【補正対象項目名】全図
【補正方法】変更
【補正の内容】
【図１】
2012124350.tif 000038
【図２】
2012124350.tif 000039
【図３】
2012124350.tif 000040
【図４】
2012124350.tif 000041
【図５Ａ】
2012124350.tif 000042
【図５Ｂ】
2012124350.tif 000043
【図６】
2012124350.tif 000044
【図７】
2012124350.tif 000045
【図８】
2012124350.tif 000046
【図９】
2012124350.tif 000047
【図１０】
2012124350.tif 000048
【図１１】
2012124350.tif 000049
【図１２】
2012124350.tif 000050
【図１３】
2012124350.tif 000051
【図１４】
2012124350.tif 000052
【図１５】
2012124350.tif 000053
【図１６】
2012124350.tif 000054
【図１７】
2012124350.tif 000055
【図１８】
2012124350.tif 000056
【図１９】
2012124350.tif 000057
【図２０】
2012124350.tif 000058
【図２１】
2012124350.tif 000059
【図２２】
2012124350.tif 000060
【図２３】
2012124350.tif 000061
【図２４Ａ】
2012124350.tif 000062
【図２４Ｂ】
2012124350.tif 000063
【図２５Ａ】
2012124350.tif 000064
【図２５Ｂ】
2012124350.tif 000065
【図２６】
2012124350.tif 000066
【図２７】
2012124350.tif 000067
【図２８】
2012124350.tif 000068
【図２９】
2012124350.tif 000069
【図３０】
2012124350.tif 000070
【図３１】
2012124350.tif 000071
【図３２】
2012124350.tif 000072
【手続補正書】
【提出日】平成25年3月11日(2013.3.11)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
立体映像を観察者に適切に観察させるための映像技術に関する。
【背景技術】
【０００２】
３Ｄ映画の普及に伴って、家庭内で３Ｄ映像を視聴するための表示装置が、開発並びに市販されている（特許文献１乃至５参照）。３Ｄ映像用の表示装置は、典型的には、フレームシーケンシャル方式（時分割方式とも称される）を採用している。表示装置は、左眼で視聴される左フレーム画像と、右眼で視聴される右フレーム画像と、を時間的に交互に切り替えて表示する。
【０００３】
フレームシーケンシャル方式或いは時分割方式を採用する表示装置として、映画館で用いられるプロジェクタや家庭内で用いられるテレビ装置やパーソナルコンピュータのディスプレイ装置が例示される。これらの３Ｄ表示装置は、左フレーム画像と右フレーム画像とを時間的に交互に切り替えて表示する。
【０００４】
観察者は、眼鏡装置（一般的に、３Ｄアクティブシャッタ眼鏡と称される）を介して、３Ｄ表示装置が表示する映像を観察する。眼鏡装置は、左眼前に配設される左シャッタと、右眼前に配設される右シャッタと、を備える。左眼及び右眼へ透過する映像光の量は、左シャッタ及び右シャッタの開閉動作に応じて、変動する。
【０００５】
表示装置は、左フレーム画像及び／又は右フレーム画像の表示に同期する同期制御信号を送信する。同期制御信号として、例えば、赤外（ＩＲ）信号や無線（ＲＦ）信号が用いられる。同期制御信号を受信した眼鏡装置は、左フレーム画像の表示に同期して、左シャッタを開く一方で、右シャッタを閉じる。また、眼鏡装置は、右フレーム画像の表示に同期して、右シャッタを開く一方で、左シャッタを閉じる。かくして、左フレーム画像からの映像光は左眼のみに透過し、右フレーム画像からの映像光は右眼のみに透過する。
【０００６】
同期制御信号に対するシャッタの応答特性は、眼鏡装置ごとに異なることもある。例えば、ある眼鏡装置（以下、「眼鏡装置Ａ」と称される）は、右シャッタを開く又は閉じるための同期制御信号を受け取ってから、右シャッタを開く又は閉じるために、「Ｘ１」の期間だけ要する。他の眼鏡装置（以下、「眼鏡装置Ｂ」と称される）は、右シャッタを開く又は閉じるための同期制御信号を受け取ってから右シャッタを開く又は閉じるために、「Ｘ１」より短い又は長い「Ｘ２」の期間だけ要する。左シャッタに関しても、眼鏡装置Ａ，Ｂ間において、応答期間の差異は生じうる。
【０００７】
眼鏡装置Ａ，Ｂとの間の型式が異なるならば、例えば、眼鏡装置Ａ，Ｂ間の設計の相違に起因して、上述の応答期間の差異が生じうる。眼鏡装置Ａ，Ｂとの間の型式が同一であっても、例えば、シャッタに用いられる素子の特性のばらつきに起因して、上述の応答期間の差異が生じうる。
【先行技術文献】
【特許文献】
【０００８】
【特許文献１】米国特許公開公報第２０１１／０２２８２１５号明細書
【特許文献２】米国特許公開公報第２０１１／００４３７５３号明細書
【特許文献３】米国特許公開公報第２０１１／０１８１７０８号明細書
【特許文献４】米国特許公開公報第２０１１／０２４２２９３号明細書
【特許文献５】米国特許公開公報第２０１０／０２９５９２９号明細書
【発明の概要】
【発明が解決しようとする課題】
【０００９】
本発明は、眼鏡装置の動作特性に応じて、左眼及び右眼へ透過する映像光の量を増大又は減少させる変動タイミングを調整することができる映像技術を提供することを目的とする。
【課題を解決するための手段】
【００１０】
本発明の一局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１１】
本発明の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御することを特徴とする。
【００１２】
本発明の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【００１３】
本発明の更に他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記データ通信部へ、前記表示タイミングを通知するための同期制御信号を、前記第２制御部の制御下で送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【００１４】
本発明の更に他の局面に係る制御方法は、左眼及び右眼へ透過する映像光の量を増大又は減少させる変動タイミングを調整し、映像を立体的に知覚させるための調整動作を行う眼鏡装置に用いられる。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【００１５】
本発明の更に他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに用いられる。制御方法は、前記調整動作に関する特性データを、前記表示装置へ送信する段階と、前記左フレーム画像及び前記右フレーム画像の表示タイミングを決定する段階と、前記表示タイミングと前記特性データとに基づき、前記表示タイミングを通知するための同期制御信号の送信を制御する段階と、前記同期制御信号に応じて、前記変動タイミングを調整する段階と、を有することを特徴とする。
【発明の効果】
【００１６】
本発明は、眼鏡装置の動作特性に応じて、左眼及び右眼へ透過する映像光の量を増大又は減少させる変動タイミングを調整することができる。
【００１７】
本発明の目的、特徴及び利点は、以下の詳細な説明と添付図面とによって、より明白となる。
【図面の簡単な説明】
【００１８】
【図１】第１実施形態の眼鏡装置の概略的な斜視図である。
【図２】一般的な眼鏡装置の応答特性を表す概略的なタイミングチャートである。
【図３】図１に示される眼鏡装置のハードウェア構成を表す概略的なブロック図である。
【図４】図３に示される眼鏡装置に格納される特性データを取得するための測定システムの概略図である。
【図５Ａ】図４に示される測定システムを用いて測定された特性データを表す概略的なグラフである。
【図５Ｂ】図４に示される測定システムを用いて測定された特性データを表す概略的なグラフである。
【図６】図３に示される眼鏡装置の機能構成を表す概略的なブロック図である。
【図７】図３に示される眼鏡装置とともに用いられる表示装置のハードウェア構成を表す概略的なブロック図である。
【図８】図７に示される表示装置の機能構成を表す概略的なブロック図である。
【図９】図６に示される眼鏡装置の制御部による同期制御信号に対する処理を表す概略的な表である。
【図１０】図６に示される眼鏡装置の制御部によって作成された基準データを表す概略的なグラフである。
【図１１】図６に示される眼鏡装置の記憶部に記憶された特性データを表す概略的な表である。
【図１２】図６に示される眼鏡装置の制御部による補正処理を概略的に表すグラフである。
【図１３】図６に示される眼鏡装置を備える映像システムの概略図である。
【図１４】図６に示される眼鏡装置の制御方法を表す概略的なフローチャートである。
【図１５】第２実施形態の眼鏡装置の機能構成を表す概略的なブロック図である。
【図１６】図１５に示される眼鏡装置の記憶部に記憶される特性データを概略的に表す表である。
【図１７】図１５に示される眼鏡装置の制御部による補正処理を概略的に表すグラフである。
【図１８】第３実施形態の眼鏡装置の機能構成を表す概略的なブロック図である。
【図１９】図１８に示される眼鏡装置の駆動部の温度と給電期間との関係を表す概略的なグラフである。
【図２０】第４実施形態の表示装置の機能構成を表す概略的なブロック図である。
【図２１】図２０に示される表示装置を備える映像システムの概略図である。
【図２２】図２１に示される映像システムの表示装置と眼鏡装置との間の通信に用いられるパケット構造の概略図である。
【図２３】図２１に示される映像システムの眼鏡装置の機能構成を表す概略的なブロック図である。
【図２４Ａ】図２３に示される眼鏡装置の記憶部に記憶された特性データを例示する表である。
【図２４Ｂ】図２３に示される眼鏡装置の光量調整部の動作速度を表す概略的なグラフである。
【図２５Ａ】図２３に示される眼鏡装置の記憶部に記憶された特性データを例示する表である。
【図２５Ｂ】図２３に示される眼鏡装置の光量調整部の動作速度を表す概略的なグラフである。
【図２６】図２３に示される眼鏡装置の制御部によって作成されるデータ列構造の概略図である。
【図２７】左眼及び右眼への透過光量を増大させる期間のタイミングの補正を表す概略的なタイミングチャートである。
【図２８】図２１に示される映像システムの制御方法を表す概略的なフローチャートである。
【図２９】第５実施形態の眼鏡装置の機能構成を表す概略的なブロック図である。
【図３０】図２９に示される眼鏡装置を備える映像システムの概略図である。
【図３１】図３０に示される映像システムの表示装置の機能構成を表す概略的なブロック図である。
【図３２】図３０に示される映像システムの制御方法を表す概略的なフローチャートである。
【発明を実施するための形態】
【００１９】
例示的な映像技術が、添付の図面を参照して説明される。尚、図面に示される構成、配置或いは形状等並びに図面に関連する記載は、映像技術の原理を容易に理解させることを目的とする。したがって、映像技術の原理は、以下の詳細な説明に何ら限定するものではない。
【００２０】
＜第１実施形態＞
（眼鏡装置）
図１は、第１実施形態の眼鏡装置１００の概略的な斜視図である。図１を用いて、眼鏡装置１００が説明される。
【００２１】
眼鏡装置１００は、観察者の左眼及び右眼へ透過する光量を調整するシャッタ部１１０を備える。シャッタ部１１０は、観察者の左眼前に配置される左シャッタ１１１と、右眼前に配置される右シャッタ１１２と、を含む。
【００２２】
表示装置（後述される）が、左眼で観察される左フレーム画像を表示している間、左シャッタ１１１が開く一方で、右シャッタ１１２は閉じる。この結果、左眼へ到達する映像光の量は大きくなる一方で、右眼へ到達する映像光の量は小さくなる。かくして、観察者は、左眼で主に左フレーム画像を観察することとなる。
【００２３】
表示装置が、右眼で観察される右フレーム画像を表示している間、左シャッタ１１１が閉じる一方で、右シャッタ１１２は開く。この結果、左眼へ到達する映像光の量は小さくなる一方で、右眼へ到達する映像光の量は大きくなる。かくして、観察者は、右眼で主に右フレーム画像を観察することとなる。
【００２４】
表示装置が、例えば、左フレーム画像と右フレーム画像とを交互に表示し、且つ、左シャッタ１１１及び右シャッタ１１２が、上述の如く、左フレーム画像及び右フレーム画像に同期して、開閉するならば、観察者は、左フレーム画像と右フレーム画像とを脳内で合成する。左フレーム画像に描かれるオブジェクトと右フレーム画像に描かれるオブジェクトとの間には、例えば、位置的な差異が設けられているので、観察者は、位置的な差異量の分だけ、映像が表示される表示面からオブジェクトが飛び出したように、或いは、表示面からオブジェクトが引っ込んだように知覚することができる（即ち、観察者は、表示装置が表示する映像を立体的に知覚する）。
【００２５】
上述の如く、左シャッタ１１１は、左眼へ透過する映像光の量を増大又は減少させる変動タイミングを左フレーム画像の表示期間（左フレーム期間）に適合させる。右シャッタ１１２は、右眼へ透過する映像光の量を増大又は減少させる変動タイミングを右フレーム画像の表示期間（右フレーム期間）に適合させる。この結果、観察者は、表示装置が表示する映像を立体的に知覚することができる。以下の説明において、シャッタ部１１０による変動タイミングの調整は、「調整動作」と称される。本実施形態において、シャッタ部１１０は、光量調整部として例示される。
【００２６】
シャッタ部１１０の調整動作は、表示装置から送信される同期制御信号に基づいて制御される。眼鏡装置１００は、同期制御信号を受信する受信素子１５０を備える。本実施形態において、同期制御信号は、赤外線信号であってもよく、或いは、無線信号であってもよい。本実施形態において、受信素子１５０は、受信部として例示される。
【００２７】
表示装置は、左フレーム画像及び／又は右フレーム画像の表示の開始のタイミングを、眼鏡装置１００に通知するために同期制御信号を送信する。眼鏡装置１００が、同期制御信号に応じて、左フレーム画像の表示の開始に同期して、左シャッタ１１１を開くならば、観察者は、左フレーム画像を適切に観察することができる。眼鏡装置１００が、同期制御信号に応じて、右フレーム画像の表示の開始に同期して、右シャッタ１１２を開くならば、観察者は、右フレーム画像を適切に観察することができる。本実施形態において、同期制御信号は、各フレーム画像のタイミングを規定するために用いられる。
【００２８】
本実施形態において、同期制御信号が規定する変動タイミングは、左フレーム画像及び／又は右フレーム画像の表示タイミングに専ら依存する。同期制御信号に対する眼鏡装置１００の応答特性は、眼鏡装置１００の固有の性能や眼鏡装置１００が使用される環境（温度環境や電池残量）に影響される。したがって、シャッタ部１１０の調整動作が、眼鏡装置１００の応答特性に大きく影響されるならば、表示装置が同期制御信号を適切に送信しても、観察者が適切なタイミングで左フレーム画像及び／又は右フレーム画像を観察できないこともある。本実施形態の原理は、眼鏡装置１００のシャッタ部１１０の応答特性のばらつき或いは変動が調整動作に与える影響を補償することに貢献する。
【００２９】
眼鏡装置１００は、シャッタ部１１０を支持するフレーム部１２１と、フレーム部１２１から観察者の耳へ向けて延びるアーム部１２２と、を備える。したがって、観察者は、一般的な視力矯正用の眼鏡と同様に、眼鏡装置１００を着用することができる。この結果、左シャッタ１１１は、左眼前に配置され、且つ、右シャッタ１１２は、右眼前に配置される。
【００３０】
眼鏡装置１００は、シャッタ部１１０への給電を制御するためのスイッチ素子１３０を更に備える。観察者がスイッチ素子１３０を「オン位置」に設定するならば、眼鏡装置１００内の様々な要素（後述される）への給電が開始される。観察者がスイッチ素子１３０を「オフ位置」に設定するならば、眼鏡装置１００内の様々な要素への給電は停止される。したがって、観察者は、スイッチ素子１３０を用いて、不必要な電力消費を防止することができる。
【００３１】
図２は、一般的な眼鏡装置の応答特性を表す概略的なタイミングチャートである。図１及び図２を用いて、眼鏡装置の応答特性のばらつき及び変動が説明される。
【００３２】
図２のセクション（ａ）は、左フレーム画像の表示期間として割り当てられた左フレーム期間と、右フレーム画像の表示期間として割り当てられた右フレーム期間とを表す。左フレーム期間及び右フレーム期間は交互に割り当てられている。
【００３３】
図２のセクション（ｂ）は、表示装置から送信される同期制御信号を表す。左シャッタを動作させるための同期制御信号は、左フレーム期間の開始に同期して送信される。右シャッタを動作させるための同期制御信号は、右フレーム期間の開始に同期して送信される。
【００３４】
図２のセクション（ｃ）は、左シャッタを駆動するための駆動信号を表す。図２のセクション（ｄ）は、右シャッタを駆動するための駆動信号を表す。
【００３５】
左シャッタ及び右シャッタの開閉タイミングは、駆動信号の電圧レベルの変動タイミングに依存する。左シャッタ用の駆動信号の電圧レベルは、眼鏡装置が左シャッタ用の同期制御信号を受信した後に降下する。所定期間の経過後、左シャッタ用の駆動信号の電圧レベルは、増加する。右シャッタ用の駆動信号の電圧レベルは、眼鏡装置が右シャッタ用の同期制御信号を受信した後に降下する。所定期間の経過後、右シャッタ用の駆動信号の電圧レベルは、上昇する。
【００３６】
図２のセクション（ｅ）は、左眼への透過光量の変動を表す。左眼への透過光量の変動は、左シャッタの調整動作を反映している。左シャッタの調整動作は、左シャッタ用の駆動信号の電圧レベルの変動に依存する。例えば、駆動信号の電圧レベルが降下するならば、左シャッタは開き始める。図２のセクション（ｅ）において、左シャッタ用の同期制御信号の立ち上がりから左眼への透過光量が最大透過光量の５０％に増加するまでの時間は、「Ｔ(ＬＯ)」の符号を用いて表される。また、駆動信号の電圧レベルが上昇するならば、左シャッタは閉じ始める。左シャッタ用の同期制御信号の立ち上がりから、左眼への透過光量が最大透過光量の５０％に減少するまでの時間は、「Ｔ(ＬＣ)」の符号を用いて表される。駆動信号の電圧レベルが低い間、左シャッタは開き、左眼への映像光の透過量は大きくなる。
【００３７】
左シャッタの開閉タイミングは、シャッタ材料、眼鏡装置の設計の差異、製造過程で生じたばらつきに起因して変動する。加えて、典型的な左シャッタに用いられる液晶の動作特性は、使用環境の温度や眼鏡装置が蓄えている電力量（電源電圧値）に影響されることが知られている。
【００３８】
図２のセクション（ｆ）は、右眼への透過光量の変動を表す。右眼への透過光量の変動は、右シャッタの調整動作を反映している。右シャッタの調整動作は、右シャッタ用の駆動信号の電圧レベルの変動に依存する。例えば、駆動信号の電圧レベルが降下するならば、右シャッタは開き始める。右シャッタ用の同期制御信号の立ち上がりから右眼への透過光量が最大透過光量の５０％に増加するまでの時間は、「Ｔ(ＲＯ)」の符号を用いて表される。また、駆動信号の電圧レベルが上昇するならば、右シャッタは閉じ始める。右シャッタ用の同期制御信号の立ち上がりから、右眼への透過光量が最大透過光量の５０％に減少するまでの時間は、「Ｔ(ＲＣ)」の符号を用いて表される。駆動信号の電圧レベルが低い間、右シャッタは開き、右眼への映像光の透過量は大きくなる。
【００３９】
右シャッタの開閉タイミングは、シャッタ材料、眼鏡装置の設計の差異、製造過程で生じたばらつきに起因して変動する。加えて、典型的な右シャッタに用いられる液晶の動作特性は、使用環境の温度や眼鏡装置が蓄えている電力量（電源電圧値）に影響されることが知られている。
【００４０】
上述の如く、眼鏡装置による調整動作は、様々な因子によって変動される。図１を参照して説明された眼鏡装置１００の様々な要素（後述される）は、シャッタ部１１０の調整動作と調整動作に影響を与える影響因子との関係を表す特性データを利用して、同期制御信号の立ち上がりから左眼及び右眼への透過光量が５０％に増加或いは減少するのに要する時間のばらつきを抑制する。
【００４１】
図３は、眼鏡装置１００のハードウェア構成を表す概略的なブロック図である。図３を用いて、眼鏡装置１００のハードウェア構成が説明される。
【００４２】
眼鏡装置１００は、上述の如く、シャッタ部１１０、スイッチ素子１３０及び受信素子１５０を備える。シャッタ部１１０は、左シャッタ１１１及び右シャッタ１１２に加えて、これらを駆動するための駆動回路１１３を備える。表示装置が左フレーム画像を表示している間、駆動回路１１３は、左シャッタ１１１及び右シャッタ１１２へ印加する電圧値を調整し、左シャッタ１１１を開き、右シャッタ１１２を閉じる。表示装置が右フレーム画像を表示している間、駆動回路１１３は、左シャッタ１１１及び右シャッタ１１２へ印加する電圧値を調整し、左シャッタ１１１を閉じ、右シャッタ１１２を開く。
【００４３】
眼鏡装置１００は、駆動回路１１３を制御するためのＣＰＵ１４０を更に備える。受信素子１５０は、表示装置から受け取った同期制御信号をＣＰＵ１４０に出力する。表示装置が同期制御信号として、赤外線信号を送信するならば、受信素子１５０は、赤外線信号を電気信号に変換する。受信素子１５０は、電気信号をＣＰＵ１４０に出力する。表示装置が同期制御信号として、無線信号を送信するならば、受信素子１５０は、無線信号をＣＰＵ１４０が読み取ることができる形式に変換する。変換された信号は、ＣＰＵ１４０に出力される。
【００４４】
ＣＰＵ１４０は、受信素子１５０を通じて、取得した同期制御信号に応じて、駆動回路１１３を制御する。駆動回路１１３は、ＣＰＵ１４０の制御下で、表示装置の表示動作に同期して、左シャッタ１１１及び右シャッタ１１２を駆動することができる。本実施形態において、ＣＰＵ１４０は、第１制御部として例示される。
【００４５】
眼鏡装置１００は、ＣＰＵ１４０へ時刻に関する情報を出力するクロック１４１を更に備える。ＣＰＵ１４０は、クロック１４１からの時刻データに応じて、同期制御信号の受信時刻を見極めることができる。ＣＰＵ１４０は、同一の波形を有する同期制御信号の受信時刻に対して平均化処理を行ってもよい。ＣＰＵ１４０は、平均化処理後の受信時刻のデータに基づき、左シャッタ１１１及び右シャッタ１１２を開閉する時刻を決定してもよい。
【００４６】
眼鏡装置１００は、同期制御信号の受信時刻に関するデータを格納するメモリ１４２を更に備える。メモリ１４２には、上述の調整動作に関する特性データも格納される。ＣＰＵ１４０は、メモリ１４２に格納された特性データを参照し、左シャッタ１１１及び右シャッタ１１２を開閉する時刻を決定する。本実施形態において、メモリ１４２は、記憶部として例示される。
【００４７】
眼鏡装置１００は、駆動回路１１３に印加された電源電圧値を検出する電圧検出素子１４３を更に備える。電圧検出素子１４３は、駆動回路１１３に印加された電源電圧値に関するデータをＣＰＵ１４０に出力する。本実施形態において、メモリ１４２に格納された特性データは、駆動回路１１３に印加された電源電圧値と、左シャッタ１１１及び／又は右シャッタ１１２の応答速度（動作速度）との関係を表す。特性データは、後述される。
【００４８】
眼鏡装置１００は、電池１４４を更に備える。電池１４４が蓄える電力は、シャッタ部１１０、ＣＰＵ１４０、クロック１４１、メモリ１４２、電圧検出素子１４３及び受信素子１５０へ、スイッチ素子１３０を通じて供給される。観察者は、スイッチ素子１３０を操作し、電池１４４からこれらの要素への電力供給を制御することができる。本実施形態において、電池１４４は、電源部として例示される。
【００４９】
電池１４４が蓄える電力量は、駆動回路１１３に加わる電圧値に影響する。したがって、電圧検出素子１４３が検出する電圧値は、電池１４４に蓄えられている電力量を反映する。本実施形態において、電圧検出素子１４３は、電力検出部として例示される。本実施形態において、電池１４４に蓄えられている電力量は、電圧検出素子１４３によって検出された電圧値に代替されている。しかしながら、電池に蓄えられた電力量は、直接的に測定されてもよい。或いは、電池に蓄えられた電力量を反映する他の可変量が代替的に検出されてもよい。
【００５０】
シャッタ部１１０が調整動作を行うならば、電池１４４に蓄えられた電力は消費される。この結果、電池１４４の電力量は、徐々に低減する。本実施形態において、左シャッタ１１１及び右シャッタ１１２の動作速度は、電池１４４の電力量の低下に伴い、遅くなる。メモリ１４２に格納された特性データは、電池１４４の電力量の低下に伴って遅くなるシャッタ部１１０の動作速度の傾向を表す。ＣＰＵ１４０は、メモリ１４２に格納された特性データと電圧検出素子１４３が出力した電圧値に関するデータとを比較し、左眼及び右眼へ透過する映像光の量を増大及び減少させるタイミングを決定する。決定手法は、後述される。
【００５１】
図４は、特性データを取得するための測定システム９００の概略図である。図４を用いて、特性データの取得方法が説明される。
【００５２】
測定システム９００は、眼鏡装置１００の左シャッタ１１１又は右シャッタ１１２に向けて光を出射する単色ＬＥＤ９１０と、左シャッタ１１１又は右シャッタ１１２を透過した光の輝度を測定する輝度測定器９２０と、を備える。輝度測定器９２０は、眼鏡装置１００のメモリ１４２に、測定された輝度のデータを時間データとともに出力する。
【００５３】
測定システム９００は、眼鏡装置１００の駆動回路１１３に電力を供給する電源９３０と、駆動回路１１３へ印加される電圧を制御する印加制御部９４０と、を備える。電源９３０は、駆動回路１１３に印加される電圧レベルを可変にする。印加制御部９４０は、電源９３０による駆動回路１１３への電圧印加のタイミングを調整する。印加制御部９４０は、眼鏡装置１００のメモリ１４２に、電源９３０から出力される電圧のデータを時間データとともに出力する。尚、印加制御部９４０から出力される時間データは、輝度測定器９２０から出力される時間データと一致している。
【００５４】
図５Ａ及び図５Ｂは、測定システム９００を用いて測定された特性データを表す概略的なグラフである。図４乃至図５Ｂを用いて、特性データが説明される。
【００５５】
図５Ａは、電源９３０が高い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５６】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ１において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ１において、左シャッタ１１１又は右シャッタ１１２を通じて得られた輝度は、最大値の１０％となる。図５Ａには、時刻ＴＯ１と時刻ＴＤとの差分値「ΔＴＯＨ」及び時刻ＴＣ１と時刻ＴＵとの差分値「ΔＴＣＨ」が示されている。
【００５７】
図５Ｂは、電源９３０が低い電圧を駆動回路１１３に印加したときに得られた特性データのグラフである。上側のグラフは、電源９３０が出力する電圧の変動を表す。下側のグラフは、輝度測定器９２０から出力される輝度の変動を表す。
【００５８】
電源９３０は、時刻ＴＤに電圧を降下させ、時刻ＴＵに電圧を上昇させている。左シャッタ１１１又は右シャッタ１１２は、時刻ＴＤにおける電圧降下に応じて開く。その後、時刻ＴＯ２において、左シャッタ１１１又は右シャッタ１１２を通じて得られた輝度は、最大値の９０％となる。左シャッタ１１１又は右シャッタ１１２は、時刻ＴＵにおける電圧上昇に応じて閉じる。その後、時刻ＴＣ２において、左シャッタ１１１又は右シャッタ１１２を通じて得られた輝度は、最大値の１０％となる。図５Ｂには、時刻ＴＯ２と時刻ＴＤとの差分値「ΔＴＯＬ」及び時刻ＴＣ２と時刻ＴＵとの差分値「ΔＴＣＬ」が示されている。本実施形態において、差分値「ΔＴＯＬ」は、図５Ａを参照して説明された差分値「ΔＴＯＨ」よりも大きい。また、差分値「ΔＴＣＬ」は、図５Ａを参照して説明された差分値「ΔＴＣＨ」よりも大きい。
【００５９】
メモリ１４２は、駆動回路１１３に印加された電圧のレベルに関連づけて、上述の差分値に関するデータを記憶してもよい。この結果、メモリ１４２に記憶されたデータは、電圧レベルの変動に対応した左シャッタ１１１及び右シャッタ１１２の応答遅れを表すことができる。特性データを用いた左シャッタ１１１及び右シャッタ１１２の制御は、後述される。
【００６０】
図６は、眼鏡装置１００の機能構成を表す概略的なブロック図である。図３及び図６を用いて、眼鏡装置１００が説明される。
【００６１】
眼鏡装置１００は、調整動作を司る作動部１６０と、作動部１６０が必要とする電力を供給する給電部１７０と、を備える。
【００６２】
給電部１７０は、電力を蓄える電源部１７１と、作動部１６０への電力供給を制御するための給電切替部１７２と、を備える。電源部１７１は、図３を参照して説明された電池１４４に相当する。給電切替部１７２は、図３を参照して説明されたスイッチ素子１３０に相当する。作動部１６０による調整動作、受信動作や信号処理動作の結果、電源部１７１に蓄えられた電力量は低減する。
【００６３】
作動部１６０は、調整動作を実行する光量調整部１６１を備える。光量調整部１６１は、左眼への透過光量を調整するための左調整部１６２と、右眼への透過光量を調整するための右調整部１６３と、左調整部１６２と右調整部１６３とを駆動するための駆動部１６４と、を備える。
【００６４】
表示装置が左フレーム画像を表示している間、駆動部１６４は、左調整部１６２を駆動し、左眼へ透過する映像光の量を増大させる。この間、駆動部１６４は、右調整部１６３に、右眼への低減された透過光量を維持させる。駆動部１６４は、左調整部１６２に、所定期間、左眼への増大された透過光量を維持させた後、左調整部１６２を動作させる。この結果、左調整部１６２は、左眼へ透過する映像光の量を低減させる。
【００６５】
表示装置が右フレーム画像を表示している間、駆動部１６４は、右調整部１６３を駆動し、右眼へ透過する映像光の量を増大させる。この間、駆動部１６４は、左調整部１６２に、左眼への低減された透過光量を維持させる。駆動部１６４は、右調整部１６３に、所定期間、右眼への増大された透過光量を維持させた後、右調整部１６３を動作させる。この結果、右調整部１６３は、右眼へ透過する映像光の量を低減させる。
【００６６】
本実施形態において、光量調整部１６１は、シャッタ部１１０に対応する。左調整部１６２は、左シャッタ１１１に対応する。右調整部１６３は、右シャッタ１１２に対応する。駆動部１６４は、駆動回路１１３に対応する。
【００６７】
左調整部１６２が、左眼への透過光量を増大させることは、左シャッタ１１１が開くことを意味する。左調整部１６２が、左眼への透過光量を減少させることは、左シャッタ１１１が閉じることを意味する。右調整部１６３が、右眼への透過光量を増大させることは、右シャッタ１１２が開くことを意味する。右調整部１６３が、右眼への透過光量を減少させることは、右シャッタ１１２が閉じることを意味する。
【００６８】
眼鏡装置１００は、表示装置からの同期制御信号を受信する受信部１６５を更に備える。受信部１６５は、図３を参照して説明された受信素子１５０に相当する。
【００６９】
眼鏡装置１００は、光量調整部１６１の駆動部１６４を制御する制御部１６６を更に備える。受信部１６５は、同期制御信号を制御部１６６へ出力する。例えば、制御部１６６は、同期制御信号の受信時刻を平均化処理し、同期制御信号によって規定される増大期間のタイミング（左調整部１６２が左眼への透過光量を増大させている期間のタイミング及び／又は右調整部１６３が右眼への透過光量を増大させている期間のタイミング）又は減少期間のタイミング（左調整部１６２が左眼への透過光量を減少させている期間のタイミング及び／又は右調整部１６３が右眼への透過光量を減少させている期間のタイミング）を見極めてもよい。制御部１６６は、上述の特性データと駆動部１６４に印加された電圧とを比較し、見極められた増大期間のタイミング又は減少期間のタイミングを補正する。制御部１６６は、補正された増大期間のタイミング又は減少期間のタイミングに基づき、駆動部１６４を制御する。この結果、駆動部１６４によって駆動される左調整部１６２及び右調整部１６３の調整動作が適切に制御される。制御部１６６は、図３を参照して説明されたＣＰＵ１４０及びクロック１４１に対応する。本実施形態において、制御部１６６は、第１制御部として例示される。
【００７０】
眼鏡装置１００は、駆動部１６４に印加される電圧レベルと光量調整部１６１の動作速度との関係を表す特性データを記憶する記憶部１６７と、駆動部１６４に印加されている電圧のレベルを検出する電圧検出部１６８と、を備える。本実施形態において、駆動部１６４に印加される電圧のレベルは、電源部１７１が蓄える電力量に依存する。したがって、電圧検出部１６８によって検出された駆動部１６４での電圧レベルは、電源部１７１が蓄える電力量を反映している。記憶部１６７は、図３を参照して説明されたメモリ１４２に相当する。電圧検出部１６８は、図３を参照して説明された電圧検出素子１４３に相当する。本実施形態において、電圧検出部１６８は、電力検出部として例示される。
【００７１】
制御部１６６は、記憶部１６７を参照し、駆動部１６４に印加される電圧レベルと光量調整部１６１の動作速度との関係を表す特性データを取得する。また、電圧検出部１６８は、制御部１６６に、駆動部１６４に印加されている電圧に関するデータを出力する。制御部１６６は、特性データと、電圧検出部１６８からの出力データと、を比較し、同期制御信号によって規定された変動タイミングを補正する。制御部１６６による補正処理は後述される。
【００７２】
（表示装置）
図７は、表示装置２００のハードウェア構成を表す概略的なブロック図である。図３及び図７を用いて、表示装置２００が説明される。
【００７３】
表示装置２００は、映像信号が入力される復号化ＩＣ２０１を備える。復号化ＩＣ２０１に入力される映像信号は、符号化されている。復号化ＩＣ２０１は、映像信号を復号化し、映像データを所定の様式で出力する。映像信号は、ＭＰＥＧ（Motion Picture Experts Group）−２、ＭＰＥＧ−４やＨ２６４といった手法に従い符号化されてもよい。
【００７４】
表示装置２００は、映像信号処理ＩＣ２０２を更に備える。復号化ＩＣ２０１は、映像信号処理ＩＣ２０２に復号化された映像信号を出力する。映像信号処理ＩＣ２０２は、復号化された映像信号を処理し、立体映像を表示するための映像データを作り出す。例えば、映像信号処理ＩＣ２０２は、映像信号から、左フレーム画像に対応する映像データと、右フレーム画像に対応する映像データと、を抽出してもよい。映像信号処理ＩＣ２０２は、その後、左フレーム画像に対応する映像データと、右フレーム画像に対応する映像データと、交互に出力してもよい。代替的に、左フレーム画像に対応する映像データ及び右フレーム画像に対応する映像データは、復号化ＩＣ２０１から映像信号処理ＩＣ２０２へ出力される映像信号から自動的に生成されてもよい。映像信号処理ＩＣ２０２は、左フレーム画像に対応する映像データと、右フレーム画像に対応する映像データと、交互に出力してもよい。
【００７５】
表示装置２００は、左フレーム画像と右フレーム画像とを交互に表示するディスプレイパネル２０３を更に備える。映像信号処理ＩＣ２０２は、ディスプレイパネル２０３に対応する信号入力方式に従って、左フレーム画像及び右フレーム画像に対応する映像データを出力する。
【００７６】
映像信号処理ＩＣ２０２は、ディスプレイパネル２０３の特性に応じて、他の処理（例えば、色彩調整処理やフレームレートの調整処理）を行ってもよい。映像信号処理ＩＣ２０２が、復号化ＩＣ２０１が生成した映像データのフレーム間の映像を補間するならば、ディスプレイパネル２０３が表示する映像のフレームレートが増大することとなる。
【００７７】
表示装置２００は、眼鏡装置１００の受信素子１５０へ送信される同期制御信号を生成する送信制御ＩＣ２０４を更に備える。送信制御ＩＣ２０４が生成する同期制御信号は、ディスプレイパネル２０３に表示されるフレーム画像の表示の開始及び／又は終了を通知するために用いられる。上述の如く、眼鏡装置１００は、同期制御信号によって通知されるフレーム画像の表示の開始時刻及び／又は終了時刻を、左シャッタ１１１及び右シャッタ１１２が左眼及び右眼へ透過光量を増大又は減少させている期間のタイミング（増大期間又は減少期間のタイミング）の基準として利用する。眼鏡装置１００は、同期制御信号が規定した基準のタイミングを補正し、シャッタ部１１０の特性に応じたタイミングで左シャッタ１１１及び右シャッタ１１２を動作させる。
【００７８】
表示装置２００は、同期制御信号を送信するための送信素子２０５を更に備える。本実施形態において、送信素子２０５は、赤外線を発光する発光素子であってもよい。代替的に、送信素子２０５は、無線信号を送信可能な無線素子であってもよい。送信制御ＩＣ２０４は、送信素子２０５を制御する。送信素子２０５は、送信制御ＩＣ２０４の制御下で、同期制御信号を送信する。同期制御信号の送信は、左フレーム画像及び右フレーム画像の表示に同期される。
【００７９】
表示装置２００は、復号化ＩＣ２０１、映像信号処理ＩＣ２０２及び送信制御ＩＣ２０４を制御するＣＰＵ２０６を更に備える。ＣＰＵ２０６は、映像信号処理ＩＣ２０２及び送信制御ＩＣ２０４に対する制御を司るので、同期制御信号の送信を、左フレーム画像及び右フレーム画像の表示に適切に同期させることができる。
【００８０】
表示装置２００は、ＣＰＵ２０６が実行するプログラムを格納するメモリ２０７を更に備える。メモリ２０７は、ＣＰＵ２０６によるプログラムの実行に伴って発生したデータを記憶する領域として利用されてもよい。メモリ２０７として、揮発性のＲＡＭ（Random  Access  Memory）や不揮発性のＲＯＭ（Read  Only  Memory）が利用されてもよい。
【００８１】
表示装置２００は、ＣＰＵ２０６へクロック信号を供給するクロック２０８を更に備える。ＣＰＵ２０６は、クロック信号を利用して、同期制御信号の送信を、左フレーム画像及び右フレーム画像の表示に適切に同期させることができる。
【００８２】
図８は、表示装置２００の機能構成を表す概略的なブロック図である。図６乃至図８を用いて、表示装置２００が更に説明される。
【００８３】
表示装置２００は、映像信号が入力される入力部２１１を備える。入力部２１１に入力される映像信号は、符号化されている。入力部２１１は、映像信号を復号化し、映像データを所定の様式で出力する。映像信号は、ＭＰＥＧ（Motion Picture Experts Group）−２、ＭＰＥＧ−４やＨ２６４といった手法に従い符号化されてもよい。入力部２１１は、図７を参照して説明された復号化ＩＣ２０１に相当する。
【００８４】
表示装置２００は、映像処理部２１２を更に備える。入力部２１１は、復号化された映像信号を映像処理部２１２へ出力する。映像処理部２１２は、映像信号に応じて、左フレーム画像及び右フレーム画像を表示するための映像データを生成する。映像処理部２１２は、図７を参照して説明された映像信号処理ＩＣ２０２に相当する。
【００８５】
表示装置２００は、表示部２１３を更に備える。映像処理部２１２は、左フレーム画像を表示するための映像データと、右フレーム画像を表示するための映像データと、を表示部２１３に交互に出力する。表示部２１３は、映像処理部２１２から受け取った映像データを用いて、左フレーム画像と右フレーム画像とを交互に表示する。
【００８６】
表示装置２００は、映像処理部２１２を制御する制御部２１６を更に備える。映像処理部２１２は、制御部２１６の制御下で、上述の映像信号の処理を行う。制御部２１６は、図７を参照して説明されたＣＰＵ２０６、メモリ２０７及びクロック２０８に相当する。
【００８７】
表示装置２００は、制御部２１６の制御下で、同期制御信号を生成する信号生成部２１４を更に備える。制御部２１６は、映像処理部２１２から表示部２１３への左フレーム画像のデータの出力に同期して、信号生成部２１４に、左フレーム画像の表示を通知するための同期制御信号を出力させる。制御部２１６は、映像処理部２１２から表示部２１３への右フレーム画像のデータの出力に同期して、信号生成部２１４に、右フレーム画像の表示を通知するための同期制御信号を出力させる。信号生成部２１４は、図７を参照して説明された送信制御ＩＣ２０４に相当する。
【００８８】
表示装置２００は、同期制御信号を送信するための送信部２１５を更に備える。信号生成部２１４は、同期制御信号を送信部２１５に出力する。送信部２１５は、眼鏡装置１００の受信部１６５へ同期制御信号を送信する。送信部２１５は、図７を参照して説明された送信素子２０５に相当する。
【００８９】
（補正処理）
図９は、眼鏡装置１００の制御部１６６による同期制御信号に対する処理を表す概略的な表である。図６、図８及び図９を用いて、同期制御信号に対する処理が説明される。
【００９０】
表示装置２００の信号生成部２１４が生成する同期制御信号は、左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、を含んでもよい。これらのコマンド信号は、互いに異なる波形を有する。眼鏡装置１００の制御部１６６は、コマンド信号の波形に基づき、コマンド信号による通知内容を把握することができる。
【００９１】
眼鏡装置１００の制御部１６６は、例えば、上述のコマンド信号の受信時刻からシャッタ部１１０の透過光量が最大透過光量の５０％になるまでの時間に関するデータを、順次、記憶部１６７に格納する。図９には、記憶部１６７に格納された時刻データ（「ｔ１１」乃至「ｔｎ４」）が示されている。
【００９２】
左フレーム画像の表示開始を通知するためのコマンド信号と、左フレーム画像の表示終了を通知するためのコマンド信号と、右フレーム画像の表示開始を通知するためのコマンド信号と、右フレーム画像の表示終了を通知するためのコマンド信号と、からなるコマンド信号の組（以下、コマンド信号組と称される）が、所定数、記憶部１６７に格納されると、制御部１６６は、同期制御信号によって規定される基準データを生成する。
【００９３】
コマンド信号組内で、左フレーム画像の表示終了を表すコマンド信号の受信時刻と左フレーム画像の表示開始時刻との差分値が演算されてもよい。コマンド信号組内で、右フレーム画像の表示開始を表すコマンド信号の受信時刻と左フレーム画像の表示開始との差分値が演算されてもよい。コマンド信号組内で、右フレーム画像の表示終了を表すコマンド信号の受信時刻と左フレーム画像の表示開始との差分値が演算されてもよい。これらの演算から得られた差分値が平均化されるならば、左フレーム画像の表示開始を通知するコマンド信号の受信時刻を基準とした他のコマンド信号の受信時刻の平均値が算出される。
【００９４】
先行するコマンド信号組と後続のコマンド信号組との間で、左フレーム画像の表示開始を通知するコマンド信号の受信時刻の差分値が演算されてもよい。これらの差分値が平均化されるならば、コマンド信号組の平均的な受信周期が算出される。
【００９５】
制御部１６６は、上述の差分値の演算を用いて、同期制御信号によって規定される基準データを生成することができる。受信部１６５が、基準データから大きく外れた信号を受信するならば、制御部１６６は、受信部１６５によって受信された信号をノイズ信号として処理することができる。
【００９６】
図１０は、上述の演算によって得られた基準データを表す概略的なグラフである。図６、図８及び図１０を用いて、基準データが説明される。
【００９７】
眼鏡装置１００の制御部１６６による上述の処理の結果、制御部１６６は、時刻Ｔ１において左フレーム画像の表示が開始され、時刻Ｔ２において左フレーム画像の表示が終了することを見極める。制御部１６６は、時刻Ｔ３において右フレーム画像の表示が開始され、時刻Ｔ４において右フレーム画像の表示が終了することを見極める。時刻Ｔ１から時刻Ｔ２の期間は、同期制御信号によって規定されたタイミング（左眼用）として例示される。時刻Ｔ３から時刻Ｔ４の期間は、同期制御信号によって規定されたタイミング（右眼用）として例示される。
【００９８】
図１１は、眼鏡装置１００の記憶部１６７に記憶された特性データを表す概略的な表である。図５Ａ乃至図６並びに図１１を用いて、基準データに対する補正処理が説明される。
【００９９】
記憶部１６７には、図５Ａ及び図５Ｂを参照して説明された測定の結果から得られた特性データとして、駆動部１６４に印加された電圧のレベルと、電圧レベルに関連づけられた補正値が記憶されている。図１１において、電源部１７１に蓄えられた電力量が最大値であるときの電圧レベルは、「ＶＨ」の記号を用いて表されている。図１１において、電源部１７１に蓄えられた電力量が最小値（光量調整部１６１に調整動作を実行させることができる最小レベルの電力量）であるときの電圧レベルは、「ＶＬ」の記号を用いて表されている。
【０１００】
記憶部１６７は、電圧レベルＶＨに関連づけて、補正値ＣＨを記憶している。記憶部１６７は、電圧レベルＶＬに関連づけて、補正値ＣＬを記憶している。また、記憶部１６７、電圧レベルＶＨ，ＶＬの間の電圧レベルにそれぞれ関連づけて、複数の補正値（Ｃｎ乃至Ｃ１）を記憶している。本実施形態において、記憶部１６７に記憶された補正値は、電圧レベルと同様に、補正値ＣＬから補正値ＣＨに向けて徐々に大きくなっている。
【０１０１】
図１２は、眼鏡装置１００の制御部１６６による補正処理を概略的に表すグラフである。図５Ａ乃至図６並びに図１０乃至図１２を用いて、制御部１６６による補正処理が説明される。
【０１０２】
図１２に示される上側のグラフは、図１０を参照して説明された基準データを表す。図１２に示される中央のグラフは、電圧検出部１６８が電圧レベルＶＬを検出したときに、制御部１６６の制御下で駆動部１６４が左調整部１６２及び右調整部１６３へ出力する駆動信号の電圧レベルの変動を表す。図１２に示される下側のグラフは、電圧検出部１６８が電圧レベルＶＨを検出したときに、制御部１６６の制御下で駆動部１６４が左調整部１６２及び右調整部１６３へ出力する駆動信号の電圧レベルの変動を表す。
【０１０３】
制御部１６６は、電圧検出部１６８が検出した駆動部１６４における電圧レベルと、記憶部１６７に記憶された特性データと、を対比する。電圧検出部１６８が、「ＶＬ」の電圧レベルが検出されたことを表すデータを制御部１６６に出力するならば、制御部１６６は、記憶部１６７に記憶された特性データから、電圧レベルＶＬに対応する補正値ＣＬを用いて、基準データを補正することを決定する。電圧検出部１６８が、「ＶＨ」の電圧レベルが検出されたことを表すデータを制御部１６６に出力するならば、制御部１６６は、記憶部１６７に記憶された特性データから、電圧レベルＶＨに対応する補正値ＣＨを用いて、基準データを補正することを決定する。
【０１０４】
補正値ＣＬを用いて、基準データを補正することを決定した制御部１６６は、補正値ＣＬを、時刻Ｔ１，Ｔ２，Ｔ３，Ｔ４にそれぞれ加算する。補正値ＣＨを用いて、基準データを補正することを決定した制御部１６６は、補正値ＣＨを、時刻Ｔ１，Ｔ２，Ｔ３，Ｔ４にそれぞれ加算する。駆動部１６４は、制御部１６６の制御下で、補正値ＣＬ，ＣＨが加算された時刻に電圧を変動させ、左調整部１６２及び右調整部１６３をそれぞれ動作させる。図１１を参照して説明されたように、補正値ＣＬは、補正値ＣＨよりも小さいので、電圧検出部１６８が、「ＶＬ」の電圧レベルを検出したときの駆動信号の電圧レベルの変動は、電圧検出部１６８が、「ＶＨ」の電圧レベルを検出したときよりも早くなる。したがって、電圧検出部１６８が、「ＶＬ」の電圧レベルを検出したときの左調整部１６２及び右調整部１６３の始動は、電圧検出部１６８が、「ＶＨ」の電圧レベルを検出したときよりも早くなる。
【０１０５】
一方、図５Ａ及び図５Ｂに関連して説明された如く、電圧検出部１６８が、「ＶＬ」の電圧レベルを検出したときの左調整部１６２及び右調整部１６３の動作は、電圧検出部１６８が、「ＶＨ」の電圧レベルを検出したときよりも遅い。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、電源部１７１が蓄える電力量の変動は、左調整部１６２及び右調整部１６３の動作タイミングにほとんど影響しなくなる。
【０１０６】
本実施形態において、電圧レベルに応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１０７】
図５Ａ及び図５Ｂを参照して説明された如く、特性データは、左調整部１６２及び右調整部１６３に対して個別に取得される。したがって、眼鏡装置１００の固有の性質に応じた補正制御が達成される。即ち、異なる型式の眼鏡装置間の性能差はもちろんのこと、同一の型式の眼鏡装置間の性能差は、好適に緩和される。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１０８】
（映像システム）
図１３は、映像システム３００の概略図である。図１３を用いて、映像システム３００が説明される。
【０１０９】
映像システム３００は、眼鏡装置１００と表示装置２００とを備える。表示装置２００は、ディスプレイパネル２０３を用いて、左眼で観察される左フレーム画像と、右眼で観察される右フレーム画像と、を交互に表示する。表示装置２００は、送信素子２０５から、左眼及び右眼へ透過する映像光の量を増大又は減少させる変動タイミングを規定する同期制御信号を眼鏡装置１００へ送信する。眼鏡装置１００は、同期制御信号に応じて、左シャッタ１１１及び右シャッタ１１２を動作させる。上述の補正制御を通じて、シャッタ部１１０は、変動タイミングを適切に調整することができる。この結果、眼鏡装置１００は、左眼及び右眼へ入射する映像光の光量を適切に調整し、ディスプレイパネル２０３が表示する映像を、観察者に、立体的に知覚させることができる。
【０１１０】
本実施形態において、変動タイミングの調整は、専ら、眼鏡装置１００に依存する。したがって、表示装置２００と眼鏡装置１００との通信は、簡素化される。
【０１１１】
（眼鏡装置の制御方法）
図１４は、眼鏡装置１００の制御方法を表す概略的なフローチャートである。図１４を用いて、眼鏡装置１００の制御方法が説明される。
【０１１２】
（ステップＳ１１０）
ステップＳ１１０において、受信部１６５は、同期制御信号を受信する。同期制御信号の受信時刻や同期制御信号が通知する情報は、制御部１６６を通じて、記憶部１６７に記憶される。その後、ステップＳ１２０が実行される。
【０１１３】
（ステップＳ１２０）
ステップＳ１２０において、制御部１６６は、記憶部１６７が、基準データを生成するのに十分な量のデータを記憶したか否かを判定する。記憶部１６７に記憶されたデータ量が不十分であるならば、ステップＳ１１０が再度実行される。この結果、記憶部１６７が基準データを生成するのに十分な量のデータを記憶するまで、受信部１６５は、同期制御信号の受信を続けることとなる。
【０１１４】
記憶部１６７が基準データを生成するのに十分な量のデータを記憶しているならば、制御部１６６は、基準データを生成する。基準データは、上述の如く、同期制御信号によって規定される変動タイミングを表す。基準データの生成の後、ステップＳ１３０が実行される。
【０１１５】
（ステップＳ１３０）
ステップＳ１３０において、電圧検出部１６８は、駆動部１６４に印加された電圧を検出する。電圧検出部１６８は、制御部１６６に検出された電圧のデータを出力する。電圧データの出力の後、ステップＳ１４０が実行される。
【０１１６】
（ステップＳ１４０）
ステップＳ１４０において、制御部１６６は、記憶部１６７に記憶された特性データと、電圧検出部１６８から出力された電圧データと、を比較し、補正値を決定する。補正値の決定の後、ステップＳ１５０が実行される。
【０１１７】
（ステップＳ１５０）
ステップＳ１５０において、制御部１６６は、決定された補正値を用いて、基準データを補正し、補正データを生成する。補正データの生成の後、ステップＳ１６０が実行される。
【０１１８】
（ステップＳ１６０）
ステップＳ１６０において、制御部１６６は、補正データを用いて、駆動部１６４を制御する。この結果、駆動部１６４は、特性データと駆動部１６４に印加されている電圧レベルとに応じて適切に調整されたタイミングで、左調整部１６２及び右調整部１６３を駆動することができる。かくして、左調整部１６２及び右調整部１６３は、適切に調整された変動タイミングで、左眼及び右眼への透過光量を増大又は減少することができる。
【０１１９】
＜第２実施形態＞
図１５は、第２実施形態の眼鏡装置１００Ａの機能構成を表す概略的なブロック図である。第１実施形態と同一の要素に対して、同一の符号が付されている。同一の符号が付された要素に対して、第１実施形態の説明が援用される。第１実施形態と第２実施形態との間の差異が以下に説明される。
【０１２０】
眼鏡装置１００Ａは、第１実施形態に関連して説明された給電部１７０に加えて、作動部１６０Ａを備える。作動部１６０Ａは、第１実施形態に関連して説明された受信部１６５及び光量調整部１６１に加えて、制御部１６６Ａ、記憶部１６７Ａ及び温度検出部１６８Ａを備える。
【０１２１】
左調整部１６２及び右調整部１６３が液晶を用いて形成されるならば、左調整部１６２及び右調整部１６３の応答速度（動作速度）は、映像が観察される環境の温度に応じて変動することもある。特に、左調整部１６２及び右調整部１６３の応答速度は、周囲温度の影響を受けやすい。したがって、本実施形態において、温度検出部１６８Ａは、環境温度として、駆動部１６４の温度を検出する。温度検出部１６８Ａとして、一般的な温度センサが好適に利用可能である。
【０１２２】
図１６は、記憶部１６７Ａに記憶される特性データを概略的に表す表である。図１５及び図１６を用いて、眼鏡装置１００Ａが更に説明される。
【０１２３】
記憶部１６７Ａには、温度検出部１６８Ａが検出すると想定される最大温度ＴＭＰＨ及び最小温度ＴＭＰＬ並びに最大温度ＴＭＰＨと最小温度ＴＭＰＬとの間のいくつかの温度に関する温度データと、温度データに関連づけて記憶された補正値のデータが記憶される。本実施形態において、最大温度ＴＭＰＨに対応する補正値ＣＨが最も大きく、最小温度ＴＭＰＬに対応する補正値ＣＨが最も小さい。検出される温度が低くなるにつれて、対応する補正値は小さく設定される。
【０１２４】
補正値は、駆動部１６４の温度（即ち、映像が観察される環境の温度）と左調整部１６２及び右調整部１６３の動作速度との関係に応じて定められる。眼鏡装置１００Ａの動作特性が、様々な温度環境下で調査され、補正値が決定されることが好ましい。この結果、記憶部１６７Ａには、眼鏡装置１００Ａの固有の特性データが格納される。
【０１２５】
制御部１６６Ａは、記憶部１６７Ａに格納された特性データと、温度検出部１６８Ａから出力される温度データと、を対比し、駆動部１６４の温度に応じた補正値を決定する。
【０１２６】
図１７は、制御部１６６Ａによる補正処理を概略的に表すグラフである。図１５乃至図１７を用いて、制御部１６６Ａによる補正処理が説明される。
【０１２７】
図１７に示される上側のグラフは、基準データを表す。第１実施形態に関連して説明された手法に従って、制御部１６６Ａは、受信部１６５が受信した同期制御信号を用いて基準データを生成する。
【０１２８】
図１７に示される中央のグラフは、温度検出部１６８Ａが最小温度ＴＭＰＬを検出したときに、制御部１６６Ａの制御下で駆動部１６４が左調整部１６２及び右調整部１６３へ出力する駆動信号の電圧レベルの変動を表す。図１７に示される下側のグラフは、温度検出部１６８Ａが最大温度ＴＭＰＨを検出したときに、制御部１６６Ａの制御下で駆動部１６４が左調整部１６２及び右調整部１６３へ出力する駆動信号の電圧レベルの変動を表す。
【０１２９】
制御部１６６Ａは、温度検出部１６８Ａが検出した駆動部１６４における検出温度と、記憶部１６７Ａに記憶された特性データと、を対比する。温度検出部１６８Ａが、「ＴＭＰＬ」の温度が検出されたことを表すデータを制御部１６６Ａに出力するならば、制御部１６６Ａは、記憶部１６７Ａに記憶された特性データから、温度ＴＭＰＬに対応する補正値ＣＬを用いて、基準データを補正することを決定する。温度検出部１６８Ａが、「ＴＭＰＨ」の温度レベルが検出されたことを表すデータを制御部１６６Ａに出力するならば、制御部１６６Ａは、記憶部１６７Ａに記憶された特性データから、温度ＴＭＰＨに対応する補正値ＣＨを用いて、基準データを補正することを決定する。
【０１３０】
補正値ＣＬを用いて、基準データを補正することを決定した制御部１６６Ａは、補正値ＣＬを、時刻Ｔ１，Ｔ２，Ｔ３，Ｔ４にそれぞれ加算する。補正値ＣＨを用いて、基準データを補正することを決定した制御部１６６Ａは、補正値ＣＨを、時刻Ｔ１，Ｔ２，Ｔ３，Ｔ４にそれぞれ加算する。駆動部１６４は、制御部１６６Ａの制御下で、補正値ＣＬ，ＣＨが加算された時刻に電圧を変動させ、左調整部１６２及び右調整部１６３をそれぞれ動作させる。この結果、左眼及び右眼への透過光量が増大する期間のタイミング（増大期間のタイミング）又は透過光量が減少する期間のタイミング（減少期間のタイミング）は、温度に応じた補正量だけ調整される。本実施形態において、制御部１６６Ａは、第１制御部として例示される。
【０１３１】
図１６を参照して説明されたように、補正値ＣＬは、補正値ＣＨよりも小さいので、温度検出部１６８Ａが、「ＴＭＰＬ」の温度を検出したときの駆動信号の電圧レベルの変動は、温度検出部１６８Ａが、「ＴＭＰＨ」の温度を検出したときよりも早くなる。したがって、温度検出部１６８Ａが、「ＴＭＰＬ」の温度を検出したときの左調整部１６２及び右調整部１６３の始動は、温度検出部１６８Ａが、「ＴＭＰＨ」の電圧レベルを検出したときよりも早くなる。
【０１３２】
左調整部１６２及び右調整部１６３が液晶を用いて形成されるならば、一般的に、環境温度が低くなるほど、左調整部１６２及び右調整部１６３の動作は遅くなる傾向がある。したがって、補正値ＣＬ，ＣＨとの差異に起因する左調整部１６２及び右調整部１６３の始動時刻の差異は、左調整部１６２及び右調整部１６３の動作の特性によって略相殺される。したがって、左眼及び右眼への透過光量は、基準データの時刻Ｔ１，Ｔ２，Ｔ３，Ｔ４から略一定の期間が経過した後、目標値に到達する。したがって、光量調整部１６１における温度の変動は、左調整部１６２及び右調整部１６３の動作タイミングにほとんど影響しなくなる。尚、補正処理は、他の演算処理を用いて実行されてもよい。補正値は、補正処理に用いられる演算処理に応じて定められる。したがって、本実施形態の原理は、上述の演算処理及び補正値の設定に何ら限定されない。
【０１３３】
本実施形態において、環境温度に応じて定められる補正値は、光量調整部１６１が光量を増大させるタイミング及び光量を低減させるタイミングにおいて共通している。代替的に、光量調整部１６１が光量を増大させるタイミング及び光量を低減させるタイミングとの間で、異なる補正値が用いられてもよい。或いは、光量調整部１６１が光量を増大させるタイミング及び光量を減少させるタイミングのうち一方のみに、補正値が適用されてもよい。
【０１３４】
変動タイミングに対する補正は、第１実施形態に関連して説明された電圧検出と第２実施形態に関連して説明された温度検出とに基づいて実行されてもよい。
【０１３５】
＜第３実施形態＞
図１８は、第３実施形態の眼鏡装置１００Ｂの機能構成を表す概略的なブロック図である。第２実施形態と同一の要素に対して、同一の符号が付されている。同一の符号が付された要素に対して、第２実施形態の説明が援用される。第２実施形態と第３実施形態との間の差異が以下に説明される。
【０１３６】
眼鏡装置１００Ｂは、第２実施形態に関連して説明された給電部１７０に加えて、作動部１６０Ｂを備える。作動部１６０Ｂは、第２実施形態に関連して説明された受信部１６５、光量調整部１６１及び記憶部１６７Ａに加えて、制御部１６６Ｂを備える。制御部１６６Ｂは、給電部１７０が作動部１６０Ｂへ給電を開始した時刻からの経過時間（以下、給電期間と称される）を測定する計時部１６８Ｂを備える。計時部１６８Ｂとして、図３に関連して説明されたクロック１４１が用いられてもよい。
【０１３７】
図１９は、給電期間と駆動部１６４の温度との関係を表す概略的なグラフである。図１６、図１８及び図１９を用いて、眼鏡装置１００Ｂが更に説明される。
【０１３８】
給電部１７０から作動部１６０Ｂへの給電に伴って、駆動部１６４の温度は、徐々に上昇する。給電期間と駆動部１６４の温度上昇との関係は、眼鏡装置１００Ｂに対して個別に調査されている。制御部１６６Ｂは、計時部１６８Ｂが測定した給電期間と、図１９に示される給電期間と温度上昇との相関と、に基づいて、駆動部１６４の温度を推定することができる。
【０１３９】
記憶部１６７Ａには、図１６を参照して説明された特性データが格納されている。制御部１６６Ｂは、推定された温度と、特性データと、を対比し、補正量を決定する。その後、制御部１６６Ｂは、第２実施形態に関連して説明された手法に従って、変動タイミングを調整する。本実施形態において、制御部１６６Ｂは、第１制御部として例示される。また、計時部１６８Ｂは、温度検出部として例示される。
【０１４０】
本実施形態の眼鏡装置１００Ｂは、駆動部１６４の温度を直接的に検出するための検出素子を必要としない。計時部１６８Ｂは、クロック信号を利用して給電期間に関する情報を取得するプログラムであってもよい。したがって、眼鏡装置１００Ｂの物理的な構造は、第２実施形態と比べて、簡素化される。
【０１４１】
＜第４実施形態＞
（表示装置）
図２０は、第４実施形態の表示装置２００Ｃの機能構成を表す概略的なブロック図である。第１実施形態と同一の要素に対して、同一の符号が付されている。同一の符号が付された要素に対して、第１実施形態の説明が援用される。第１実施形態と第４実施形態との間の差異が以下に説明される。
【０１４２】
表示装置２００Ｃは、第１実施形態に関連して説明された入力部２１１、映像処理部２１２及び表示部２１３を備える。入力部２１１には、映像信号が入力される。映像処理部２１２は、入力部２１１を通じて受け取った映像信号に応じて、左眼で観察される左フレーム画像及び右眼で観察される右フレーム画像のデータを表示部２１３に交互に出力する。表示部２１３は、映像処理部２１２からの出力に応じて、左フレーム画像と右フレーム画像とを交互に表示する。この結果、観察者は、表示部２１３に表示された映像を立体的に知覚することができる。
【０１４３】
表示装置２００Ｃは、映像処理部２１２を制御する制御部２１６Ｃを更に備える。制御部２１６Ｃは、左フレーム画像及び右フレーム画像の表示タイミングを決定する。表示部２１３は、決定された表示タイミングで、左フレーム画像と右フレーム画像とを、順次、表示する。本実施形態において、制御部２１６Ｃは、第２制御部として例示される。
【０１４４】
表示装置２００Ｃは、左フレーム画像及び右フレーム画像の表示タイミングを通知するための同期制御信号を、制御部２１６Ｃの制御下で生成する信号生成部２１４Ｃを更に備える。第１実施形態と異なり、信号生成部２１４Ｃが生成する同期制御信号が通知する表示タイミングの情報は、制御部２１６Ｃが、映像処理部２１２に対して決定した表示タイミングを基準に補正されている。表示タイミングの補正は、後述される。
【０１４５】
表示装置２００Ｃは、同期制御信号を送信する通信部２１５Ｃを更に備える。本実施形態において、信号生成部２１４Ｃは、好ましくは、同期制御信号として、無線信号を生成する。通信部２１５Ｃは、同期制御信号として生成された無線信号を送信する。本実施形態において、信号生成部２１４Ｃ及び通信部２１５Ｃは、制御信号通信部として例示される。通信部２１５Ｃとして、図７に関連して説明された送信素子２０５が用いられてもよい。
【０１４６】
表示装置２００Ｃは、映像が観察される環境の温度を検出するための温度検出部２１７を更に備える。温度検出部２１７が検出した温度のデータは、制御部２１６Ｃに出力される。制御部２１６Ｃは、温度データを用いて、表示タイミングを補正する。温度検出部２１７として、一般的な温度センサが好適に利用される。
【０１４７】
（映像システム）
図２１は、映像システム３００Ｃの概略図である。図２０及び図２１を用いて、映像システム３００Ｃが説明される。
【０１４８】
映像システム３００Ｃは、表示装置２００Ｃと眼鏡装置１００Ｃとを備える。通信部２１５Ｃは、眼鏡装置１００Ｃへ同期制御信号を送信する。眼鏡装置１００Ｃは、同期制御信号に応じて、左眼及び右眼へ透過する映像光の量を増大又は減少させる変動タイミングが、表示部２１３によって表示される左フレーム画像及び右フレーム画像の表示と同期するように、調整動作を行う。第１実施形態とは異なり、表示装置２００Ｃから送信される同期制御信号が含む表示タイミングに関する情報は、補正されているので、眼鏡装置１００Ｃが行う補正のための演算処理は軽減される。
【０１４９】
眼鏡装置１００Ｃは、表示装置２００Ｃに、眼鏡装置１００Ｃが実行する調整動作に関する特性データを送信する。表示装置２００Ｃの通信部２１５Ｃは、特性データを受信する。特性データは、後述される。
【０１５０】
通信部２１５Ｃは、受信された特性データを制御部２１６Ｃに出力する。制御部２１６Ｃは、通信部２１５Ｃからの特性データを記憶する記憶部２１８を備える。したがって、制御部２１６Ｃは、特性データを保持し続けることができる。記憶部２１８として、図７に関連して説明されたメモリ２０７が用いられてもよい。
【０１５１】
制御部２１６Ｃは、特性データと温度検出部２１７から出力された温度データとを用いて、映像処理部２１２に対して決定した表示タイミングを補正する。制御部２１６Ｃは、補正された表示タイミングを用いて、信号生成部２１４Ｃを制御する。この結果、信号生成部２１４Ｃによって生成された同期制御信号は、補正された表示タイミングに関する情報を含むこととなる。
【０１５２】
本実施形態において、表示装置２００Ｃと眼鏡装置１００Ｃとの間で、Bluetooth（登録商標）、ZigBeeやWiFiといった通信方式に従うパケット通信が実行される。尚、表示装置２００Ｃと眼鏡装置１００Ｃとの間の通信方式は、本実施形態の原理を何ら限定しない。
【０１５３】
図２２は、表示装置２００Ｃと眼鏡装置１００Ｃとの間の通信に用いられるパケット構造の概略図である。尚、図２２に示されるパケット構造は、Bluetooth（登録商標）に基づく。尚、パケット構造は、本実施形態の原理を何ら限定しない。図２０乃至図２２を用いて、表示装置２００Ｃと眼鏡装置１００Ｃとの間の通信が説明される。
【０１５４】
パケット構造は、ペイロードヘッダ、ペイロードボディ及びＣＲＣを含む。表示装置２００Ｃが眼鏡装置１００Ｃに送信する同期制御信号のペイロードボディには、補正された表示タイミングに関するタイミング情報が含まれる。また、眼鏡装置１００Ｃが表示装置２００Ｃに送信する特性データも、ペイロードボディに含まれる。
【０１５５】
表示装置２００Ｃの制御部２１６Ｃは、信号生成部２１４Ｃを制御し、記憶部２１８に格納された特性データや温度検出部２１７から出力された温度データに応じて、ペイロードボディに格納されたタイミング情報を変更してもよい。代替的に、制御部２１６Ｃは、信号生成部２１４Ｃ及び通信部２１５Ｃを制御し、記憶部２１８に格納された特性データや温度検出部２１７から出力された温度データに応じて、同期制御信号の送信タイミングを変更してもよい。
【０１５６】
（眼鏡装置）
図２３は、眼鏡装置１００Ｃの機能構成を表す概略的なブロック図である。図２０及び図２３を用いて、眼鏡装置１００Ｃが説明される。
【０１５７】
眼鏡装置１００Ｃは、第１実施形態に関連して説明された給電部１７０に加えて、作動部１６０Ｃを備える。作動部１６０Ｃは、第１実施形態に関連して説明された光量調整部１６１と、電圧検出部１６８と、を備える。光量調整部１６１は、左調整部１６２と右調整部１６３とを用いて、左眼及び右眼へ透過する映像光の量を調整するための調整動作を実行する。給電部１７０は、光量調整部１６１による調整動作のために用いられる電力を蓄える電源部１７１と、電源部１７１からの給電を制御するための給電切替部１７２と、を備える。電圧検出部１６８は、左調整部１６２と右調整部１６３とを駆動する駆動部１６４に印加された電圧を検出する。第１実施形態に関連して説明されたように、駆動部１６４に印加される電圧は、電源部１７１に蓄えられた電力量を反映する。したがって、電圧検出部１６８による電圧の検出は、電源部１７１が蓄える電力量を検出することを意味する。
【０１５８】
眼鏡装置１００Ｃは、特性データを記憶する記憶部１６７Ｃを更に備える。電圧検出部１６８が検出した電圧のデータ及び図２０を参照して説明された温度検出部２１７が検出した温度のデータは、表示装置２００Ｃの制御部２１６Ｃによる補正処理に用いられる。記憶部１６７Ｃは、環境温度と光量調整部１６１による調整動作との関係並びに駆動部１６４に印加される電圧と光量調整部１６１による調整動作との関係を表す特性データを記憶する。
【０１５９】
眼鏡装置１００Ｃは、駆動部１６４を、表示装置２００Ｃから送信された同期制御信号に応じて制御する制御部１６６Ｃを更に備える。第１実施形態と異なり、同期制御信号が含む表示タイミングの情報は、表示装置２００Ｃによって補正されているので、眼鏡装置１００Ｃの制御部１６６Ｃは、同期制御信号に対する補正処理のための演算を実行する必要はない。本実施形態において、眼鏡装置１００Ｃの制御部１６６Ｃは、第１制御部として例示される。
【０１６０】
眼鏡装置１００Ｃは、同期制御信号を受信する通信部１６５Ｃを更に備える。通信部１６５Ｃは、制御部１６６Ｃに同期制御信号を出力する。制御部１６６Ｃは、同期制御信号に応じて、駆動部１６４を制御する。この結果、左調整部１６２及び右調整部１６３は、左眼及び右眼への透過光量を適切に調整することができる。
【０１６１】
制御部１６６Ｃは、記憶部１６７Ｃに記憶された特性データを読み出す。通信部１６５Ｃは、その後、特性データを表示装置２００Ｃに送信する。表示装置２００Ｃの通信部２１５Ｃは、特性データを受信する。特性データは、表示装置２００Ｃの制御部２１６Ｃが備える記憶部２１８に記憶される。本実施形態において、眼鏡装置１００Ｃの通信部１６５Ｃは、データ通信部として例示される。
【０１６２】
（特性データ）
図２４Ａは、眼鏡装置１００Ｃの記憶部１６７Ｃに記憶された特性データを例示する表である。図２４Ｂは、任意の検出温度下における光量調整部１６１の動作速度を表す概略的なグラフである。図２０、図２３乃至図２４Ｂを用いて、特性データが説明される。
【０１６３】
図２４Ｂのグラフは、任意の温度ＴＥＭＰｎ（ｎは、自然数）における透過光量の変動を表す。図２４Ｂにおいて、左調整部１６２又は右調整部１６３が達成する最小の透過光量は、符号「Ａｍｉｎ」を用いて表されている。図２４Ｂにおいて、左調整部１６２又は右調整部１６３が達成する最大の透過光量は、符号「Ａｍａｘ」を用いて表されている。
【０１６４】
図２４Ａの表に表される「上昇時間」は、最小の透過光量「Ａｍｉｎ」から最大の透過光量「Ａｍａｘ」に到達するのに要する期間を表す。図２４Ａの表に表される「下降時間」は、最大の透過光量「Ａｍａｘ」から最小の透過光量「Ａｍｉｎ」に到達するのに要する期間を表す。
【０１６５】
記憶部１６７Ｃは、表示装置２００Ｃの温度検出部２１７によって検出される環境温度（ＴＥＭＰ１、ＴＥＭＰ２、ＴＥＭＰ３・・・・ＴＥＭＰｎ）と、これらの温度に対応する上昇時間（ＴＲＴ１、ＴＲＴ２、ＴＲＴ３・・・・ＴＲＴｎ）及び下降時間（ＴＦＴ１、ＴＦＴ２、ＴＦＴ３・・・・・ＴＦＴｎ）と、を関連づけて記憶する。
【０１６６】
図２５Ａは、眼鏡装置１００Ｃの記憶部１６７Ｃに記憶された特性データを例示する表である。図２５Ｂは、任意の検出電圧下における光量調整部１６１の動作速度を表す概略的なグラフである。図２０、図２３、図２５Ａ及び図２５Ｂを用いて、特性データが説明される。
【０１６７】
図２５Ｂのグラフは、任意の電圧ＶＯＬＴｎ（ｎは、自然数）における透過光量の変動を表す。図２５Ｂにおいて、左調整部１６２又は右調整部１６３が達成する最小の透過光量は、符号「Ａｍｉｎ」を用いて表されている。図２５Ｂにおいて、左調整部１６２又は右調整部１６３が達成する最大の透過光量は、符号「Ａｍａｘ」を用いて表されている。
【０１６８】
図２５Ａの表に表される「上昇時間」は、最小の透過光量「Ａｍｉｎ」から最大の透過光量「Ａｍａｘ」に到達するのに要する期間を表す。図２５Ａの表に表される「下降時間」は、最大の透過光量「Ａｍａｘ」から最小の透過光量「Ａｍｉｎ」に到達するのに要する期間を表す。
【０１６９】
記憶部１６７Ｃは、眼鏡装置１００Ｃの電圧検出部１６８によって検出される電圧（ＶＯＬＴ１、ＶＯＬＴ２、ＶＯＬＴ３・・・・ＶＯＬＴｎ）と、これらの電圧に対応する上昇時間（ＴＲＶ１、ＴＲＶ２、ＴＲＶ３・・・・ＴＲＶｎ）及び下降時間（ＴＦＶ１、ＴＦＶ２、ＴＦＶ３・・・・・ＴＦＶｎ）と、を関連づけて記憶する。
【０１７０】
図２６は、眼鏡装置１００Ｃの制御部１６６Ｃによって作成されるデータ列構造の概略図である。図２０、図２２、図２３、図２４Ａ及び図２５Ａを用いて、データ列構造が説明される。
【０１７１】
記憶部１６７Ｃに記憶された特性データを読み出した制御部１６６Ｃは、表示装置２００Ｃへ特性データを送信するためにパケット信号を生成する。図２４Ａ及び図２５Ａの表で表されたデータは、パケット構造のペイロードボディに組み込まれる。図２６に示されるデータ列構造は、ペイロードボディに組み込まれるデータ列の構造を概略的に表す。尚、データ列の構造は、本実施形態の原理を何ら限定しない。
【０１７２】
図２６に示されるデータ列構造１は、図２４Ａ及び図２５Ａの表の行ごとに読み取られ、整列されたデータを含む。データ列構造２は、図２４Ａ及び図２５Ａの表の列ごとに読み取られ、整列されたデータを含む。制御部１６６Ｃは、図２６に例示されるデータ列構造で表される情報を含むパケット信号を生成する。眼鏡装置１００Ｃの通信部１６５Ｃは、制御部１６６Ｃが生成したパケット信号を表示装置２００Ｃへ送信する。
【０１７３】
表示装置２００Ｃの通信部２１５Ｃは、パケット信号を受信する。表示装置２００Ｃの制御部２１６Ｃは、パケット信号が含むデータ列構造を解釈し、記憶部２１８に特性データを記憶する。
【０１７４】
図２４Ａに示される特性データは、複数の検出電圧に対応して作成されることが好ましい。また、図２５Ａに示される特性データは、複数の検出温度に対応して作成されることが好ましい。この結果、表示装置２００Ｃは、温度検出部２１７が検出した温度と電圧検出部１６８が検出した電圧との組み合わせに関連づけられた上昇時間及び下降時間を決定することができる。
【０１７５】
図２４Ａに示される特性データが、複数の検出電圧に対応して作成され、及び／又は、図２５Ａに示される特性データが、複数の検出温度に対応して作成されるならば、データ列構造が長すぎ、１つのパケット信号に収まらないこともある。この場合、眼鏡装置１００Ｃの通信部１６５Ｃは、データ列構造を分割し、複数のパケット信号を用いて、特性データを送信してもよい。
【０１７６】
上述の如く、電圧検出部１６８は、駆動部１６４に印加された電圧を検出する。電圧検出部１６８は、検出された電圧に関するデータを制御部１６６Ｃに出力する。上述の特性データを送信するためのパケット信号の生成の後、制御部１６６Ｃは、検出された電圧の情報を含むパケット信号を生成する。眼鏡装置１００Ｃの通信部１６５Ｃは、検出された電圧の情報を含むパケット信号を表示装置２００Ｃへ送信する。
【０１７７】
表示装置２００Ｃの通信部２１５Ｃは、電圧検出部１６８が検出した電圧の情報を含むパケット信号を受信する。通信部２１５Ｃは、その後、検出された電圧の情報を制御部２１６Ｃに出力する。
【０１７８】
温度検出部２１７は、上述の如く、環境温度に関するデータを制御部２１６Ｃに出力する。したがって、制御部２１６Ｃには、眼鏡装置１００Ｃの電圧検出部１６８が検出した電圧に関する情報及び表示装置２００Ｃの温度検出部２１７が検出した環境温度に関する情報が入力される。
【０１７９】
制御部２１６Ｃは、上述の特性データと、眼鏡装置１００Ｃの電圧検出部１６８が検出した電圧に関する情報及び表示装置２００Ｃの温度検出部２１７が検出した環境温度に関する情報と、を対比し、映像処理部２１２に対して決定した表示タイミングを補正する。
【０１８０】
本実施形態において、上昇時間及び下降時間は、最大の透過光量と最小の透過光量との間での変動期間として定義されている。代替的に、上昇時間及び下降時間は、他の定義に従ってもよい。例えば、上昇時間及び下降時間は、最大の透過光量の９０％と最大の透過光量の１０％との間での変動期間として定義されてもよい。
【０１８１】
（変動タイミングの補正）
図２７は、左眼及び右眼への透過光量を増大させる期間のタイミングの補正を表す概略的なタイミングチャートである。図２０、図２３、図２４Ａ、図２５Ａ及び図２７を用いて、左眼及び右眼への透過光量を増大させる期間のタイミングの補正が説明される。
【０１８２】
図２７のセクション（ａ）は、左フレーム画像が表示される左フレーム期間と、右フレーム画像が表示される右フレーム期間と、を表す。映像処理部２１２を制御する制御部２１６Ｃは、左フレーム期間と右フレーム期間とを交互に規定する。制御部２１６Ｃは、左フレーム期間に左フレーム画像のデータが映像処理部２１２から表示部２１３へ出力されるように、映像処理部２１２を制御する。制御部２１６Ｃは、右フレーム期間に右フレーム画像のデータが映像処理部２１２から表示部２１３へ出力されるように、映像処理部２１２を制御する。この結果、表示部２１３は、左フレーム期間に左フレーム画像を表示し、右フレーム期間に右フレーム画像を表示する。
【０１８３】
図２７のセクション（ｂ）及びセクション（ｃ）は、表示装置２００Ｃの制御部２１６Ｃによって設定される増大期間（左眼及び右眼への透過光量が増大している期間）のタイミングを表す。図２７のセクション（ｂ）は、温度検出部２１７から取得した温度データが「ＴＥＭＰ１」であり、且つ、眼鏡装置１００Ｃから送られた電圧データが「ＶＯＬＴ１」であるときに設定された増大期間のタイミングを表す。図２７のセクション（ｃ）は、温度検出部２１７から取得した温度データが「ＴＥＭＰ３」であり、且つ、眼鏡装置１００Ｃから送られた電圧データが「ＶＯＬＴ３」であるときに設定された増大期間のタイミングを表す。
【０１８４】
「ＴＥＭＰ１」と「ＶＯＬＴ１」との組み合わせの条件と「ＴＥＭＰ３」と「ＶＯＬＴ３」との組み合わせの条件との間において、図２４Ａ及び図２５Ａを参照して説明された上昇時間及び下降時間は異なる。したがって、制御部２１６Ｃは、信号生成部２１４を制御し、両条件間において、透過光量を増大させる増大期間に関し、互いに異なる情報を含む同期制御信号を生成する。本実施形態において、「ＴＥＭＰ３」と「ＶＯＬＴ３」との組み合わせの条件の下で生成された同期制御信号は、増大期間に関して、「ＴＥＭＰ１」と「ＶＯＬＴ１」との組み合わせの条件の下で生成された同期制御信号よりも遅いタイミングを通知するための情報を含む。
【０１８５】
図２７のセクション（ｄ）及びセクション（ｅ）は、眼鏡装置１００Ｃの光量調整部１６１による調整動作によって規定される実際の増大期間のタイミングを表す。図２７のセクション（ｄ）は、図２７のセクション（ｂ）を参照して説明された設定の下で得られた増大期間を表す。図２７のセクション（ｅ）は、図２７のセクション（ｃ）を参照して説明された設定の下で得られた増大期間を表す。
【０１８６】
光量調整部１６１は、「ＴＥＭＰ３」と「ＶＯＬＴ３」との組み合わせの条件の下において、「ＴＥＭＰ１」と「ＶＯＬＴ１」との組み合わせの条件下よりも、同期制御信号に対して速く応答することができる。したがって、図２７のセクション（ｂ）及びセクション（ｃ）に関連して説明された設定の差異は、光量調整部１６１の動作速度の変動によって略相殺される。したがって、図２７のセクション（ｄ）及びセクション（ｅ）に示される増大期間のタイミングは、略等しくなる。したがって、眼鏡装置１００Ｃは、様々な環境温度の条件及び様々な蓄電量の条件の下において、同期制御信号に対して安定した応答動作を実行することができる。本実施形態において、増大期間のタイミングが調整されている。代替的に、透過光量が減少されている減少期間が調整処理の対象として取り扱われてもよい。
【０１８７】
（映像システムの制御方法）
図２８は、映像システム３００Ｃの制御方法を表す概略的なフローチャートである。図２０、図２１、図２３及び図２８を用いて、映像システム３００Ｃの制御方法が説明される。
【０１８８】
（ステップＳ２０５）
ステップＳ２０５において、眼鏡装置１００Ｃの給電部１７０は、作動部１６０Ｃに給電を開始する。この結果、作動部１６０Ｃの様々な要素が動作可能となる。作動部１６０Ｃへの給電の後、ステップＳ２１０が実行される。
【０１８９】
（ステップＳ２１０）
ステップＳ２１０において、眼鏡装置１００Ｃの制御部１６６Ｃは、給電の開始に応じて、眼鏡装置１００Ｃと通信可能な表示装置２００Ｃを検索するための検索信号を生成する。検索信号は、眼鏡装置１００Ｃ自身の通信アドレスに関する情報を含む。眼鏡装置１００Ｃの通信部１６５Ｃは、検索信号を送信する。検索信号の送信の後、表示装置２００Ｃは、ステップＳ２１５を実行する。
【０１９０】
（ステップＳ２１５）
ステップＳ２１５において、表示装置２００Ｃの通信部２１５Ｃは、検索信号を受信する。通信部２１５Ｃは、検索信号の受信を、眼鏡装置１００Ｃの通信アドレスに関する情報とともに制御部２１６Ｃへ通知する。その後、表示装置２００Ｃは、ステップＳ２２０を実行する。
【０１９１】
（ステップＳ２２０）
ステップＳ２２０において、表示装置２００Ｃの制御部２１６Ｃは、信号生成部２１４Ｃを制御し、検索信号に応答するための応答信号を生成する。信号生成部２１４Ｃによって生成された応答信号は、表示装置２００Ｃ自身の通信アドレスに関する情報を含む。通信部２１５Ｃは、眼鏡装置１００Ｃの通信アドレスに応答信号を送信する。応答信号の送信の後、眼鏡装置１００Ｃは、ステップＳ２２５を実行する。
【０１９２】
（ステップＳ２２５）
ステップＳ２２５において、眼鏡装置１００Ｃの通信部１６５Ｃは、応答信号を受信する。通信部１６５Ｃは、制御部１６６Ｃへ応答信号の受信とともに表示装置２００Ｃの通信アドレスに関する情報を通知する。この結果、眼鏡装置１００Ｃは、表示装置２００Ｃの通信アドレスに関する情報を取得し、表示装置２００Ｃは、眼鏡装置１００Ｃの通信アドレスに関する情報を取得する。かくして、眼鏡装置１００Ｃと表示装置２００Ｃとの間で、無線通信路が開かれる。無線通信路が設定された後、眼鏡装置１００Ｃは、ステップＳ２３０を実行する。
【０１９３】
（ステップＳ２３０）
ステップＳ２３０において、眼鏡装置１００Ｃの制御部１６６Ｃは、記憶部１６７Ｃに予め記憶された特性データを読み出す。尚、特性データは、第１実施形態及び第２実施形態に関連して説明された測定技術を用いて、眼鏡装置１００Ｃに対して個別に取得されている。したがって、特性データは、眼鏡装置１００Ｃの固有の応答特性を表す。
【０１９４】
制御部１６６Ｃは、読み出された特性データを用いて、パケット信号を生成する。通信部１６５Ｃは、生成されたパケット信号を表示装置２００Ｃの通信アドレスへ送信する。特性データの送信の後、眼鏡装置１００Ｃは、ステップＳ２４５を実行する。表示装置２００Ｃは、ステップＳ２３５を実行する。
【０１９５】
（ステップＳ２３５）
ステップＳ２３５において、表示装置２００Ｃの通信部２１５Ｃは、特性データを表すパケット信号を受信する。通信部２１５Ｃは、パケット信号が表す特性データに関する情報を制御部２１６Ｃに出力する。制御部２１６Ｃは、通信部２１５Ｃが出力した情報を解析し、特性データを再構築する。再構築された特性データは、制御部２１６Ｃの記憶部２１８に格納される。特性データが記憶部２１８に格納された後、表示装置２００Ｃは、ステップＳ２４０を実行する。
【０１９６】
（ステップＳ２４０）
ステップＳ２４０において、温度検出部２１７は、映像が観察される環境の温度を検出する。温度検出部２１７は、検出された温度に関するデータを制御部２１６Ｃに出力する。
【０１９７】
（ステップＳ２４５）
ステップＳ２４５において、電圧検出部１６８は、駆動部１６４に印加されている電圧を検出する。電圧検出部１６８は、検出された電圧に関するデータを制御部１６６Ｃへ出力する。電圧データの出力の後、眼鏡装置１００Ｃは、ステップＳ２５０を実行する。
【０１９８】
（ステップＳ２５０）
ステップＳ２５０において、制御部１６６Ｃは、電圧データを用いて、駆動部１６４に印加されている電圧に関する情報を含むパケット信号を生成する。パケット信号は、通信部１６５Ｃを通じて、表示装置２００Ｃへ送信される。パケット信号の送信の後、眼鏡装置１００Ｃは、ステップＳ２５５を実行し、表示装置２００Ｃは、ステップＳ２６０を実行する。
【０１９９】
（ステップＳ２５５）
ステップＳ２５５において、眼鏡装置１００Ｃは、ステップＳ２５０において実行されたパケット信号の送信からの経過時間を測定する。経過時間が所定の長さを超えるならば、ステップＳ２４５が実行される。経過時間が所定の長さ以内であるならば、ステップＳ２５５が継続される。かくして、駆動部１６４に印加されている電圧に関する情報を含むパケット信号は、表示装置２００Ｃへ周期的に送信されることとなる。
【０２００】
（ステップＳ２６０）
ステップＳ２６０において、表示装置２００Ｃの通信部２１５Ｃは、眼鏡装置１００Ｃの駆動部１６４に印加されている電圧に関する情報を含むパケット信号を受信する。通信部２１５Ｃは、その後、駆動部１６４に印加されている電圧に関する情報を制御部２１６Ｃに出力する。この結果、制御部２１６Ｃは、特性データ、環境温度に関する情報及び駆動部１６４に印加されている電圧に関する情報を取得することとなる。制御部２１６Ｃは、特性データ、環境温度に関する情報及び駆動部１６４に印加されている電圧に関する情報を取得した後、表示装置２００Ｃは、ステップＳ２６５を実行する。
【０２０１】
（ステップＳ２６５）
ステップＳ２６５において、制御部２１６Ｃは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｃは、環境温度に関する情報及び駆動部１６４に印加されている電圧に関する情報と特性データとを対比し、表示タイミングを基準に決定されたタイミングを補正する。制御部２１６Ｃは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｃに通知することができる。同期制御信号の生成の後、表示装置２００Ｃは、ステップＳ２７０を実行する。
【０２０２】
（ステップＳ２７０）
ステップＳ２７０において、通信部２１５Ｃは、信号生成部２１４Ｃが生成した同期制御信号を眼鏡装置１００Ｃの通信アドレスに送信する。同期制御信号の送信の後、眼鏡装置１００Ｃは、ステップＳ２７５を実行する。
【０２０３】
（ステップＳ２７５）
ステップＳ２７５において、眼鏡装置１００Ｃの通信部１６５Ｃは、同期制御信号を受信する。同期制御信号は、その後、制御部１６６Ｃへ出力される。制御部１６６Ｃが同期制御信号を受け取った後、眼鏡装置１００Ｃは、ステップＳ２８０を実行する。
【０２０４】
（ステップＳ２８０）
ステップＳ２８０において、眼鏡装置１００Ｃの制御部１６６Ｃは、光量調整部１６１の駆動部１６４を制御する。この結果、左調整部１６２は、適切に調整された変動タイミングで左眼への透過光量を増大又は減少させる。右調整部１６３は、適切に調整された変動タイミングで右眼への透過光量を増大又は減少させる。
【０２０５】
＜第５実施形態＞
（眼鏡装置）
図２９は、第５実施形態の眼鏡装置１００Ｄの機能構成を表す概略的なブロック図である。第４実施形態と同一の要素に対して、同一の符号が付されている。同一の符号が付された要素に対して、第４実施形態の説明が援用される。第４実施形態と第５実施形態との間の差異が以下に説明される。
【０２０６】
眼鏡装置１００Ｄは、第４実施形態に関連して説明された給電部１７０に加えて、光量の調整動作を司る作動部１６０Ｄを備える。作動部１６０Ｄは、第４実施形態に関連して説明された光量調整部１６１及び記憶部１６７Ｃを備える。
【０２０７】
作動部１６０Ｄは、駆動部１６４の温度を、映像が観察される環境の温度として測定する検出部１６８Ｄを更に備える。検出部１６８Ｄは、光量調整部１６１の温度だけでなく、駆動部１６４に印加された電圧も検出する。本実施形態において、検出部１６８Ｄは、温度検出部及び／又は電力検出部として例示される。
【０２０８】
作動部１６０Ｄは、駆動部１６４を制御する制御部１６６Ｄを更に備える。制御部１６６Ｄは、第４実施形態と同様に、記憶部１６７Ｃに格納された特性データを用いて、パケット信号を生成する。検出部１６８Ｄは、制御部１６６Ｄに、環境温度に関するデータと駆動部１６４に印加された電圧に関するデータとを出力する。制御部１６６Ｄは、検出部１６８Ｄから出力されたデータに応じたパケット信号も生成する。
【０２０９】
作動部１６０Ｄは、パケット信号を送信するための通信部１６５Ｄを更に備える。通信部１６５Ｄは、第４実施形態と同様に、適切に補正された変動タイミングに関する情報を含む同期制御信号を受信する。通信部１６５Ｄは、同期制御信号を制御部１６６Ｄに出力する。制御部１６６Ｄは、同期制御信号に応じて、駆動部１６４を制御する。この結果、光量調整部１６１は、左眼及び右眼の透過光量を適切なタイミングで増大又は減少させることができる。
【０２１０】
（映像システム）
図３０は、映像システム３００Ｄの概略図である。図２９及び図３０を用いて、映像システム３００Ｄが説明される。
【０２１１】
映像システム３００Ｄは、眼鏡装置１００Ｄと表示装置２００Ｄとを備える。第４実施形態と同様に、眼鏡装置１００Ｄは、特性データを表示装置２００Ｄへ送信する。眼鏡装置１００Ｄから送信される特性データは、第４実施形態と同様に、環境温度と光量調整部１６１による調整動作との関係並びに駆動部１６４に印加される電圧と光量調整部１６１による調整動作との関係を表す。第４実施形態と異なり、眼鏡装置１００Ｄの通信部１６５Ｄは、電圧に関する情報（データ）だけでなく、環境温度に関する情報（データ）を表示装置２００Ｄへ送信する。本実施形態において、通信部１６５Ｄは、データ通信部として例示される。
【０２１２】
（表示装置）
図３１は、表示装置２００Ｄの機能構成を表す概略的なブロック図である。図２９及び図３１を用いて、表示装置２００Ｄが説明される。
【０２１３】
表示装置２００Ｄは、第４実施形態に関連して説明された入力部２１１、映像処理部２１２、表示部２１３及び信号生成部２１４Ｃを備える。表示装置２００Ｄは、眼鏡装置１００Ｄが生成したパケット信号を受信する通信部２１５Ｄを更に備える。第４実施形態と同様に、通信部２１５Ｄは、特性データを含むパケット信号を受信する。第４実施形態と異なり、通信部２１５Ｄは、電圧に関する情報だけでなく、環境温度に関する情報を含むパケット信号を受信する。本実施形態において、通信部２１５Ｄは、制御信号通信部として例示される。
【０２１４】
表示装置２００Ｄは、信号生成部２１４Ｃを制御し、同期制御信号を生成する制御部２１６Ｄを更に備える。制御部２１６Ｄは、第４実施形態と同様に、記憶部２１８を備える。
【０２１５】
通信部２１５Ｄは、眼鏡装置１００Ｄから受信したパケット信号が含む特性データを制御部２１６Ｄへ出力する。制御部２１６Ｄは、第４実施形態と同様の手法を用いて、通信部２１５Ｄからの出力データを解析し、特性データを再構築する。再構築された特性データは、記憶部２１８に記憶される。
【０２１６】
第４実施形態と異なり、制御部２１６Ｄは、電圧に関する情報だけでなく、環境温度に関する情報も、通信部２１５Ｄから取得する。第４実施形態と同様に、制御部２１６Ｄは、特性データと、電圧に関する情報及び環境温度に関する情報を対比し、検出された電圧条件及び温度条件の下での光量調整部１６１の応答特性に適合した同期制御信号を生成する。
【０２１７】
（映像システムの制御方法）
図３２は、映像システム３００Ｄの制御方法を表す概略的なフローチャートである。図２９乃至図３２を用いて、映像システム３００Ｄの制御方法が説明される。
【０２１８】
（ステップＳ３０５）
ステップＳ３０５において、眼鏡装置１００Ｄの給電部１７０は、作動部１６０Ｄに給電を開始する。この結果、作動部１６０Ｄの様々な要素が動作可能となる。作動部１６０Ｄへの給電の後、ステップＳ３１０が実行される。
【０２１９】
（ステップＳ３１０）
ステップＳ３１０において、眼鏡装置１００Ｄの制御部１６６Ｄは、給電の開始に応じて、眼鏡装置１００Ｄと通信可能な表示装置２００Ｄを検索するための検索信号を生成する。検索信号は、眼鏡装置１００Ｄ自身の通信アドレスに関する情報を含む。眼鏡装置１００Ｄの通信部１６５Ｄは、検索信号を送信する。検索信号の送信の後、表示装置２００Ｄは、ステップＳ３１５を実行する。
【０２２０】
（ステップＳ３１５）
ステップＳ３１５において、表示装置２００Ｄの通信部２１５Ｄは、検索信号を受信する。通信部２１５Ｄは、検索信号の受信を、眼鏡装置１００Ｄの通信アドレスに関する情報とともに制御部２１６Ｄへ通知する。その後、表示装置２００Ｄは、ステップＳ３２０を実行する。
【０２２１】
（ステップＳ３２０）
ステップＳ３２０において、表示装置２００Ｄの制御部２１６Ｄは、信号生成部２１４Ｃを制御し、検索信号に応答するための応答信号を生成する。信号生成部２１４Ｃによって生成された応答信号は、表示装置２００Ｄ自身の通信アドレスに関する情報を含む。通信部２１５Ｄは、眼鏡装置１００Ｄの通信アドレスに応答信号を送信する。応答信号の送信の後、眼鏡装置１００Ｄは、ステップＳ３２５を実行する。
【０２２２】
（ステップＳ３２５）
ステップＳ３２５において、眼鏡装置１００Ｄの通信部１６５Ｄは、応答信号を受信する。通信部１６５Ｄは、制御部１６６Ｄへ応答信号の受信とともに表示装置２００Ｄの通信アドレスに関する情報を通知する。この結果、眼鏡装置１００Ｄは、表示装置２００Ｄの通信アドレスに関する情報を取得し、表示装置２００Ｄは、眼鏡装置１００Ｄの通信アドレスに関する情報を取得する。かくして、眼鏡装置１００Ｄと表示装置２００Ｄとの間で、無線通信路が開かれる。無線通信路が設定された後、眼鏡装置１００Ｄは、ステップＳ３３０を実行する。
【０２２３】
（ステップＳ３３０）
ステップＳ３３０において、眼鏡装置１００Ｄの制御部１６６Ｄは、記憶部１６７Ｃに予め記憶された特性データを読み出す。尚、特性データは、第１実施形態及び第２実施形態に関連して説明された測定技術を用いて、眼鏡装置１００Ｄに対して個別に取得されている。したがって、特性データは、眼鏡装置１００Ｄの固有の応答特性を表す。
【０２２４】
制御部１６６Ｄは、読み出された特性データを用いて、パケット信号を生成する。通信部１６５Ｄは、生成されたパケット信号を表示装置２００Ｄの通信アドレスへ送信する。特性データの送信の後、眼鏡装置１００Ｄは、ステップＳ３４５を実行する。表示装置２００Ｄは、ステップＳ３３５を実行する。
【０２２５】
（ステップＳ３３５）
ステップＳ３３５において、表示装置２００Ｄの通信部２１５Ｄは、特性データを表すパケット信号を受信する。通信部２１５Ｄは、パケット信号が表す特性データに関する情報を制御部２１６Ｄに出力する。制御部２１６Ｄは、通信部２１５Ｄが出力した情報を解析し、特性データを再構築する。再構築された特性データは、制御部２１６Ｄの記憶部２１８に格納される。
【０２２６】
（ステップＳ３４５）
ステップＳ３４５において、検出部１６８Ｄは、駆動部１６４に印加されている電圧及び駆動部１６４の温度を検出する。検出部１６８Ｄは、検出された電圧及び温度に関するデータを制御部１６６Ｄへ出力する。電圧データ及び温度データの出力の後、眼鏡装置１００Ｄは、ステップＳ３５０を実行する。
【０２２７】
（ステップＳ３５０）
ステップＳ３５０において、制御部１６６Ｄは、電圧データを用いて、駆動部１６４に印加されている電圧及び駆動部１６４の温度に関する情報を含むパケット信号を生成する。パケット信号は、通信部１６５Ｄを通じて、表示装置２００Ｄへ送信される。パケット信号の送信の後、眼鏡装置１００Ｄは、ステップＳ３５５を実行し、表示装置２００Ｄは、ステップＳ３６０を実行する。
【０２２８】
（ステップＳ３５５）
ステップＳ３５５において、眼鏡装置１００Ｄは、ステップＳ３５０において実行されたパケット信号の送信からの経過時間を測定する。経過時間が所定の長さを超えるならば、ステップＳ３４５が実行される。経過時間が所定の長さ以内であるならば、ステップＳ３５５が継続される。かくして、駆動部１６４に印加されている電圧及び駆動部１６４の温度に関する情報を含むパケット信号は、表示装置２００Ｄへ周期的に送信されることとなる。
【０２２９】
（ステップＳ３６０）
ステップＳ３６０において、表示装置２００Ｄの通信部２１５Ｄは、眼鏡装置１００Ｄの駆動部１６４に印加されている電圧及び駆動部１６４の温度に関する情報を含むパケット信号を受信する。通信部２１５Ｄは、その後、駆動部１６４に印加されている電圧及び駆動部１６４の温度に関する情報を制御部２１６Ｄに出力する。この結果、制御部２１６Ｄは、特性データ、環境温度に関する情報及び駆動部１６４に印加されている電圧に関する情報を取得することとなる。制御部２１６Ｄは、特性データ、環境温度に関する情報及び駆動部１６４に印加されている電圧に関する情報を取得した後、表示装置２００Ｄは、ステップＳ３６５を実行する。
【０２３０】
（ステップＳ３６５）
ステップＳ３６５において、制御部２１６Ｄは、映像処理部２１２に対して定めた表示タイミング（即ち、フレーム期間の開始及び／又は終了のタイミング）を基準に、左眼及び右眼への透過光量を増大又は減少させるべきタイミングを決定する。制御部２１６Ｄは、環境温度に関する情報及び駆動部１６４に印加されている電圧に関する情報と特性データとを対比し、表示タイミングを基準に決定されたタイミングを補正する。制御部２１６Ｄは、補正されたタイミングに関する情報を含む同期制御信号を、信号生成部２１４Ｃに生成させる。この結果、信号生成部２１４Ｃが生成する同期制御信号は、環境温度及び駆動部１６４に印加されている電圧の条件下における光量調整部１６１の動作特性を適切に反映したタイミングを眼鏡装置１００Ｄに通知することができる。同期制御信号の生成の後、表示装置２００Ｄは、ステップＳ３７０を実行する。
【０２３１】
（ステップＳ３７０）
ステップＳ３７０において、通信部２１５Ｄは、信号生成部２１４Ｃが生成した同期制御信号を眼鏡装置１００Ｄの通信アドレスに送信する。同期制御信号の送信の後、眼鏡装置１００Ｄは、ステップＳ３７５を実行する。
【０２３２】
（ステップＳ３７５）
ステップＳ３７５において、眼鏡装置１００Ｄの通信部１６５Ｄは、同期制御信号を受信する。同期制御信号は、その後、制御部１６６Ｄへ出力される。制御部１６６Ｄが同期制御信号を受け取った後、眼鏡装置１００Ｄは、ステップＳ３８０を実行する。
【０２３３】
（ステップＳ３８０）
ステップＳ３８０において、眼鏡装置１００Ｄの制御部１６６Ｄは、光量調整部１６１の駆動部１６４を制御する。この結果、左調整部１６２は、適切に調整された変動タイミングで左眼への透過光量を増大又は減少させる。右調整部１６３は、適切に調整された変動タイミングで右眼への透過光量を増大又は減少させる。
【０２３４】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０２３５】
上述の補正制御は、光量調整部を駆動するための駆動信号の立ち上がりの時刻から光量調整部における透過率が５０％に増大又は減少するまでの期間に対して行われてもよい。代替的に、同期制御信号の立ち上がり又は立ち下がりの時刻から光量調整部における透過率が９０％に増大するまでの期間に対して行われてもよい。或いは、同期制御信号の立ち上がり又は立ち下がりの時刻から光量調整部における透過率が１０％に減少するまでの期間に対して行われてもよい。
【０２３６】
左フレーム期間の開始に同期して立ち上がり、右フレーム期間の開始に同期して立ち下がるような信号波形を有する同期制御信号が、上述の補正制御の基準及び表示装置と眼鏡装置との間の通信信号として用いられてもよい。本実施形態の原理は、同期制御信号の波形に限定されるものではない。
【０２３７】
上述された実施形態は、以下の特徴を主に備える。
【０２３８】
上述の実施形態の一の局面に係る眼鏡装置は、左眼及び右眼へ透過する映像光の量を増大又は減少させる変動タイミングを調整し、映像を立体的に知覚させるための調整動作を行う光量調整部と、前記調整動作に関する特性データを格納する記憶部と、前記変動タイミングを規定する同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２３９】
上記構成によれば、光量調整部は、左眼及び右眼へ透過する映像光の量を増大又は減少させる変動タイミングを調整するための調整動作を実行する。この結果、観察者は、映像を立体的に知覚することができる。
【０２４０】
光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２４１】
上記構成において、前記調整動作の実行のために用いられる電力を供給する電源部を更に備え、前記特性データは、前記電源部が蓄える電力量と、前記光量調整部の動作速度と、の関係を表し、前記第１制御部は、前記電力量に応じて、前記変動タイミングに対する補正量を決定することが好ましい。
【０２４２】
上記構成によれば、特性データは、電源部が蓄える電力量と、光量調整部の動作速度と、の関係を表す。電源部は、調整動作の実行のために電力を供給するので、電源部が蓄える電力量は減少する。第１制御部は、電力量に応じて、変動タイミングに対する補正量を決定するので、光量調整部は、電力量の減少下においても、適切に調整動作を継続することができる。したがって、観察者は、立体映像を快適に観察することができる。
【０２４３】
上記構成において、前記特性データは、前記映像が観察される環境の温度と、前記光量調整部の動作速度と、の関係を表し、前記第１制御部は、前記温度に応じて、前記変動タイミングに対する補正量を決定することが好ましい。
【０２４４】
上記構成によれば、特性データは、映像が観察される環境の温度と、光量調整部の動作速度と、の関係を表す。第１制御部は、温度に応じて、変動タイミングに対する補正量を決定するので、光量調整部は、温度が変化する環境下においても、適切に調整動作を継続することができる。したがって、観察者は、立体映像を快適に観察することができる。
【０２４５】
上記構成において、眼鏡装置は、前記電力量を検出する電力検出部を更に備えることが好ましい。
【０２４６】
上記構成によれば、電力検出部は、電力量を検出するので、第１制御部は、電力量に応じて、変動タイミングに対する補正量を適切に決定することができる。したがって、光量調整部は、電力量の減少下においても、適切に調整動作を継続することができる。
【０２４７】
上記構成において、眼鏡装置は、前記温度を検出する温度検出部を更に備えることが好ましい。
【０２４８】
上記構成によれば、温度検出部は、温度を検出するので、第１制御部は、温度に応じて、変動タイミングに対する補正量を適切に決定することができる。したがって、光量調整部は、温度が変化する環境下においても、適切に調整動作を継続することができる。
【０２４９】
上記構成において、前記特性データは、前記光量調整部に対して固有に定められたデータであることが好ましい。
【０２５０】
上記構成によれば、特性データは、光量調整部に対して固有に定められたデータであるので、第１制御部は、変動タイミングに対する補正量を適切に決定することができる。
【０２５１】
上述の実施形態の他の局面に係る表示装置は、左眼で観察される左フレーム画像と、右眼で観察される右フレーム画像と、を用いて、立体的に知覚される映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記左眼及び前記右眼へ透過する映像光の量を増大又は減少させる変動タイミングを調整し、前記映像を立体的に知覚させるための調整動作を行う眼鏡装置へ、前記表示タイミングを通知するための同期制御信号を、前記第２制御部の制御下で送信する制御信号通信部と、を備え、前記制御信号通信部は、前記眼鏡装置から、前記調整動作に関する特性データを受信し、前記第２制御部は、前記表示タイミングと前記特性データとに基づき、前記同期制御信号の送信を制御することを特徴とする。
【０２５２】
上記構成によれば、表示部は、左眼で観察される左フレーム画像と、右眼で観察される右フレーム画像と、を用いて、立体的に知覚される映像を表示する。第２制御部は、表示部に表示タイミングで左フレーム画像と右フレーム画像とを順次表示させる。制御信号通信部は、第２制御部の制御下で、映像を立体的に知覚させるための調整動作を行う眼鏡装置へ同期制御信号を送信し、左フレーム画像及び右フレーム画像の表示タイミングを通知する。したがって、眼鏡装置は、左フレーム画像及び右フレーム画像の表示に合わせて、調整動作を行うことができる。
【０２５３】
制御信号通信部は、眼鏡装置から、調整動作に関する特性データを受信する。第２制御部は、表示タイミングと特性データとに基づき、同期制御信号の送信を制御するので、眼鏡装置は、特性データに応じた同期制御信号を受信することができる。したがって、眼鏡装置は、左フレーム画像及び右フレーム画像の表示に合わせて、適切な調整動作を行うことができる。
【０２５４】
上記構成において、前記同期制御信号は、前記表示タイミングに関するタイミング情報を含み、前記第２制御部は、前記特性データに応じて、前記タイミング情報を変更することが好ましい。
【０２５５】
上記構成によれば、同期制御信号は、表示タイミングに関するタイミング情報を含む。第２制御部は、特性データに応じて、タイミング情報を変更するので、眼鏡装置は、特性データに応じた同期制御信号を受信することができる。したがって、眼鏡装置は、左フレーム画像及び右フレーム画像の表示に合わせて、適切な調整動作を行うことができる。
【０２５６】
上記構成において、前記第２制御部は、前記特性データに応じて、前記同期制御信号の送信タイミングを変更することが好ましい。
【０２５７】
上記構成によれば、第２制御部は、特性データに応じて、同期制御信号の送信タイミングを変更するので、眼鏡装置は、特性データに応じたタイミングで、同期制御信号を受信することができる。したがって、眼鏡装置は、左フレーム画像及び右フレーム画像の表示に合わせて、適切な調整動作を行うことができる。
【０２５８】
上記構成において、表示装置は、前記映像が観察される環境の温度を検出する温度検出部を更に備え、前記特性データは、前記温度と、前記眼鏡装置の動作速度と、の関係を表し、前記第２制御部は、前記温度に応じて、前記送信を制御することが好ましい。
【０２５９】
上記構成によれば、特性データは、映像が観察される環境の温度と、前記眼鏡装置の動作速度と、の関係を表す。第２制御部は、温度検出部によって検出された環境温度に応じて、同期制御信号の送信を制御するので、環境温度に応じた同期制御信号を受信することができる。したがって、眼鏡装置は、温度が変化する環境下においても、左フレーム画像及び右フレーム画像の表示に合わせて、適切な調整動作を行うことができる。
【０２６０】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記表示装置は、前記変動タイミングを規定する同期制御信号を送信する送信部を備え、前記眼鏡装置は、前記調整動作を行う光量調整部と、前記調整動作に関する特性データを格納する記憶部と、前記同期制御信号を受信する受信部と、前記光量調整部を制御する第１制御部と、を備え、該第１制御部は、前記同期制御信号によって規定された前記変動タイミングを前記特性データに基づいて補正し、前記調整動作を制御することを特徴とする。
【０２６１】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６２】
表示装置の送信部は、変動タイミングを規定する同期制御信号を送信する。眼鏡装置の受信部は、同期制御信号を受信する。調整動作を実行する光量調整部を制御する第１制御部は、受信部によって受信された同期制御信号が規定する変動タイミングを、記憶部に格納された特性データに基づいて補正する。調整動作に関する特性データに基づき、変動タイミングが補正されるので、観察者は、立体映像を快適に観察することができる。
【０２６３】
上述の実施形態の他の局面に係る映像システムは、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備え、前記眼鏡装置は、前記調整動作を実行する光量調整部と、前記調整動作に関する特性データを格納する記憶部と、前記特性データを前記表示装置に送信するデータ通信部と、前記光量調整部を制御する第１制御部と、を備え、前記表示装置は、前記映像を表示する表示部と、前記左フレーム画像及び前記右フレーム画像の表示タイミングを決定し、前記表示部に前記表示タイミングで前記左フレーム画像と前記右フレーム画像とを順次表示させる第２制御部と、前記特性データを受信し、且つ、前記表示タイミングを通知するための同期制御信号を、前記第２制御部の制御下で前記データ通信部へ送信する制御信号通信部と、を備え、前記第２制御部は、前記表示タイミングと前記特性データとに基づき、前記同期制御信号の送信を制御し、前記第１制御部は、前記同期制御信号に応じて、前記光量調整部を制御することを特徴とする。
【０２６４】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２６５】
記憶部は、光量調整部によって実行される調整動作に関する特性データを格納する。データ通信部は、特性データを表示装置に送信する。表示装置の制御信号通信部は、特性データを受信する。この結果、眼鏡装置の特性データは、表示装置に伝達される。
【０２６６】
表示装置の第２制御部は、左フレーム画像及び前記右フレーム画像の表示タイミングを決定する。表示部は、第２制御部の制御下において、表示タイミングで左フレーム画像と右フレーム画像とを順次表示させる。この結果、観察者は、表示部が表示する映像を立体的に知覚することができる。
【０２６７】
表示装置の制御信号通信部は、同期制御信号を、第２制御部の制御下で、眼鏡装置のデータ通信部へ送信する。この結果、表示タイミングは、眼鏡装置に通知される。
【０２６８】
表示装置の第２制御部は、表示タイミングと特性データとに基づき、同期制御信号の送信を制御するので、眼鏡装置の第１制御部は、同期制御信号に応じて、光量調整部を適切に制御することができる。したがって、眼鏡装置は、左フレーム画像及び右フレーム画像の表示に合わせて、適切な調整動作を行うことができる。
【０２６９】
上記構成において、前記眼鏡装置は、前記調整動作の実行のために用いられる電力を供給する電源部と、該電源部が蓄える電力量を検出する電力検出部と、を含み、前記特性データは、前記電源部が蓄える電力量と、前記光量調整部の動作速度と、の関係を表し、前記特性データの送信の後、前記データ通信部は、前記電力量に関する電力情報を前記制御信号通信部へ送信し、前記第２制御部は、前記電力情報と前記特性データとを対比し、前記同期制御信号の前記送信を制御することが好ましい。
【０２７０】
上記構成によれば、特性データは、電源部が蓄える電力量と、光量調整部の動作速度と、の関係を表す。電源部は、調整動作の実行のために電力を供給するので、電源部が蓄える電力量は減少する。電源部が蓄える電力量と、光量調整部の動作速度と、の関係を表す特性データが送信された後、データ通信部は、電力量に関する電力情報を制御信号通信部へ送信する。この結果、眼鏡装置の特性データだけでなく電力情報も、表示装置に伝達される。表示装置の第２制御部は、電力情報と特性データとを対比し、同期制御信号の前記送信を制御するので、光量調整部は、電力量の減少下においても、適切に調整動作を継続することができる。
【０２７１】
上記構成において、前記眼鏡装置は、前記映像が観察される環境の温度を検出する温度検出部を含み、前記特性データは、前記温度と、前記光量調整部の動作速度と、の関係を表し、前記特性データの送信の後、前記データ通信部は、前記温度に関する温度情報を前記制御信号通信部へ送信し、前記第２制御部は、前記温度情報と前記特性データとを対比し、前記同期制御信号の前記送信を制御することが好ましい。
【０２７２】
上記構成によれば、特性データは、映像が観察される環境の温度と、光量調整部の動作速度と、の関係を表す特性データが送信された後、データ通信部は、温度検出部によって検出された温度に関する温度情報を制御信号通信部へ送信する。この結果、眼鏡装置の特性データだけでなく温度情報も、表示装置に伝達される。表示装置の第２制御部は、温度情報と特性データとを対比し、同期制御信号の前記送信を制御するので、光量調整部は、温度が変化する環境下においても、適切に調整動作を継続することができる。
【０２７３】
上述の実施形態の他の局面に係る制御方法は、左眼及び右眼へ透過する映像光の量を増大又は減少させる変動タイミングを調整し、映像を立体的に知覚させるための調整動作を行う眼鏡装置に適用される。制御方法は、前記変動タイミングを規定する同期制御信号を受信する段階と、前記同期制御信号によって規定された前記変動タイミングを、前記調整動作に関する特性データに基づいて補正し、前記調整動作を制御する段階と、を有することを特徴とする。
【０２７４】
上記構成によれば、眼鏡装置は、左眼及び右眼へ透過する映像光の量を増大又は減少させる変動タイミングを調整し、映像を立体的に知覚させるための調整動作を行うために、変動タイミングを規定する同期制御信号を受信する。その後、眼鏡装置は、同期制御信号によって規定された変動タイミングを、調整動作に関する特性データに基づいて補正する。したがって、眼鏡装置は、適切に制御された調整動作を行うことができる。
【０２７５】
上述の実施形態の他の局面に係る制御方法は、左眼及び右眼へ透過する映像光の量を増大又は減少させる変動タイミングを調整し、映像を立体的に知覚させるための調整動作を行う眼鏡装置と、前記左眼で観察される左フレーム画像と、前記右眼で観察される右フレーム画像と、を用いて、前記映像を表示する表示装置と、を備える映像システムに適用される。制御方法は、前記調整動作に関する特性データを、前記眼鏡装置から前記表示装置へ送信する段階と、前記左フレーム画像及び前記右フレーム画像が表示される表示タイミングを決定する段階と、前記表示タイミングと前記特性データとに基づき、前記表示タイミングを前記眼鏡装置へ通知するための同期制御信号の送信を制御する段階と、前記同期制御信号に応じて、前記変動タイミングを調整する段階と、を有することを特徴とする。
【０２７６】
上記構成によれば、表示装置は、左眼で観察される左フレーム画像と、右眼で観察される右フレーム画像と、を用いて、立体的に知覚させるための映像を表示する。眼鏡装置は、左眼及び右眼へ透過する映像光の量を増大又は減少させる変動タイミングを調整し、映像を立体的に知覚させるための調整動作を行う。したがって、観察者は、映像を立体的に知覚することができる。
【０２７７】
調整動作に関する特性データは、眼鏡装置から表示装置へ送信される。したがって、表示装置は、特性データを取得することができる。同期制御信号の送信は、左フレーム画像及び右フレーム画像が表示される表示タイミングと特性データとに基づき制御されるので、特性データに応じた表示タイミングが眼鏡装置へ通知される。したがって、眼鏡装置は、適切に制御された調整動作を行うことができる。
【産業上の利用可能性】
【０２７８】
上述の実施形態の原理は、眼鏡装置の補助下で映像を視聴させる映像技術に好適に利用される。
【国際調査報告】
2012124350.tif 000073
2012124350.tif 000074
2012124350.tif 000075